(57)【要約】      （修正有）【課題】非ループの一本紐形態の紐と飾り物品を該非ループの一本紐形態の紐の結び目によって連結することを可能とする紐取付け部材付飾り物品の提供。【解決手段】ぬいぐるみである飾り物品本体１５の頭部に、接着剤により紐取付け部材１０が接着され取付けてなる紐取付け部材付飾り物品１６を形成しており、紐取付け部材１０が、非ループの一本紐形態の紐２を通しその結び目は通さない紐通し結び目止め孔を有し、結び目通し止孔に連通した結び目を収納する結び目収納部、あるいは、結び目通し止孔に連通した結び目を収納する結び目収納部を、飾り物品本体１５とによって形成する結び目収納部形成凹を有してなる。【選択図】図１
2015205106.tif 000002
【特許請求の範囲】
【請求項１】
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記結び目通し止孔に連通した前記結び目を収納する結び目収納部、あるいは、前記結び目通し止孔に連通した前記結び目を収納する結び目収納部を、前記飾り物品本体とによって形成する結び目収納部形成凹を有してなることを特徴とする紐取付け部材付飾り物品。
【請求項２】
前記紐取付け部材の前記飾り物品本体への取付けが、接着剤による接着された前記直接取付け形態であることを特徴とする請求項１に記載の紐取付け部材付飾り物品。
【請求項３】
前記飾り物品本体がぬいぐるみであることを特徴とする請求項１，２のいずれか１項に記載の紐取付け部材付飾り物品。
【請求項４】
前記紐取付け部材が、ゴム製部材、プラスチック製部材、木製部材、ぬいぐるみなどに、下穴なしでねじ込むことが出来る木ネジ状部位を備えてなることを特徴とする請求項１〜３のいずれか１項に記載の紐取付け部材付飾り物品。
【請求項５】
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする請求項１〜４のいずれか１項に記載の紐取付け部材付飾り物品。
【請求項６】
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材。
【請求項７】
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材。
【請求項８】
飾り物品に取付けられる紐取付け部材本体と、
この紐取付け部材本体に設けられた、非ループの一本紐形態の紐を通しその結び目は通さない形態の紐通し結び目止め孔と、
前記紐取付け部材本体に設けられた嵌め込み雌部と、
前記紐取付け部材本体に設けられた前記嵌め込み雌部に嵌合する形態の嵌め込み雄部と、を備えるとともに、
前記嵌め込み雌部を有する部位および前記嵌め込み雄部を有する部位あるいはいずれか一方の部位が、前記飾り物品に設けられたループ紐、環部材、部材通し孔などの部材通し取付け部に通されて前記嵌合されるものであることを特徴とする紐取付け部材。
【請求項９】
飾り物品に取付けられる紐取付け部材本体と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能としてなることを特徴とする紐取付け部材。
【請求項１０】
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体が携帯電話などの携帯品に当たった際に、該携帯品を傷付けたりすることを防止するために、前記紐取付け部材本体の全体あるいは一部を覆う形態で設けられた、前記携帯品に押し当たっても該携帯品を傷つけない軟らかい部材で形成された軟質性覆部材と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材。
【請求項１１】
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする請求項６〜１０のいずれか１項に記載の紐取付け部材。
【請求項１２】
非ループの一本紐形態の紐を通しその結び目は通さない紐通し結び目止め孔、および前記結び目を収納する前記結び目通し止孔に連通した結び目収納部を有する紐取付け部材と、
この紐取付け部材を複数個と、前記紐取付け部材を飾り物品に接着により取付けるための接着剤とを収納してなる包装容器と、を備えてなることを特徴とする包装された紐取付け部材。
【発明の詳細な説明】
【技術分野】
【０００１】
本発明は、主に携帯ストラップに付ける飾り物品を、該携帯ストラップを構成する非ループの一本紐形態の紐を、取り換え可能形態で取付けることが可能な紐取付け部材付飾り物品、取付け部材および包装された紐取付け部材に関する。
【背景技術】
【０００２】
従来、特許文献１の発明と特許文献２の発明が知られている。
特許文献１の発明は、レジンキャスト・コールドキャスト・ソフビ・塩ビなどのプラスチック製部材、ゴム製部材あるいは木製部材などからなるフィギアと呼ばれる、人形などの飾り物品の頭部横から水平に貫通状態で、非ループの一本紐形態の紐（ストラップ本体４）の一回結び目（結び目５２）が入る孔径の結び目収納部（結び目入り孔１９２）を設け、さらに、頭頂部から垂直に結び目収納部に直角に連通する、非ループの一本紐形態の紐は通るがその結び目は通らないで止められる孔径の紐通し結び目止め孔（結び目止め孔１９３）を設けた構成となっている。
【０００３】
特許文献２の発明は、長物の円筒柱形態の第１の連結片と該第１の連結片に螺合連結される円柱形態の第２に連結ヘントからなっている。
前記第１の連結片は、ループを形成する二本紐形態が通りかつ該二本紐による結び目は通らない孔径である紐通し結び目止め孔（挿通孔１ｂ）が設けられ、結び目が位置する側には該結び目を収納する結び目収納部が設けられ、その結び目収納部の外周には雄ねじが螺刻されている。
第２の連結片は、一方側には前記第１の連結片の前記雄ねじに螺合する雌ねじが螺刻され、他方端には環状の取付部２ｃが設けられ、該取付部２ｃには環部材や鎖などを介して飾り物品（アクセサリーＢ）を取付けられるようになっている。
【先行技術文献】
【特許文献】
【０００４】
【特許文献１】特開2013-046726号公報（段落［００４７］、図２３）
【特許文献２】実登3065352号公報
【発明の概要】
【発明が解決しようとする課題】
【０００５】
特許文献１の発明は、飾り物品そのものに紐通し結び目止め孔および結び目収納部を形成してなるものであり、ぬいぐるみなどの布製品、軟らかい合成樹脂製部材やゴム製品などの飾り物品そのものには紐通し結び目止め孔および結び目収納部を形成することが出来ないので、これらには非ループの一本紐をその結び目によって連結するということが出来ないという問題があった。
軟らかい合成樹脂製部材やゴム製品などからなる飾り物品は、紐通し結び目止め孔および結び目収納部を形成しても、強めに引っ張られると結び目は、紐通し結び目止め孔を押し広げて該紐通し結び目止め孔に入り抜けてしまう危険が大である。
【０００６】
また、紐通し結び目止め孔に挿入した紐の先端は、結び目収納部の進行当り面に直角に当たるのでそこで止められスムーズに結び目収納部外に出せない、そのまま押し込むと先端の向きが変わる前に紐が腰砕けとなり、紐の堅さしなやかさが失われてしまう、そうなるとスムーズに結び目収納部で向きを変えさせることもスムーズに出すこともできないものとなり、手のみによる紐通し操作がスムーズにでき難いという欠点を有するものであった。
紐が腰砕けになった場合、その部分を切り取って新たに差し込み抜け出し操作（作業）を行なわなければならないものであった。
【０００７】
特許文献２の発明は次に述べるような欠点を有するものである。
（１）ループを形成する二本紐形態が通る紐通し結び目止め孔は、非ループの一本紐形態の紐の結び目を抜けないように止めるには孔径が大きすぎ、紐が強く引っ張られると非ループの一本紐形態の一回結び目が、二本紐が通る紐通し結び目止め孔に入り込んでしまう可能性があり、紐が抜け外れてしまう危険があるものであり、よって、非ループの一本紐形態の紐による飾り物品の連結ができないものであった。
（２）飾り物品は、雄ねじを有する長物の第１の連結片に連結された第２の連結片の取付部２ｃに環部材や鎖を介して取付けるものであるので、部品点数が多いのでコスト高になる、第１の連結片と第２の連結片からなる紐取付け部材付飾り物品が長物であるので、長すぎる、重い、目立ちすぎるという欠点を有するものであった。
（３）  また、携帯電話のストラップホールにループ紐を通し取付ける操作は、飾り物品が取付けられた第２の連結片と第１の連結片とを分離した状態、すなわち、第１の連結片のみの状態でストラップホールを通した紐のループに該第１の連結片を潜らせて取付け、ストラップホール取付後に第２の連結片を螺合連結するという、煩雑な操作をしなければならないものであった。
特に、紐通し結び目止め孔に通す、ループを形成する二本紐形態は、解放端である二つの紐先端を合わせて外側から紐通し結び目止め孔に入れようとすると、合わせた紐端は紐通し結び目止め孔の開口に当たりすぐにほつれ広がるので、外側からは入れ通す操作が容易でないものである。よって、ほつれの生じない紐のループの先端を合せて、結び目収納部側から入れることになるのであるが、結び目収納部は結び目が自在に回ることが出来る程度に深いので、合わせたループが紐通し結び目止め孔に入る前に広がり容易には入らないものである。よって、外側から折合せた細い線部材を通し結び目収納部側に出し、その出たループ部位に紐を潜らせ、線部材を引っ張って紐を第１の連結片外に出す操作をしなければならないものである。よって、折合せて紐通し結び目止め孔を楽に通る線部材が無ければ、ループ紐の交換はできないものであった。
（４）雄ねじと雌ねじとの螺合連結であるので、螺合が緩み外れる危険があるものである。
【０００８】
本発明は以上のような従来技術の欠点に鑑み、非ループの一本紐形態の紐を通しその結び目は通さない紐通し結び目止め孔および前記結び目を収納する結び目収納部を有さない飾り物品において、非ループの一本紐形態の紐と飾り物品を該非ループの一本紐形態の紐の結び目によって連結することを可能とする、紐取付け部材付飾り物品、取付け部材および包装された紐取付け部材を提供することを目的としている。
【課題を解決するための手段】
【０００９】
上記目的を達成するために、本発明は次に述べるような構成としている。
＜請求項１記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記結び目通し止孔に連通した前記結び目を収納する結び目収納部、あるいは、前記結び目通し止孔に連通した前記結び目を収納する結び目収納部を、前記飾り物品本体とによって形成する結び目収納部形成凹を有してなることを特徴とする紐取付け部材付飾り物品である。
【００１０】
前記紐取付け部材の前記飾り物品本体への取付けが、接着剤による接着された前記直接取付け形態であることを特徴とする請求項１に記載の紐取付け部材付飾り物品である。
【００１１】
＜請求項２記載の発明＞
前記紐取付け部材の前記飾り物品本体への取付けが、接着剤による接着された前記直接取付け形態であることを特徴とする請求項１に記載の紐取付け部材付飾り物品である。
【００１２】
請求項２記載の発明の実施例は、図１、３、３０等の実施例が対応している。
【００１３】
＜請求項３記載の発明＞
前記飾り物品本体がぬいぐるみであることを特徴とする請求項１，２のいずれか１項に記載の紐取付け部材付飾り物品である。
【００１４】
＜請求項４記載の発明＞
前記紐取付け部材が、ゴム製部材、プラスチック製部材、木製部材、ぬいぐるみなどに、下穴なしでねじ込むことが出来る木ネジ状部位を備えてなることを特徴とする請求項１〜３のいずれか１項に記載の紐取付け部材付飾り物品である。
【００１５】
請求項４記載の発明の実施例は、図１３、１４、４２等の実施例が対応している。
【００１６】
＜請求項５記載の発明＞
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする請求項１〜４のいずれか１項に記載の紐取付け部材付飾り物品である。
【００１７】
請求項５記載の発明の実施例は、図２，３，４，５，１６，１９等の実施例が対応している。
【００１８】
＜請求項６記載の発明＞
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
【００１９】
請求項６記載の発明の実施例は、図４、１１、１２等の実施例が対応している。
【００２０】
＜請求項７記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
【００２１】
請求項７記載の発明の実施例は、図１３、１４、４２等の実施例が対応している。
【００２２】
＜請求項８記載の発明＞
飾り物品に取付けられる紐取付け部材本体と、
この紐取付け部材本体に設けられた、非ループの一本紐形態の紐を通しその結び目は通さない形態の紐通し結び目止め孔と、
前記紐取付け部材本体に設けられた嵌め込み雌部と、
前記紐取付け部材本体に設けられた前記嵌め込み雌部に嵌合する形態の嵌め込み雄部と、を備えるとともに、
前記嵌め込み雌部を有する部位および前記嵌め込み雄部を有する部位あるいはいずれか一方の部位が、前記飾り物品に設けられたループ紐、環部材、部材通し孔などの部材通し取付け部に通されて前記嵌合されるものであることを特徴とする紐取付け部材である。
【００２３】
請求項８記載の発明の実施例は、図３１〜３９、４１等の実施例が対応している。
【００２４】
＜請求項９記載の発明＞
飾り物品に取付けられる紐取付け部材本体と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能としてなることを特徴とする紐取付け部材である。
【００２５】
請求項９記載の発明の実施例は、図４０等の実施例が対応している。
【００２６】
＜請求項１０記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体が携帯電話などの携帯品に当たった際に、該携帯品を傷付けたりすることを防止するために、前記紐取付け部材本体の全体あるいは一部を覆う形態で設けられた、前記携帯品に押し当たっても該携帯品を傷つけない軟らかい部材で形成された軟質性覆部材と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
【００２７】
請求項１０記載の発明の実施例は、図２４、２５、２７、２８、２９等の実施例が対応している。
【００２８】
＜請求項１１記載の発明＞
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする請求項６〜１０のいずれか１項に記載の紐取付け部材である。
【００２９】
請求項１１記載の発明の実施例は、図２〜５、１６、１９等の実施例が対応している。
【００３０】
＜請求項１２記載の発明＞
非ループの一本紐形態の紐を通しその結び目は通さない紐通し結び目止め孔、および前記結び目を収納する前記結び目通し止孔に連通した結び目収納部を有する紐取付け部材と、
この紐取付け部材を複数個と、前記紐取付け部材を飾り物品に接着により取付けるための接着剤とを収納してなる包装容器と、を備えてなることを特徴とする包装された紐取付け部材である。
【００３１】
請求項１２記載の発明の実施例は、図１５等の実施例が対応している。
【発明の効果】
【００３２】
以上の説明から明らかなように、本発明にあっては次に列挙する効果が得られる。
＜請求項１記載の発明の効果＞
飾り物品が、落下防止を目的とする指や手首を通し掛ける形態の落下防止用飾り物品を除く飾り物品、例えばぬいぐるみ、フィギュア、木人形、ゴム製人形などの飾り物品であても、
その飾り物品本体とは別体からなる、非ループの一本紐形態の紐を通しその結び目は通さない紐通し結び目止め孔を備え、前記結び目を収納する前記結び目通し止孔に連通した結び目収納部を有し、あるいは前記結び目を収納する前記結び目通し止孔に連通した結び目収納部を前記飾り物品本体とによって形成する紐取付け部材を備えているので、紐通し結び目止め孔に通した非ループの一本紐形態の紐に結び目を形成することによって、好みの長さの非ループの一本紐によるシンプルな構成の携帯ストラップ等を、誰でも簡単に素早く形成できるという効果を奏する。
また、紐の長さを長めとすることにより、使用しながら好みの長さを見極め、その好み長さとなる部位に結び目を形成して、好みの紐長さを簡単に得ることができる。
【００３３】
また、紐を切れる、ハサミ、爪切あるいはカッターなどの身近な切断具で切断して結び目を取り出し、新しい紐（長さは自由、紐色自由）に取り換えることができ、そのさい、異なる飾り物品との連結形態の携帯ストラップ等を形成するが、簡単容易にできる。
すなわち、身近な切断具と交換紐さえあれば、いつでも、簡単で素早く紐色、他方に連結する飾り物品を選んで、それらの好みの組み合わせによる前とは異なる携帯ストラップを簡単に素早く実現できる。
【００３４】
また、紐取付け部材の前部面に、リボン、ハート、模様、絵柄などの装飾部品（素材は布、プラスチック、ゴム、金属、木製などいろいろである。）を接着剤（粘着剤含む）で接着して設けることができるので、使用者が好みの装飾部品を接着剤で接着して装飾することが、簡単で容易にできる。
【００３５】
＜請求項２記載の発明の効果＞
請求項１に記載の発明と同様な効果を奏する。
【００３６】
＜請求項３記載の発明の効果＞
飾り物品本体がぬいぐるみであるので、請求項１，２のいずれか１項に記載の発明と同様な効果を奏する。
【００３７】
＜請求項４記載の発明の効果＞
請求項１〜３のいずれか１項に記載の発明と同様な効果を奏するとともに、ゴム製部材、プラスチック製部材、木製部材などに下穴なしでねじ込むことが出来る木ネジ状部位をねじ込み可能部材である飾り物品本体に、木ネジ状部位をねじ込むだけの簡単操作で、紐取付け部材付飾り物品を形成できるとう効果を奏する。
接着剤との併用でない場合は、逆回しによる取外しができる。
【００３８】
また、特にぬいぐるみである飾り物品本体および木ネジ状部位側に接着剤を付け、あるいは一方側に接着剤を付け、飾り物品本体に木ネジ状部位をねじ込みないし突き刺した取付け状態とすることにより、木ネジ状部位に付いた接着材によって、飾り物品本体の内部部材（一般的には綿状部材が多い）が、ねじ込んだ場合は木ネジ状部位に巻き付き接着されるので、紐取付け部材の接着保持力が著しく強化され、外れることのない取付けを実現する。
木ネジ状部位をねじ込まず突き刺した取付け状態としても、木ネジ状部位の螺旋凸凹ネジ部位の接着剤に内部部材が接着されるので、これでも、保持力が著しく強化され、容易には外れることのない取付け状態を実現する。
また、木ネジ状部位に接着剤が付きぬいぐるみの中で接合がされるので、ぬいぐるみ表面の接着剤の量を少なくでき、紐取付け部材とぬいぐるみの間からはみ出る接着剤の量を少なくできる、美観を損ねない程度の接着剤量にできる。
【００３９】
＜請求項５記載の発明の効果＞
請求項１〜４のいずれか１項に記載の発明と同様な効果を奏するとともに、紐通し結び目止め孔に挿入した紐の先端は進行当り面に対して直角には当たらず傾斜向きであたるので、紐は結び目収納部内で腰砕けとならないで、極めてスムーズに向きを変えて進行させて、結び目収納部の外に出せるという、手のみの紐通し操作が、誰でもが簡単スムーズに行うことを可能にするという効果を奏する。
【００４０】
＜請求項６記載の発明の効果＞
請求項１〜３のいずれか１項に記載の発明と同様な効果を奏するとともに、ぬいぐるみである飾り物品本体に、顎付き布地突刺し部を突き刺すだけの簡単操作で、紐取付け部材付飾り物品を形成できるとう効果を奏する。
【００４１】
また、接着剤との併用である場合は、接着剤との接合が無くなることがあっても、顎付き布地突刺し部の顎部位によって飾り物品本体から紐取付け部材が外れることが防止される。
【００４２】
＜請求項７記載の発明の効果＞
前記請求項４記載の発明と同様な効果を奏する。
【００４３】
＜請求項８記載の発明の効果＞
ループ紐、環部材、部材通し孔などの部材通し取付け部を有する既成の飾り物品に、嵌め込み雌部を有する部位および嵌め込み雄部を有する部位あるいはいずれか一方の部位を、前記部材通し取付け部に通し嵌合することで、既成の飾り物品に非ループの一本紐形態の紐を通しその結び目は通さない形態の紐通し結び目止め孔を有する紐取付け部材を簡単に取付けることができ、これによって、既成の飾り物品にも結び目形成操作による非ループの一本紐を簡単に取付けた、携帯ストラップ等を作成できるとい効果を奏する。
【００４４】
＜請求項９記載の発明の効果＞
ループ紐、環部材、部材通し孔などの部材通し取付け部を有する既成の飾り物品に、端部を離し開口を広げた環部材を前記部材通し取付け部に通し、さらに、環部材通し孔に通して、前記広げた前記端部を近づけ閉じ状態にすることで、既成の飾り物品にも結び目形成操作による非ループの一本紐を簡単に取付けた、携帯ストラップ等を作成できるとい効果を奏する。
【００４５】
＜請求項１０記載の発明の効果＞
紐取付け部材本体が、携帯品に押し当たっても該携帯品を傷つけない軟らかい部材で形成された軟質性覆部材によって覆われているので、携帯品に押し当たっても該携帯品を傷つけることが生じないという効果を奏する。
【００４６】
＜請求項１１記載の発明の効果＞
請求項６〜１０のいずれか１項に記載の発明において、前記請求項５記載の発明と同様な効果を奏する。
【００４７】
＜請求項１２記載の発明の効果＞
非ループの一本紐形態の紐を通しその結び目は通さない紐通し結び目止め孔、および前記結び目を収納する前記結び目通し止孔に連通した結び目収納部を有する複数個の紐取付け部材と、該紐取付け部材を飾り物品に接着させるための接着剤が、包装容器に包装された形態で提供されるので、購入者は、ぬいぐるみ、フィギュアなどで非ループの一本紐形態の紐を通しその結び目は通さない紐通し結び目止め孔、および前記結び目を収納する前記結び目通し止孔に連通した結び目収納部を有さない飾り物品に、前記接着剤により紐取付け部材を接着し取付けて紐取付け部材付飾り物品を形成できるという効果を奏する。
【図面の簡単な説明】
【００４８】
【図１】本発明の実施例１の携帯ストラップ形成使用状態例図。
【図２】本発明の実施例１の紐取付け部材の平面図、正面図および紐が通され結び目が収納された状態の平面図中央横切断断面図。
【図３】本発明の実施例２の紐取付け部材の断面図および紐取付け部材付飾り物品の頭部側面図。
【図４】本発明の実施例３の紐取付け部材の断面図、取付け手順および紐取付け部材付飾り物品の頭部側面図。
【図５】本発明の実施例４の紐取付け部材の断面図および紐取付け部材付飾り物品の頭部正面図。
【図６】本発明の実施例４の紐取付け部材の異なる取付け方をした頭部正面図。
【図７】本発明の実施例５の紐取付け部材の平面図、正面図および紐取付け部材付飾り物品の頭部正面図。
【図８】本発明の実施例６の紐取付け部材の平面図、正面図および紐取付け部材付飾り物品の頭部正面図。
【図９】本発明の実施例７の紐取付け部材の正面図、平面図およびＡ−Ａ線切断断面図。
【図１０】本発明の実施例７の携帯ストラップの正面図。
【図１１】本発明の実施例８の紐取付け部材の平面図、正面図および紐を取付けた状態の拡大側面図。
【図１２】本発明の実施例８の携帯ストラップの正面図。
【図１３】本発明の実施例９の紐取付け部材の紐を取付けた状態の断面図。
【図１４】本発明の実施例９の携帯ストラップの正面図。
【図１５】本発明の実施例１０の正面図。
【図１６】本発明の実施例１１の平面図、側面図、正面図、背面図、底面図およびＡ−Ａ線切断拡大断面図。
【図１７】本発明の実施例１１の装飾パーツの背面図および側面図、装飾パーツを取付けた状態に側面図および正面図。
【図１８】本発明の実施例１１の携帯ストラップの正面図。
【図１９】本発明の実施例１２の平面図、右側面図、左側面図、正面図、底面図、Ａ−Ａ線切断拡大断面図およびＢ−Ｂ線切断拡大断面図。
【図２０】本発明の実施例１２の装飾パーツの正面図および側面図、紐取付け部材に装飾パーツを取付けた状態の側面図。
【図２１】本発明の実施例１３の装飾パーツの正面図、側面図および装飾パーツを紐取付け部材に取付けた状態の側面図。
【図２２】本発明の実施例１４の装飾パーツの正面図、側面図および装飾パーツを紐取付け部材に取付けた状態の部分断面側面図。
【図２３】本発明の実施例１５の装飾パーツの正面図、側面図および装飾パーツを紐取付け部材に取付け紐を通し結び目を形成した状態の部分断面側面図。
【図２４】本発明の実施例１６の紐取付け部材の側面図中央縦断面図。
【図２５】本発明の実施例１６の携帯ストラップの正面図。
【図２６】本発明の実施例１７の紐取付け部材の平面図、右側面図、左側面図、正面図、底面図、Ａ−Ａ線切断拡大断面図。
【図２７】本発明の実施例１７の軟質性覆部材の平面図、右側面図、左側面図、正面図、底面図、Ａ−Ａ線切断拡大断面図および紐取付け部材に被せた状態の拡大断面図。
【図２８】本発明の実施例１７の紐取付け部材付飾り物品の部分断面部分図。
【図２９】本発明の実施例１７の形態ストラップの正面図。
【図３０】本発明の実施例１８の紐取付け部材の側面図、底面図および飾り物品への取付け態を示す部分断面部分図。
【図３１】本発明の実施例１９の紐取付け部材の開き状態の側面図および嵌合閉じ状態の側面図。
【図３２】本発明の実施例１９の平面図、左側面図、正面図、背面図、底面図およびＡ−Ａ線切断拡大断面図。
【図３３】本発明の実施例１９の飾り物品の正面図および紐取付け部材の飾り物品への取付け状態を示す側面図。
【図３４】本発明の実施例１９の紐取付け部材の飾り物品への取付け状態を示す側面図。
【図３５】本発明の実施例１９飾り物品の正面図および紐取付け部材の飾り物品への取付け状態図。
【図３６】本発明の実施例２０の平面図、左側面図、正面図、底面図およびＡ−Ａ線切断拡大断面図。
【図３７】本発明の実施例２１の平面図、左側面図、正面図、背面図、底面図およびＡ−Ａ線切断拡大断面図。
【図３８】本発明の実施例２２の開いた状態の正面図、底面図および嵌合閉じ状態正面図。
【図３９】本発明の実施例２３の断面図。
【図４０】本発明の実施例２４の正面図、底面図および飾り物品への取付け状態図。
【図４１】本発明の実施例２５の平面図、正面図および飾り物品への取付け状態図。
【図４２】本発明の実施例２６の断面図。
【発明を実施するための形態】
【００４９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００５０】
図１、図２に示す本発明の実施例１において、ぬいぐるみである飾り物品本体１５の頭部に、接着剤（ホットメルトが好適であるが、他の接着剤でもよい。）により紐取付け部材１０が接着取付けてなる紐取付け部材付飾り物品１６を形成している。
紐取付け部材１０は、円盤形態の紐取付け部材本体１に、太さ０．８ｍｍあるいは１ｍｍの非ループの一本紐形態である紐２の結び目３を収納することができる結び目収納孔４と、この結び目収納孔４に連絡された、紐２は通るが結び目３は通らない形態の孔径１ｍｍ〜１．２ｍｍあるいは１．２ｍｍ〜１．４ｍｍの紐通し結び目止め孔５を備えてなるとともに、
結び目収納孔４と紐通し結び目止め孔５との連絡が、結び目収納孔４を水平とした場合においては、紐通し結び目止め孔５が真直ぐに傾斜した非直角交差形態である傾斜連絡形態である。結び目収納孔４は貫通孔であり、紐通し結び目止め孔５の傾斜側の口が下流側の口６とし、他方の口を上流側の口７としている。
【００５１】
紐２は、ストラップ紐と呼ばれている、中に芯糸を有する編組網の紐で、曲ったストラップホールに挿入しやすい硬さとしなやかさを備えた紐でが好適であり、太さは０．８ｍｍが一般的である。
【００５２】
紐通し結び目止め孔５の開口には紐２を差し込みやすく案内する誘い込み１１が形成され、下流側の口６の開口には結び目３を引き込み易くするための誘い込み１２が形成されている。
【００５３】
紐２の一方の側を紐通し結び目止め孔５から挿入し、押しこみ操作して結び目収納孔４内を進めて該結び目収納孔４の下流側の口６から出して一方側の紐突出部位を形成し、この一方側の紐突出部位に一方側の結び目である結び目３を形成して、この結び目３を結び目収納孔４内に引き込み収納状態とする。
結び目３は紐通し結び目止め孔５よりもかなり大きい形態であるので、結び目３は結び目収納孔４に止められて抜けない形態となる。
【００５４】
紐２の他方側には、紐取付け部材１０と同様な紐通し結び目止め孔５と結び目収納孔４を備えた構成のアクセントパーツ２０が取付けられ、アクセントパーツ２０、紐２および紐取付け部材付飾り物品１６で携帯ストラップ１７を形成している。
何も付けていない端部フリー状態の携帯品１８のストラップホール１９に紐２の他方側を一本紐形態で通し出してから、該他方側にアクセントパーツ２０に通し、外に出した部位に結び目を形成、該結び目を結び目収納部に引き込み取付け状態としている。
【００５５】
携帯ストラップ１７のストラップホール１９への他の取付方法として、あらかじめアクセントバーツ１５を紐２の他方側に付けた携帯ストラップ完成形態としておいて、その紐２を折り畳み合わせた合わせ二本形態にして、ストラップホール１９に差し込んでその出た部位を引き出して潜らせループを形成し、その潜らせループにアクセントパーツ１１を潜らせたパーツ潜らせ状態にして、紐２を引いて潜らせループを締めるとことで、抜けないように取付ける方法もある。
【００５６】
結び目収納孔４と紐通し結び目止め孔５との連絡は、非直角交差形態である傾斜連絡形態である。
この非直角交差形態である傾斜連絡形態（以下「紐当たり面傾斜形態」ともいう。）という構成によって、手操作によって紐通し結び目止め孔５から挿入した紐２の先端は、紐通し結び目止め孔５に対して下り傾斜面となっている結び目収納孔４の壁面に当たるのであるが、そのまま押し込むと下り傾斜面であるために紐２の先端の向きを下り傾斜方向（下流側）に殆ど抵抗なく容易円滑に向かせて、そのまま紐２を押し込み進めて、容易円滑に結び目収納孔４の下流側の口６から紐２の先端を外に出すことができるという効果を奏する。
【００５７】
また、結び目収納孔４と紐通し結び目止め孔５との連絡が、非直角交差形態である傾斜連絡形態が、直角交差形態よりも広い広角交差形態であるので、結び目収納孔４と紐通し結び目止め孔５の交差部位での紐２の曲りは、緩やかな曲り形態となる。
この紐２の緩やかな角曲り形態が、紐２の押し込み移動を抵抗の少ない、手操作のみで誰でも簡単、容易に行えるものにしている
これによって、誰でもが手のみによる取付け操作で、簡単に紐取付け部材１０に紐２を通し取付けて、携帯ストラップ等を作成することができる。
【００５８】
結び目収納孔４が貫通孔であることから、紐付き状態の紐取付け部材１０の紐２を紐通し結び目止め孔５の口付近で切断し、結び目収納孔４の上流側の口７から針金クリップを延ばしたものなどを挿入して、結び目３を押し出すことが簡単にできる。
結び目収納孔４から結び目３を出した紐取付け部材１０は、新たに紐２を取り付けて、あるいは新たな紐２に取り付けて、何回でも携帯ストラップ等を作り直すことができる。
【００５９】
紐取付け部材の形態は、星形、ハート形、キャラクター等の顔、ロゴ、マーク、花形、果物型、人型、動物形、山形、何らかのシンボル形など多様な形態のものがある。
【実施例２】
【００６０】
図３に示す本発明の実施例２において前記実施例１と主に異なる点は、紐取付け部材を紐取付け部材２３とした紐取付け部材付飾り物品２２を形成した点にある。
紐取付け部材２３は、略四角体の紐取付け部材本体２４の側部に、止まり穴形態であけられた、底面が下り傾斜形態の紐２の結び目３が収納される結び目収納部２５と、この結び目収納部２５に上部からに垂直に連通された、非ループの一本紐形態である紐２は通すがその結び目は通さない孔形態の紐通し結び目止め孔２６を備えた形態となっている。
【００６１】
紐通し結び目止め孔２６に挿入した紐２の先端は進行当り面（結び収納部２５の傾斜底面）に対して直角には当たらず傾斜向きであたるので、紐２は結び目収納部２５内で腰砕けとならないで、極めてスムーズに向きを変えて進行して、結び目収納部２５の外にでるという、手のみでの紐通し操作が誰でも簡単に容易にスムーズにできることを実現している。
【実施例３】
【００６２】
図４に示す本発明の実施例３において前記実施例２と主に異なる点は、紐取付け部材を紐取付け部材２８とした紐取付け部材付飾り物品３２を形成した点にある。
紐取付け部材２８は、紐取付け部材本体２４の下部に細棒状部２９の下部端に可動可能な顎部位３０を有する、ぬいぐるみに突き刺さる顎付き布地突刺し部３１が設けられている。
紐取付け部材本体１に顎部位３０を縦状態にして顎付き布地突刺し部３１を突き刺して、引くことにより顎部位３０が横になり抜けないように取付けられている。
取付け部材付飾り物品を、接着剤および道具無しで、手のみの突き刺し取付け操作で実現する。
【００６３】
細棒状部２９に短い多数の顎を形成するのもよい。この場合、顎部位３０は無くてもあってもよい。
【００６４】
紐取付け部材２８の前部面に花形態の装飾パーツが接着剤で接着している。
このように、紐取付け部材を飾り物品本体の外に設けた形態によって、多様な模様、多様な絵柄、多様なロゴなどの装飾パーツ（素材は布、プラスチック、ゴム、金属、木製などいろいろである。）を接着剤（粘着剤含む）で接着して設けるのもよい。
使用者が手持ちの好みの装飾パーツを接着剤で接着して装飾することを可能としている。
【実施例４】
【００６５】
図５、図６に示す本発明の実施例４において前記実施例１と主に異なる点は、紐取付け部材を紐取付け部材３５とした紐取付け部材付飾り物品３６を形成した点にある。
紐取付け部材３５は、略四角体の紐取付け部材本体３７に、その上部から紐２の非ループの一本紐形態は通るがその結び目３は通らない傾斜孔形態の紐通し結び目止め孔３８が設けられ、側部からは結び目３を収納するストレート貫通孔形態の結び目収納部３９が紐通し結び目止め孔３８に連通して設けられ、底部には突出部位４２が設けられ、突出部位４２には環部材通し孔４０が形成された形態となっている。
【００６６】
図５においては、飾り物品本体１５の頭部に金属製の端部解放の環部材４１が端部を解放して差し込まれ、解放された端部を取付け手段掛け部４０に通して掛け、端部を閉じ状態にして取付けられている。
【００６７】
図６においては、飾り物品本体１５の頭部に縫い糸４３を孔形態の取付け手段掛け部４０に通し縫い付け掛けることで取付けられている。
【００６８】
突出部位４２および環部材通し孔４０を設けない形態とし、結び目収納部３９を３ｍｍ〜６ｍｍの孔径として、縫い糸４３を結び目収納部３９に通し縫い付け掛けることで取付けられているものもよい。
【実施例５】
【００６９】
図７に示す本発明の実施例５において前記実施例２と主に異なる点は、紐取付け部材を紐取付け部材４６とした紐取付け部材付飾り物品４７を形成した点にある。
紐取付け部材４６は、略四角体の紐取付け部材本体４８に、その上部から紐２の非ループの一本紐形態は通るがその結び目３は通らない垂直孔形態の紐通し結び目止め孔２６が設けられ、側部からは結び目３を収納する底部面傾斜貫通孔形態の結び目収納部４５が紐通し結び目止め孔２６に連通して設けられ、側面下部両側には鍔部４９、４９が設けられ、該鍔部４９、４９には取付け手段である縫い糸４３が通し掛けられる、孔からなる取付け手段掛け部５０，５０が設けられた形態となっている。
【実施例６】
【００７０】
図８に示す本発明の実施例６において前記実施例５と主に異なる点は、紐取付け部材を紐取付け部材５３とした紐取付け部材付飾り物品５４を形成した点にある。
紐取付け部材５３は、紐取付け部材４６の鍔部４９，４９および取付け手段掛け部５０，５０に変えて、横に突出した先端部を前後に幅広形態として形成した凹部位からなる取付け手段掛け部５５，５５を形成した形態である。
取付け手段掛け部５５，５５に縫い糸４３を縫い掛けて、紐取付け部材５３を紐取付け部材本体４３に取付けている。
【実施例７】
【００７１】
図９、図１０に示す本発明の実施例７において前記実施例５と主に異なる点は、紐取付け部材を紐取付け部材５７とし、該紐取付け部材５７を接着剤により飾り物品本体１５に接着取付け固定した紐取付け部材付飾り物品５８を形成した点にある。
紐取付け部材５３は、紐取付部本体４８の前部と背部に、該、紐取付部本体４８を隠す大きさのリボンプレート形態ないし羽プレート形態の装飾パーツ５９，６０を設けたものである。
装飾パーツ５９，６０の形状、形態が異なるものであってもよい。
図１０において、紐取付け部材５７に紐２の一方を結び目３によって外れないように連結し、他方にアクセントパーツ２０を結び目３によって外れないように連結して携帯ストラップ６１を形成している。
【実施例８】
【００７２】
図１１、図１２に示す本発明の実施例８において前記実施例１と主に異なる点は、紐取付け部材を紐取付け部材６４とした紐取付け部材付飾り物品６５を形成した点にある。
紐取付け部材６４は、側面から見て伏せＵ字形態の紐取付け部材本体６６と、該紐取付け部材本体６６の内側部位である、飾り物品本体１５とによって結び目収納部を経緯する結び目収納部形成凹６７と、紐取付け部材本体６６の下部に立ち下がるように設けられた、布地に突き刺さす顎部位６８が付いた顎付き布地突刺し部６９、６９、６９、６９と、紐取付け部材本体６６の上部から結び目収納部形成凹６７連通形態で設けられた紐通し結び目止め孔２６とを有する形態となっている。
図１２において、紐取付け部材６４に紐２の一方を結び目３によって外れないように連結し、他方にアクセントパーツ２０を結び目３によって外れないように連結して携帯ストラップ７０を形成している。
【００７３】
その技術的思想は、前記飾り物品本体がぬいぐるみであり、体前記紐取付け部材に前記ぬいぐるみに突き刺さる、顎を有する顎付き布地突刺し部が設けられ、前記布地突刺し部が前記ぬいぐるみに突き刺さった状態で抜こうとしても前記顎が該ぬいぐるみ内に掛り抜けないことを特徴とする紐取付け部材付飾り物品あるいは紐取付け部材というところにある。
【００７４】
ぬいぐるみである飾り物品本体に、顎付き布地突刺し部を突き刺すだけの簡単操作で、紐取付け部材付飾り物品を形成できるとう効果を奏する。
また、接着剤との併用である場合は、接着剤との接合が無くなることがあっても、顎付き布地突刺し部の顎部位によって飾り物品本体から紐取付け部材が外れることが防止される。
【実施例９】
【００７５】
図１３、図１４に示す本発明の実施例９において前記実施例２と主に異なる点は、飾り物品本体を飾り物品本体７３とし、紐取付け部材を紐取付け部材７４とした紐取付け部材付飾り物品７５を形成した点にある。
飾り物品本体７３の少なくとも頭部は、下穴なしで木ネジをねじ込むことが出来、かつ、ねじ込んだ木ネジ状部位が振れたり抜けたりすることが容易には起きない部材である、ゴム製部材、プラスチック製部材、木製部材などの木ネジ状部位ねじ込み可能部材からなっている。
紐取付け部材７４は、紐取付け部材本体２４の下部に木ネジ状部位７６を突出させた形態となっている。
木ネジ状部位７６を飾り物品本体７３の頭部にねじ込んで取付け固定して、紐取付け部材付飾り物品７５を形成している。
図１４において、紐取付け部材７４に紐２の一方を結び目３によって外れないように連結し、他方にアクセントパーツ２０を結び目３によって外れないように連結して携帯ストラップ７７を形成している。
【００７６】
ぬいぐるみである飾り物品本体１５および木ネジ状部位７６側に接着剤を付け、あるいは一方に接着剤を付け、飾り物品本体１５に木ネジ状部位７６をねじ込みないし突き刺した取付け状態とすることにより、木ネジ状部位７６に付いた接着材によって、飾り物品本体１５の内部部材（一般的には綿状部材が多い）が、ねじ込んだ場合は木ネジ状部位７６に巻き付き接着されるので、紐取付け部材７４の接着保持力が著しく強化され、容易には外れることのない安定・安全な取付け状態を実現する。
木ネジ状部位７６をねじ込まず突き刺した取付け状態としても、木ネジの螺旋凸凹ネジ部位の接着剤に内部部材が接着されるので、これでも、ねじ込みとのものよりは接着保持力は得られないが、接着保持力が著しく強化され、容易には外れることのない安定・安全な取付け状態を実現する。
【実施例１０】
【００７７】
図１５に示す本発明の実施例９において８０は包装された紐取付け部材である。
包装された紐取付け部材８０は、包装容器８１と、この包装容器８１に複数個収納されたと紐取付け部材２３と、接着剤８２とからなっている。
紐２を加えるのもよい。
【実施例１１】
【００７８】
図１６〜図１８に示す本発明の実施例１１において前記実施例２と主に異なる点は、紐取付け部材を紐取付け部材８４とした紐取付け部材付飾り物品８５を形成した点にある。
紐取付け部材８４は、紐取付け部材本体２４の底部に複数本の布地に突き刺さる突き刺し部位９０を加え、正面に嵌め込み穴８６を加えた構成であり、嵌め込み穴８６には僅かな突出部位８７が形成されている。
図１７に示すように、嵌め込み穴８６に嵌入する、装飾パーツ本体９３に僅かな突起部位９２を有する嵌入突部位８８を備えた装飾パーツ８９を取付けられるようになっている。
突起部位９２と突出部位８７は噛み合い容易に抜けるのを防止している。突起部位９２と突出部位８７のいずれか一方は、他方の突起部位ないし突出部位が嵌る溝形態とするのもよい。
図１８において、紐取付け部材８４を紐取付け部材本体２４の頭部に突き刺し部位９０を突き刺しかつ接着剤によって接着固定して、紐取付け部材付飾り物品８５を形成している。
また、紐取付け部材８４に紐２の一方を結び目３によって外れないように連結し、他方にアクセントパーツ２０を結び目３によって外れないように連結して携帯ストラップ９１を形成している。
【実施例１２】
【００７９】
図１９、図２０に示す本発明の実施例１２において前記実施例１１と主に異なる点は、紐取付け部材を紐取付け部材９５とした点にある。
紐取付け部材９５は、紐取付け部材本体２４の上部に嵌め込み穴９６ａ、９６ｂを設け、結び目収納部をストレート貫通孔の結び目収納部９７と、その結び目収納部９７の紐通し結び目止め孔２６の対抗面であり該紐通し結び目止め孔２６から挿入された紐２の先端が当たる紐先端当り面である底部面に、突起形態の傾斜面９８を設けてなる構成としている。
嵌め込み穴９６ａ、９６ｂには、装飾パーツ本体１０１に該嵌め込み穴９６ａ、９６ｂに嵌入する嵌入突部位９９を有する装飾パーツ１００を取付けることができるようになっている。
【実施例１３】
【００８０】
図２１に示す本発明の実施例１３において前記実施例１２と主に異なる点は、装飾パーツを装飾パーツ１０３とした点にある。
装飾パーツ１０３は、装飾パーツ１００と装飾パーツ１００を連絡部１０４によって一体化した形態であり、連絡部１０４には上方拡径の紐通し結び目止め孔２６の上部に位置する紐誘い込み孔１０５が設けられた形態となっている。
【実施例１４】
【００８１】
図２２に示す本発明の実施例１３において前記実施例１２と主に異なる点は、装飾パーツを装飾パーツ１０８とした点にある。
装飾パーツ１０８は、装飾パーツ本体１０１に結び目収納部９７に嵌る、嵌入突部位１０９を設けている。
【実施例１５】
【００８２】
図２３に示す本発明の実施例１４において前記実施例１２と主に異なる点は、装飾パーツを装飾パーツ１１１とした点にある。
装飾パーツ１１１は、装飾パーツ本体１０１と装飾パーツ本体１０１が、紐取付け部材９５を挟み込む間隔を開けて配置され、装飾パーツ本体１０１と装飾パーツ本体１０１は連絡部１１２で連絡され、連絡部１１２には紐通し結び目止め孔２６に重なる、一方端が解放端（紐の出し入れが自在の開口形態）とされた紐出入自在形態の紐出入部１１３を設けた形態となっている。
装飾パーツ本体１０１、１０１の内側には、結び目収納部９７に引っ掛かる程度に嵌る嵌入突出部位１１４が設けられている。嵌入突出部位１１４は短い突起であり、装飾パーツ１１１を紐取付け部材９５から外すことが容易にできるようになっている。
紐出入自在形態の紐出入部１１３によって、紐取付け部材９５に装飾パーツ１１１を取付けたまま紐２の交換ができる、また、紐２を取付けたまま装飾パーツ１１１の着脱・交換が自在にできるものである。
【実施例１６】
【００８３】
図２４、図２５に示す本発明の実施例１６において前記実施例１２と主に異なる点は、紐取付け部材を紐取付け部材１１６とした点にある。
紐取付け部材１１６は、嵌め込み穴９６ａ、９６ｂおよび突き刺し部位９０を設けていない紐取付け部材本体２４を、携帯電話などの携帯品に当たった際に、該携帯品を傷付けたりしないようにするための、携帯品に押し当たっても該携帯品を傷つけない軟らかい部材で形成された軟質性覆部材１１７で覆った形態としている。
軟質性覆部材１１７は、覆部材本体１２０の左右側部には、結び目収納部９７に重なる開口１１８、１１８が形成され、上部には紐通し孔１１９が設けられた形態となっている。
軟質性覆部材１１７は、ゴム製部材、軟質性合成樹脂製部材などが一般的である。
製造方法ないし作成方法は、予め所定の形態に形成された軟質性覆部材に紐取付け部材本体を押し込み形成する形態、射出成型などにより軟質性覆部材の原料を射出して紐取付け部材を覆う形態などがある。
【００８４】
図２５に示すように、飾り物品本体１５の頭部に縫い糸４３を結び目収納部９７に通し掛け縫いして紐取付け部材１１６を取付けて紐取付け部材付飾り物品１２１を形成し、紐取付け部材１１６に紐２を通し結び目３で連結して携帯ストラップ１２２を形成している。
【実施例１７】
【００８５】
図２６〜図２８に示す本発明の実施例１７において前記実施例１２と主に異なる点は、紐取付け部材を紐取付け部材１２４とした点にある。
図２６に示すように、紐取付け部材１２４は、嵌め込み穴９６ａ、９６ｂおよび突き刺し部位９０を設けていない紐取付け部材本体２４の底部に該紐取付け部材本体１２３よりも幅の狭い下凸部位１２５を設け、左右側部の下部側に縫い糸４３を入れる糸隠し溝１２６、１２６を設けた形態となっている。
【００８６】
紐取付け部材１２４には紐取付け部材本体２４より軟らかく且つ伸縮性材質の軟質性覆部材１２７を後付けで、着脱自在形態で被せることができるようになっている。
軟質性覆部材１２７は、内部を収納部１２３とした覆部材本体１２８と、この覆部材本体１２８の上部に収納部１２３に連通開口した、内側に顎部１２９を形成するとともに、紐取付け部材１２４の天井部位を広く露出させる大きさの上部開口部１３０と、下部に収納部１２３に連通開口した、内側に紐取付け部材本体２４と下凸部位１２５の間の段差部位に掛かる顎部１３１を形成するとともに、紐取付け部材１２４がそこから収納部１２３に押し入れることが出来る、開口大きさの下部開口部１３２とからなっている。
上部開口部１３０と下部開口部１３２は略同じ開口大きさとなっている。
【００８７】
図２７、図２８に示すように、飾り物品本体１５の頭部に縫い糸４３によって紐取付け部材１２４を縫い付けて、軟質性覆部材１２７を軟質性覆部材１２７に被せ覆った形態とした、紐取付け部材付飾り物品１３３を形成し、紐通し結び目止め孔２６に紐２の一方端を通し結び目３を形成して該紐２を取付け状態とし、紐２の他方端にアクセントパーツ２０を取付けた携帯ストラップ１３４を形成している。
【００８８】
図２８に示すように、軟質性覆部材１２７はその上部開口部１３０からアクセントパーツ２０を通すことが可能であり、よって、軟質性覆部材１２７を取付け取り除きが自在にできるものである。
【実施例１８】
【００８９】
図３０に示す本発明の実施例１８において前記実施例２と主に異なる点は、紐取付け部材を紐取付け部材１３６とした点にある。
紐取付け部材１３６は、結び目収納部を結び目収納部９７とし、紐取付け部材本体２４の底部に複数本の顎形態の接着剤掛り箇所１３７を有するスリット状ないし溝状の凹部からなる接着剤掛り部１３８を設けたものである。
飾り物品本体１５に紐取付け部材１３６を設け形態である紐取付け部材付飾り物品１３９を形成している。
飾り物品本体１５に接着剤（ホットメルトが好適）で接着取付けた状態で、接着剤掛り部１３８内に該接着剤が入り込み、硬化した接着剤が掛かる（引っ掛かる部位）接着剤掛り箇所１３７に掛り、接着面積も広くなるので、強い接着保持力が得られるので容易には外れないようになる。
【００９０】
接着剤掛り部は、その数は一つ以上あればよく、接着剤が入る範囲で多数であればその掛り力は強くなる。また、その形態は凸凹形態、凸形態、凹み形態、穴形態があり、好ましくはこれらに、顎などの突出部位、穴あるいは溝などの凹み部位からなる、硬化した接着剤が掛かる（引っ掛かる部位）接着剤掛り箇所が設けられてなるものがよい。
【００９１】
その技術的思想は、前記紐取付け部材の底部に接着剤が入り込む凹部あるいは接着剤に入り込む凸部が設けられ、前記凹部あるいは前記凸部には、接着剤が掛り状態となる凸形態部位のあるいは凹形態部位の接着剤掛り箇所が設けられ、前記紐取付け部材が前記飾り物品本体に接着剤によって接着直接取付けられていることを特徴とする紐取付け部材付飾り物品あるいは紐取付け部材というところにある。
【００９２】
接着剤が入り込む凹部あるいは接着剤に入り込む凸部に接着剤が入り込み、接着剤掛り部および掛り部に接着剤が掛り状態となるので、その接着剤の接着剤掛り部への掛りと接着面積の増大によって、強固な接着保持力を得るという効果を奏する。
【実施例１９】
【００９３】
図３１〜図３５に示す本発明の実施例１９において、紐取付け部材１４０は次のような構成となっている。
飾り物品に取付けられる、逆Ｕ字形態の紐取付け部材本体１４１と、
この紐取付け部材本体１４１の天井部に設けられた、非ループの一本紐形態の紐を通しその結び目は通さない形態の紐通し結び目止め孔２６と、
紐取付け部材本体１４１の一方側にヒンジ部位１４２ａを介して設けられた回動体１４３ａと、
紐取付け部材本体１４１の他方側にヒンジ部位１４２ｂを介して設けられた回動体１４３ｂと、
回動体１４３ａに設けられた顎部１４４を有する嵌め込み雌部１４５と、
回動体１４３ｂの内側に突出形態で、その先端に顎部１４４に掛かる顎部１４６を有してなる、嵌め込み雌部１４５に嵌合する形態の嵌め込み雄部１４７と、を備えた構成となっている。
嵌め込み雄部１４７には、飾り物品に設けられている部材通し取付け部が中央に常に位置するように寄せる、寄せ凹１４８が形成されている。
紐取付け部材本体１４１の内側部位は、結び目収納部形成凹６７となっている
【００９４】
嵌め込み雄部１４７の部位を、飾り物品に設けられたループ紐、環部材、部材通し孔などの部材通し取付け部に通した状態にして、嵌め込み雌部１４５に嵌合する。
【００９５】
図３３においては、ストラップ紐に取付けられた環部材等を通し取付ける部材通し孔１５０を有する既成の飾り物品１５１に、部材通し孔からなる部材通し取付け部１５０に嵌め込み雄部１４７を通して紐取付け部材１４０を取付けている。
結び目収納部形成凹６７と飾り物品１５１とで結び目収納部１５２を形成する。
【００９６】
図３４においては、ストラップ紐に取付けられた環部材等を通し取付けるループ紐からなる部材通し取付け部１５４を有する既成の飾り物品１５５に、部材通し取付け部１５４に嵌め込み雄部１４７を通して紐取付け部材１４０を取付けている。
【００９７】
図３５においては、ストラップ紐に取付けられた環部材等を通し取付ける金属製環部材（ここでは、ヒートン）からなる部材通し取付け部１５７を有する飾り物品１５８に、部材通し取付け部１５７に嵌め込み雄部１４７を通して紐取付け部材１４０を取付けている。
【実施例２０】
【００９８】
図３６に示す本発明の実施例２０において、前記実施例１９と主に異なる点は、紐取付け部材本体１４１の上部側の側面を塞ぐ側面壁１６０ａ、１６０ｂを設け、それにより結び目収納部１６２を形成して、結び目３が隠れて見えないようにした紐取付け部材１６１を形成した点にある。
【実施例２１】
【００９９】
図３７に示す本発明の実施例２１において、紐取付け部材１６３は、
飾り物品に取付けられる、逆Ｕ字形態の紐取付け部材本体１６７と、
この紐取付け部材本体１６７の天井部に設けられた、非ループの一本紐形態の紐２は通しその結び目３は通さない形態の紐通し結び目止め孔２６と、
紐取付け部材本体１６７を形成している一方の側壁に貫通された、小凸凹螺旋凸凹形態ないし微細螺旋凸凹形態の孔面とされた嵌め込み雌部１６４と、
紐取付け部材本体１６７を形成している他方の側壁に貫通された、小凸凹螺旋凸凹形態ないし微細螺旋凸凹形態の孔面とされた嵌め込み雌部１６５と、
嵌め込み雌部１６４および嵌め込み雌部１６５に挿入嵌合される、小凸凹螺旋凸凹形態ないし微細螺旋凸凹形態の棒面とした嵌め込み雄部１６６と、とを備えた形態となっている。
嵌め込み雌部１６４あるいは嵌め込み雌部１６５の一方は、小凸凹螺旋凸凹形態ないし微細螺旋凸凹形態の無いストレート孔とするのもよい。
【０１００】
嵌め込み雌部１６４、嵌め込み雌部１６５および嵌め込み雄部１６６の小凸凹螺旋凸凹形態ないし微細螺旋凸凹形態は、進行方向である前面が傾斜形態であり、後ろ面は垂直ないし進行方向に傾斜した形態としている。
例えば、図３４に記載の部材通し取付け部１５４を紐取付け部材１６３内に位置させ、嵌め込み雄部１６６を嵌め込み雌部１６４に差し込み押し進め、部材通し取付け部１５４に嵌め込み雌部１６４を通し、嵌め込み雌部１６５に嵌め込み雌部１６４を挿入押し込む、という操作によって紐取付け部材１６３に飾り物品１５５を取付ける。
嵌め込み雌部１６５および嵌め込み雌部１６４の小凸凹螺旋凸凹形態ないし微細螺旋凸凹に、嵌め込み雄部１６６の小凸凹螺旋凸凹形態ないし微細螺旋凸凹が噛み合っているので、嵌め込み雄部１６６を引っ張っても抜けることはない。
その螺旋かみ合わせ形態によって嵌め込み雄部１６６をねじ解除側に回すことで、嵌め込み雄部１６６を容易に抜くことができる。
【実施例２２】
【０１０１】
図３８に示す本発明の実施例２２において、紐取付け部材１７０は、
飾り物品に取付けられる、バンド形態の紐取付け部材本体１７１と、
この紐取付け部材本体１７１の中ほどに設けられた、非ループの一本紐形態の紐２は通しその結び目３は通さない形態の紐通し結び目止め孔２６と、
紐取付け部材本体１７１の中ほどに設けられた肉厚部位１７７に形成された、紐通し結び目止め孔２６に連通した、結び目３を収納する下部開口形態の結び目収納部１７２と、
紐取付け部材本体１７１の一方端の肉厚部位に形成された、貫通孔形態の嵌め込み雌部１７３と、
紐取付け部材本体１７１の他方端にヒンジ部位１７４を介して設けられた、先端に顎部位１７５を有する嵌め込み雌部１７３に挿入嵌合される嵌め込み雄部１７６と、
肉厚部位１７７の左右に設けられたヒンジ部位１７８ａ、１７８ｂと、とを備えた形態となっている。
【実施例２３】
【０１０２】
図３９に示す本発明の実施例２３において、前記実施例２０と主に異なる点は、嵌め込み雌部を嵌め込み雌部１８０とし、嵌め込み雄部を嵌め込み雄部１８１とした紐取付け部材１８２を形成した点にある。
嵌め込み雌部１８０は、回動体１４３ａの下部に内側に突出するように設けた大凸部位１８３に設けられた、微細メスねじ状形態の嵌め込み穴からなっている。
嵌め込み雄部１８１は、回動体１４３ｂの下部に内側に突出するように設けた小凸部位１８４に設けられた、微細メスねじ状形態の嵌め込み棒体からなっている。
嵌め込み雄部１８１の嵌め込み雌部１８０への嵌合は嵌め殺し形態となる。
正面および背面ともに穴等が無いので、どちらを正面にしてもよい。
【実施例２４】
【０１０３】
図４０に示す本発明の実施例２４において、紐取付け部材１８６は、
バンド形態の紐取付け部材本体１８７と、
この紐取付け部材本体１８７の中央に設けられた、非ループの一本紐形態の紐２は通しその結び目３は通さない形態の紐通し結び目止め孔２６と、
紐取付け部材本体１８７の一方側に設けられた、孔形態の環部材通し取付部１８８と、
紐取付け部材本体１８７の他方側に設けられた、孔形態の環部材通し取付部１８９と、とを備えた形態となっている。
【０１０４】
端部解放形態の環部材１９０の端部をペンチ等で開き広げ、例えば、飾り物品１５５の部材通し取付け部１５４に通し、さらに、環部材通し取付部１８８および環部材通し取付部１８９に通して、端部を閉じ状態にして飾り物品１５５に取付け状態とする。
【実施例２５】
【０１０５】
図４１に示す本発明の実施例２５において、紐取付け部材１９１は、
紐取付け部材本体１９２と、
この紐取付け部材本体１９２の中央に設けられた、非ループの一本紐形態の紐２は通しその結び目３は通さない形態の紐通し結び目止め孔２６と、
この紐通し結び目止め孔２６に連通してその真下に設けられた、結び目３を収納する下部開口形態の結び目収納部１９３と、
紐取付け部材本体１９２の一方側に設けられた、孔形態で内側に凸部位ないし凹部位を有する嵌め込み雌部１９４と、
紐取付け部材本体１８７の他方側に設けられたコード部位１９５と、
このコード部位１９５の先端に設けられた、嵌め込み雌部１９４に挿入嵌合して嵌め殺しとなる、凹部位ないし凸部位を有する嵌め込み雄部１９６と、とを備えた形態となっている。
【０１０６】
嵌め込み雄部１９６およびコード部位１９５を例えば、飾り物品１５５の部材通し取付け部１５４に通し、さらに、嵌め込み雄部１９６を嵌め込み雌部１９４に挿入嵌合して飾り物品１５５に取付け状態とする。
【実施例２６】
【０１０７】
図４２に示す本発明の実施例２６において、前記実施例９と主に異なる点は、木ネジ状部位を、上部が環形体部位２００とされた一般的にヒートンと呼ばれる木ネジ状部位２０１とし、紐通し結び目止め孔を紐通し結び目止め孔５としてなる紐取付け部材２０２を形成した点にある。
結び目収納部２０３は止り穴形態である。
環形体部位２００は傾けた状態にするのもよい。
【産業上の利用可能性】
【０１０８】
本発明は、主に携帯ストラップ用パーツの製造・販売、携帯ストラップの製造・販売をする産業で利用される。
【符号の説明】
【０１０９】
１：紐取付け部材本体、
２：紐、
３：結び目、
４：結び目収納孔、
５：紐通し結び目止め孔、
６：下流側の口、
７：上流側の口、
１０：紐取付け部材、
１１：誘い込み、
１２：誘い込み、
１５：飾り物品本体、
１６：紐取付け部材付飾り物品、
１７：携帯ストラップ、
１８：携帯品、
１９：ストラップホール、
２０：アクセントパーツ、
２２：紐取付け部材付飾り物品、
２３：紐取付け部材、
２４：紐取付け部材本体、
２５：結び目収納部、
２６：紐通し結び目止め孔、
２８：紐取付け部材、
２９：細棒状部、
３０：顎部位、
３１：顎付き布地突刺し部、
３２：紐取付け部材付飾り物品、
３３：装飾パーツ、
３５：紐取付け部材、
３６：紐取付け部材付飾り物品、
３７：取付け部材本体、
３８：紐通し結び目止め孔、
３９：結び目収納部、
４０：取付け手段掛け部、
４１：環部材、
４２：突出部位、
４３：縫い糸、
４５：結び目収納部、
４６：紐取付け部材、
４７：紐取付け部材付飾り物品、
４８：紐取付け部材本体、
４９、４９：鍔部、
５０、５０：取付け手段掛け部、
５３：紐取付け部材、
５４：紐取付け部材付飾り物品、
５５、５５：取付け手段掛け部、
５７：紐取付け部材、
５８：紐取付け部材付飾り物品、
５９：装飾パーツ、
６０：装飾パーツ、
６１：携帯ストラップ、
６４：紐取付け部材、
６５：紐取付け部材付飾り物品、
６６：紐取付け部材本体、
６７：結び目収納部形成凹、
６８：顎部位、
６９、６９、６９、６９：顎付き布地突刺し部、
７０：携帯ストラップ、
７３：飾り物品、
７４：紐取付け部材、
７５：紐取付け部材付飾り物品、
７６：木ネジ状部位、
７７：携帯ストラップ、
８０：包装された紐取付け部材、
８１：包装容器、
８２：接着剤、
８４：紐取付け部材、
８５：紐取付け部材付飾り物品、
８６：嵌め込み穴、
８７：突出部位、
８８：嵌入突部位、
８９：装飾パーツ、
９０：突き刺し部位、
９１：携帯ストラップ、
９２：突起部位、
９３：装飾パーツ本体、
９５：紐取付け部材、
９６ａ、９６ｂ：嵌め込み穴、
９７：結び目収納部、
９８：傾斜面、
９９：嵌入突部位、
１００：装飾パーツ、
１０１：装飾パーツ本体、
１０３：紐取付け部材、
１０４：連絡部、
１０５：紐誘い込み孔、
１０８：装飾パーツ、
１０９：嵌入突部位、
１１１：装飾パーツ、
１１２：連絡部、
１１３：紐出入部、
１１４：嵌入突出部位、
１１６：紐取付け部材、
１１７：軟質性覆部材、
１１８、１１８：開口、
１１９：紐通し孔、
１２０：覆部材本体、
１２１：紐取付け部材付飾り物品、
１２２：携帯ストラップ、
１２３：収納部、
１２４：紐取付け部材、
１２５：下凸部位、
１２６：糸隠し溝、
１２７：軟質性覆部材、
１２８：覆部材本体、
１２９：顎部、
１３０：上部開口部、
１３１：顎部、
１３２：下部開口部、
１３３：紐取付け部材付飾り物品、
１３４：携帯ストラップ、
１３６：紐取付け部材、
１３７：接着剤掛り箇所、
１３８：接着剤掛り部、
１４０：紐取付け部材、
１４１：紐取付け部材本体、
１４２ａ、１４２ｂ：ヒンジ部位、
１４３ａ、１４３ｂ：回動体、
１４４：顎部、
１４５：嵌め込み雌部、
１４６：顎部、
１４７：嵌め込み雄部、
１４８：寄せ凹、
１５０：部材通し孔、
１５１：飾り物品、
１５２：結び目収納部、
１５４：部材通し取付け部、
１５５：飾り物品、
１５７：部材通し取付け部、
１５８：飾り物品、
１６０ａ、１６０ｂ：側面壁、
１６１：紐取付け部材、
１６２：結び目収納部、
１６３：紐取付け部材、
１６４：嵌め込み雌部、
１６５：嵌め込み雌部、
１６６：嵌め込み雄部、
１７０：紐取付け部材、
１７１：紐取付け部材本体、
１７２：結び目収納部、
１７３：嵌め込み雌部、
１７４：ヒンジ部位、
１７５：顎部位、
１７６：嵌め込み雄部、
１７７：肉厚部位、
１７８ａ、１７８ｂ：ヒンジ部位、
１８０：嵌め込み雌部、
１８１：嵌め込み雄部、
１８２：紐取付け部材、
１８３：大凸部位、
１８４：小凸部位、
１８６：紐取付け部材、
１８７：紐取付け部材本体、
１８８：環部材通し取付部、
１８９：環部材通し取付部、
１９１：紐取付け部材、
１９２：紐取付け部材本体、
１９３：結び目収納部、
１９４：嵌め込み雌部、
１９５：コード部位、
１９６：嵌め込み雄部、
２００：環形体部位、
２０１：木ネジ状部位、
２０２：紐取付け部材、
２０３：結び目収納部。
【図１】
2015205106.tif 000003
【図２】
2015205106.tif 000004
【図３】
2015205106.tif 000005
【図４】
2015205106.tif 000006
【図５】
2015205106.tif 000007
【図６】
2015205106.tif 000008
【図７】
2015205106.tif 000009
【図８】
2015205106.tif 000010
【図９】
2015205106.tif 000011
【図１０】
2015205106.tif 000012
【図１１】
2015205106.tif 000013
【図１２】
2015205106.tif 000014
【図１３】
2015205106.tif 000015
【図１４】
2015205106.tif 000016
【図１５】
2015205106.tif 000017
【図１６】
2015205106.tif 000018
【図１７】
2015205106.tif 000019
【図１８】
2015205106.tif 000020
【図１９】
2015205106.tif 000021
【図２０】
2015205106.tif 000022
【図２１】
2015205106.tif 000023
【図２２】
2015205106.tif 000024
【図２３】
2015205106.tif 000025
【図２４】
2015205106.tif 000026
【図２５】
2015205106.tif 000027
【図２６】
2015205106.tif 000028
【図２７】
2015205106.tif 000029
【図２８】
2015205106.tif 000030
【図２９】
2015205106.tif 000031
【図３０】
2015205106.tif 000032
【図３１】
2015205106.tif 000033
【図３２】
2015205106.tif 000034
【図３３】
2015205106.tif 000035
【図３４】
2015205106.tif 000036
【図３５】
2015205106.tif 000037
【図３６】
2015205106.tif 000038
【図３７】
2015205106.tif 000039
【図３８】
2015205106.tif 000040
【図３９】
2015205106.tif 000041
【図４０】
2015205106.tif 000042
【図４１】
2015205106.tif 000043
【図４２】
2015205106.tif 000044
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有してなり、
前記紐通し結び目止め孔から挿入されて前記結び目収納部あるいは前記結び目収納部形成凹に入った前記紐を外に出すための口が前記紐取付け部材の側部に設けられ、
前記紐取付け部材に前記他の部材を前記介したままの状態で、前記紐取付け部材の側部に設けられ前記口から前記紐を外へ出して前記結び目の形成ができることを特徴とする紐取付け部材付飾り物品。
【請求項２】
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有し、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材付飾り物品。
【請求項３】
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位、あるいは、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記紐通し結び目止め孔から挿入されて前記結び目収納部あるいは前記結び目収納部形成凹に入った前記紐を外に出すための口が前記紐取付け部材の側部に設けられ、
前記紐取付け部材に前記他の部材を前記介したままの状態で、前記紐取付け部材の側部に設けられ前記口から前記紐を外へ出して前記結び目の形成ができることを特徴とする紐取付け部材。
【請求項４】
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記結び目を収納する結び目収納部と、
前記紐取付け部材本体に設けられた嵌め込み雌部と、
前記紐取付け部材本体に設けられた前記嵌め込み雌部に嵌合する形態の嵌め込み雄部と、を備えるとともに、
前記嵌め込み雌部を有する部位および前記嵌め込み雄部を有する部位あるいはいずれか一方の部位が、前記飾り物品に設けられたループ紐、環部材、部材通し孔などの部材通し取付け部に通されて前記嵌合されるものであり、
前記紐通し結び目止め孔から挿入されて前記結び目収納部あるいは前記結び目収納部形成凹に入った前記紐を外に出すための口が前記紐取付け部材の側部に設けられ、
前記紐取付け部材の側部に設けられ前記口から前記紐を外へ出して前記結び目の形成ができることを特徴とする紐取付け部材。
【請求項５】
飾り物品に取付けられる紐取付け部材本体と、
この紐取付け部材本体に設けられた、非ループの一本紐形態の紐を通しその結び目は通さない形態の紐通し結び目止め孔と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能とし、
前記環部材通し孔に前記環部材を通し取付けた形態のまま、該紐通し結び目止め孔から挿入した前記紐を、前記紐取付け部材本体の側部側から外に出して前記結び目が形成できる形態であることを特徴とする紐取付け部材。
【請求項６】
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材。
【手続補正２】
【補正対象書類名】明細書
【補正対象項目名】全文
【補正方法】変更
【補正の内容】
【発明の詳細な説明】
【技術分野】
【０００１】
本発明は、主に携帯ストラップに付ける飾り物品を、該携帯ストラップを構成する非ループの一本紐形態の紐を、取り換え可能形態で取付けることが可能な紐取付け部材付飾り物品、取付け部材および包装された紐取付け部材に関する。
【背景技術】
【０００２】
従来、特許文献１の発明と特許文献２の発明が知られている。
特許文献１の発明は、レジンキャスト・コールドキャスト・ソフビ・塩ビなどのプラスチック製部材、ゴム製部材あるいは木製部材などからなるフィギアと呼ばれる、人形などの飾り物品の頭部横から水平に貫通状態で、非ループの一本紐形態の紐（ストラップ本体４）の一回結び目（結び目５２）が入る孔径の結び目収納部（結び目入り孔１９２）を設け、さらに、頭頂部から垂直に結び目収納部に直角に連通する、非ループの一本紐形態の紐は通るがその結び目は通らないで止められる孔径の紐通し結び目止め孔（結び目止め孔１９３）を設けた構成となっている。
【０００３】
特許文献２の発明は、長物の円筒柱形態の第１の連結片と該第１の連結片に螺合連結される円柱形態の第２に連結ヘントからなっている。
前記第１の連結片は、ループを形成する二本紐形態が通りかつ該二本紐による結び目は通らない孔径である紐通し結び目止め孔（挿通孔１ｂ）が設けられ、結び目が位置する側には該結び目を収納する結び目収納部が設けられ、その結び目収納部の外周には雄ねじが螺刻されている。
第２の連結片は、一方側には前記第１の連結片の前記雄ねじに螺合する雌ねじが螺刻され、他方端には環状の取付部２ｃが設けられ、該取付部２ｃには環部材や鎖などを介して飾り物品（アクセサリーＢ）を取付けられるようになっている。
【先行技術文献】
【特許文献】
【０００４】
【特許文献１】特開2013-046726号公報（段落［００４７］、図２３）
【特許文献２】実登3065352号公報
【発明の概要】
【発明が解決しようとする課題】
【０００５】
特許文献１の発明は、飾り物品そのものに紐通し結び目止め孔および結び目収納部を形成してなるものであり、ぬいぐるみなどの布製品、軟らかい合成樹脂製部材やゴム製品などの飾り物品そのものには紐通し結び目止め孔および結び目収納部を形成することが出来ないので、これらには非ループの一本紐をその結び目によって連結するということが出来ないという問題があった。
軟らかい合成樹脂製部材やゴム製品などからなる飾り物品は、紐通し結び目止め孔および結び目収納部を形成しても、強めに引っ張られると結び目は、紐通し結び目止め孔を押し広げて該紐通し結び目止め孔に入り抜けてしまう危険が大である。
【０００６】
また、紐通し結び目止め孔に挿入した紐の先端は、結び目収納部の進行当り面に直角に当たるのでそこで止められスムーズに結び目収納部外に出せない、そのまま押し込むと先端の向きが変わる前に紐が腰砕けとなり、紐の堅さしなやかさが失われてしまう、そうなるとスムーズに結び目収納部で向きを変えさせることもスムーズに出すこともできないものとなり、手のみによる紐通し操作がスムーズにでき難いという欠点を有するものであった。
紐が腰砕けになった場合、その部分を切り取って新たに差し込み抜け出し操作（作業）を行なわなければならないものであった。
【０００７】
特許文献２の発明は次に述べるような欠点を有するものである。
（１）ループを形成する二本紐形態が通る紐通し結び目止め孔は、非ループの一本紐形態の紐の結び目を抜けないように止めるには孔径が大きすぎ、紐が強く引っ張られると非ループの一本紐形態の一回結び目が、二本紐が通る紐通し結び目止め孔に入り込んでしまう可能性があり、紐が抜け外れてしまう危険があるものであり、よって、非ループの一本紐形態の紐による飾り物品の連結ができないものであった。
（２）飾り物品は、雄ねじを有する長物の第１の連結片に連結された第２の連結片の取付部２ｃに環部材や鎖を介して取付けるものであるので、部品点数が多いのでコスト高になる、第１の連結片と第２の連結片からなる紐取付け部材付飾り物品が長物であるので、長すぎる、重い、目立ちすぎるという欠点を有するものであった。
（３）  また、携帯電話のストラップホールにループ紐を通し取付ける操作は、飾り物品が取付けられた第２の連結片と第１の連結片とを分離した状態、すなわち、第１の連結片のみの状態でストラップホールを通した紐のループに該第１の連結片を潜らせて取付け、ストラップホール取付後に第２の連結片を螺合連結するという、煩雑な操作をしなければならないものであった。
特に、紐通し結び目止め孔に通す、ループを形成する二本紐形態は、解放端である二つの紐先端を合わせて外側から紐通し結び目止め孔に入れようとすると、合わせた紐端は紐通し結び目止め孔の開口に当たりすぐにほつれ広がるので、外側からは入れ通す操作が容易でないものである。よって、ほつれの生じない紐のループの先端を合せて、結び目収納部側から入れることになるのであるが、結び目収納部は結び目が自在に回ることが出来る程度に深いので、合わせたループが紐通し結び目止め孔に入る前に広がり容易には入らないものである。よって、外側から折合せた細い線部材を通し結び目収納部側に出し、その出たループ部位に紐を潜らせ、線部材を引っ張って紐を第１の連結片外に出す操作をしなければならないものである。よって、折合せて紐通し結び目止め孔を楽に通る線部材が無ければ、ループ紐の交換はできないものであった。
（４）雄ねじと雌ねじとの螺合連結であるので、螺合が緩み外れる危険があるものである。
【０００８】
本発明は以上のような従来技術の欠点に鑑み、非ループの一本紐形態の紐を通しその結び目は通さない紐通し結び目止め孔および前記結び目を収納する結び目収納部を有さない飾り物品において、非ループの一本紐形態の紐と飾り物品を該非ループの一本紐形態の紐の結び目によって連結することを可能とする、紐取付け部材付飾り物品、取付け部材および包装された紐取付け部材を提供することを目的としている。
【課題を解決するための手段】
【０００９】
上記目的を達成するために、本発明は次に述べるような構成としている。
＜請求項１記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有してなり、
前記紐通し結び目止め孔から挿入されて前記結び目収納部あるいは前記結び目収納部形成凹に入った前記紐を外に出すための口が前記紐取付け部材の側部に設けられ、
前記紐取付け部材に前記他の部材を前記介したままの状態で、前記紐取付け部材の側部に設けられ前記口から前記紐を外へ出して前記結び目の形成ができることを特徴とする紐取付け部材付飾り物品である。
【００１０】
【００１１】
【００１２】
【００１３】
【００１４】
【００１５】
【００１６】
＜請求項２記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有し、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材付飾り物品である。
【００１７】
請求項２記載の発明の実施例は、図２，３，４，５，１６，１９等の実施例が対応している。
【００１８】
【００１９】
【００２０】
＜請求項３記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位、あるいは、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記紐通し結び目止め孔から挿入されて前記結び目収納部あるいは前記結び目収納部形成凹に入った前記紐を外に出すための口が前記紐取付け部材の側部に設けられ、
前記紐取付け部材に前記他の部材を前記介したままの状態で、前記紐取付け部材の側部に設けられ前記口から前記紐を外へ出して前記結び目の形成ができることを特徴とする紐取付け部材である。
【００２１】
請求項３記載の発明の実施例は、図１３、１４、４２等の実施例が対応している。
【００２２】
＜請求項４記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記結び目を収納する結び目収納部と、
前記紐取付け部材本体に設けられた嵌め込み雌部と、
前記紐取付け部材本体に設けられた前記嵌め込み雌部に嵌合する形態の嵌め込み雄部と、を備えるとともに、
前記嵌め込み雌部を有する部位および前記嵌め込み雄部を有する部位あるいはいずれか一方の部位が、前記飾り物品に設けられたループ紐、環部材、部材通し孔などの部材通し取付け部に通されて前記嵌合されるものであり、
前記紐通し結び目止め孔から挿入されて前記結び目収納部あるいは前記結び目収納部形成凹に入った前記紐を外に出すための口が前記紐取付け部材の側部に設けられ、
前記紐取付け部材の側部に設けられ前記口から前記紐を外へ出して前記結び目の形成ができることを特徴とする紐取付け部材である。
【００２３】
請求項４記載の発明の実施例は、図３１〜３９、４１等の実施例が対応している。
【００２４】
＜請求項５記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能とし、
前記環部材通し孔に前記環部材を通し取付けた形態のまま、該紐通し結び目止め孔から挿入した前記紐を、前記紐取付け部材本体の側部側から外に出して前記結び目が形成できる形態であることを特徴とする紐取付け部材である。
【００２５】
請求項５記載の発明の実施例は、図４０等の実施例が対応している。
【００２６】
【００２７】
【００２８】
＜請求項６記載の発明＞
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材である。
【００２９】
請求項６記載の発明の実施例は、図２〜５、１６、１９等の実施例が対応している。
【００３０】
【００３１】
【発明の効果】
【００３２】
以上の説明から明らかなように、本発明にあっては次に列挙する効果が得られる。
＜請求項１記載の発明の効果＞
飾り物品が、落下防止を目的とする指や手首を通し掛ける形態の落下防止用飾り物品を除く飾り物品、例えばぬいぐるみ、フィギュア、木人形、ゴム製人形などの飾り物品であても、
その飾り物品本体とは別体からなる、非ループの一本紐形態の紐を通しその結び目は通さない紐通し結び目止め孔を備え、前記結び目を収納する前記結び目通し止孔に連通した結び目収納部を有し、あるいは前記結び目を収納する前記結び目通し止孔に連通した結び目収納部を前記飾り物品本体とによって形成する紐取付け部材を備えているので、紐通し結び目止め孔に通した非ループの一本紐形態の紐に結び目を形成することによって、好みの長さの非ループの一本紐によるシンプルな構成の携帯ストラップ等を、誰でも簡単に素早く形成できるという効果を奏する。
また、紐の長さを長めとすることにより、使用しながら好みの長さを見極め、その好み長さとなる部位に結び目を形成して、好みの紐長さを簡単に得ることができる。
【００３３】
また、紐を切れる、ハサミ、爪切あるいはカッターなどの身近な切断具で切断して結び目を取り出し、新しい紐（長さは自由、紐色自由）に取り換えることができ、そのさい、異なる飾り物品との連結形態の携帯ストラップ等を形成するが、簡単容易にできる。
すなわち、身近な切断具と交換紐さえあれば、いつでも、簡単で素早く紐色、他方に連結する飾り物品を選んで、それらの好みの組み合わせによる前とは異なる携帯ストラップを簡単に素早く実現できる。
【００３４】
また、紐取付け部材の前部面に、リボン、ハート、模様、絵柄などの装飾部品（素材は布、プラスチック、ゴム、金属、木製などいろいろである。）を接着剤（粘着剤含む）で接着して設けることができるので、使用者が好みの装飾部品を接着剤で接着して装飾することが、簡単で容易にできる。
【００３５】
【００３６】
【００３７】
【００３８】
【００３９】
＜請求項２記載の発明の効果＞
請求項１記載の発明と同様な効果を奏するとともに、紐通し結び目止め孔に挿入した紐の先端は進行当り面に対して直角には当たらず傾斜向きであたるので、紐は結び目収納部内で腰砕けとならないで、極めてスムーズに向きを変えて進行させて、結び目収納部の外に出せるという、手のみの紐通し操作が、誰でもが簡単スムーズに行うことを可能にするという効果を奏する。
【００４０】
【００４１】
【００４２】
＜請求項３記載の発明の効果＞  ００３７、００３８の記載を移した。
前記請求項１記載の発明と同様な効果を奏するとともに、ゴム製部材、プラスチック製部材、木製部材などに下穴なしでねじ込むことが出来る木ネジ状部位をねじ込み可能部材である飾り物品本体に、木ネジ状部位をねじ込むだけの簡単操作で、紐取付け部材付飾り物品を形成できるとう効果を奏する。
接着剤との併用でない場合は、逆回しによる取外しができる。
また、特にぬいぐるみである飾り物品本体および木ネジ状部位側に接着剤を付け、あるいは一方側に接着剤を付け、飾り物品本体に木ネジ状部位をねじ込みないし突き刺した取付け状態とすることにより、木ネジ状部位に付いた接着材によって、飾り物品本体の内部部材（一般的には綿状部材が多い）が、ねじ込んだ場合は木ネジ状部位に巻き付き接着されるので、紐取付け部材の接着保持力が著しく強化され、外れることのない取付けを実現する。
木ネジ状部位をねじ込まず突き刺した取付け状態としても、木ネジ状部位の螺旋凸凹ネジ部位の接着剤に内部部材が接着されるので、これでも、保持力が著しく強化され、容易には外れることのない取付け状態を実現する。
また、木ネジ状部位に接着剤が付きぬいぐるみの中で接合がされるので、ぬいぐるみ表面の接着剤の量を少なくでき、紐取付け部材とぬいぐるみの間からはみ出る接着剤の量を少なくできる、美観を損ねない程度の接着剤量にできる。
【００４３】
＜請求項４記載の発明の効果＞
ループ紐、環部材、部材通し孔などの部材通し取付け部を有する既成の飾り物品に、嵌め込み雌部を有する部位および嵌め込み雄部を有する部位あるいはいずれか一方の部位を、前記部材通し取付け部に通し嵌合することで、既成の飾り物品に非ループの一本紐形態の紐を通しその結び目は通さない形態の紐通し結び目止め孔を有する紐取付け部材を簡単に取付けることができ、これによって、既成の飾り物品にも結び目形成操作による非ループの一本紐を簡単に取付けた、携帯ストラップ等を作成できるとい効果を奏する。
【００４４】
＜請求項５記載の発明の効果＞
ループ紐、環部材、部材通し孔などの部材通し取付け部を有する既成の飾り物品に、端部を離し開口を広げた環部材を前記部材通し取付け部に通し、さらに、環部材通し孔に通して、前記広げた前記端部を近づけ閉じ状態にすることで、既成の飾り物品にも結び目形成操作による非ループの一本紐を簡単に取付けた、携帯ストラップ等を作成できるとい効果を奏する。
【００４５】
【００４６】
＜請求項６記載の発明の効果＞
前記請求項２記載の発明と同様な効果を奏する。
【００４７】
【図面の簡単な説明】
【００４８】
【図１】本発明の実施例１の携帯ストラップ形成使用状態例図。
【図２】本発明の実施例１の紐取付け部材の平面図、正面図および紐が通され結び目が収納された状態の平面図中央横切断断面図。
【図３】本発明の実施例２の紐取付け部材の断面図および紐取付け部材付飾り物品の頭部側面図。
【図４】本発明の実施例３の紐取付け部材の断面図、取付け手順および紐取付け部材付飾り物品の頭部側面図。
【図５】本発明の実施例４の紐取付け部材の断面図および紐取付け部材付飾り物品の頭部正面図。
【図６】本発明の実施例４の紐取付け部材の異なる取付け方をした頭部正面図。
【図７】本発明の実施例５の紐取付け部材の平面図、正面図および紐取付け部材付飾り物品の頭部正面図。
【図８】本発明の実施例６の紐取付け部材の平面図、正面図および紐取付け部材付飾り物品の頭部正面図。
【図９】本発明の実施例７の紐取付け部材の正面図、平面図およびＡ−Ａ線切断断面図。
【図１０】本発明の実施例７の携帯ストラップの正面図。
【図１１】本発明の実施例８の紐取付け部材の平面図、正面図および紐を取付けた状態の拡大側面図。
【図１２】本発明の実施例８の携帯ストラップの正面図。
【図１３】本発明の実施例９の紐取付け部材の紐を取付けた状態の断面図。
【図１４】本発明の実施例９の携帯ストラップの正面図。
【図１５】本発明の実施例１０の正面図。
【図１６】本発明の実施例１１の平面図、側面図、正面図、背面図、底面図およびＡ−Ａ線切断拡大断面図。
【図１７】本発明の実施例１１の装飾パーツの背面図および側面図、装飾パーツを取付けた状態に側面図および正面図。
【図１８】本発明の実施例１１の携帯ストラップの正面図。
【図１９】本発明の実施例１２の平面図、右側面図、左側面図、正面図、底面図、Ａ−Ａ線切断拡大断面図およびＢ−Ｂ線切断拡大断面図。
【図２０】本発明の実施例１２の装飾パーツの正面図および側面図、紐取付け部材に装飾パーツを取付けた状態の側面図。
【図２１】本発明の実施例１３の装飾パーツの正面図、側面図および装飾パーツを紐取付け部材に取付けた状態の側面図。
【図２２】本発明の実施例１４の装飾パーツの正面図、側面図および装飾パーツを紐取付け部材に取付けた状態の部分断面側面図。
【図２３】本発明の実施例１５の装飾パーツの正面図、側面図および装飾パーツを紐取付け部材に取付け紐を通し結び目を形成した状態の部分断面側面図。
【図２４】本発明の実施例１６の紐取付け部材の側面図中央縦断面図。
【図２５】本発明の実施例１６の携帯ストラップの正面図。
【図２６】本発明の実施例１７の紐取付け部材の平面図、右側面図、左側面図、正面図、底面図、Ａ−Ａ線切断拡大断面図。
【図２７】本発明の実施例１７の軟質性覆部材の平面図、右側面図、左側面図、正面図、底面図、Ａ−Ａ線切断拡大断面図および紐取付け部材に被せた状態の拡大断面図。
【図２８】本発明の実施例１７の紐取付け部材付飾り物品の部分断面部分図。
【図２９】本発明の実施例１７の形態ストラップの正面図。
【図３０】本発明の実施例１８の紐取付け部材の側面図、底面図および飾り物品への取付け態を示す部分断面部分図。
【図３１】本発明の実施例１９の紐取付け部材の開き状態の側面図および嵌合閉じ状態の側面図。
【図３２】本発明の実施例１９の平面図、左側面図、正面図、背面図、底面図およびＡ−Ａ線切断拡大断面図。
【図３３】本発明の実施例１９の飾り物品の正面図および紐取付け部材の飾り物品への取付け状態を示す側面図。
【図３４】本発明の実施例１９の紐取付け部材の飾り物品への取付け状態を示す側面図。
【図３５】本発明の実施例１９飾り物品の正面図および紐取付け部材の飾り物品への取付け状態図。
【図３６】本発明の実施例２０の平面図、左側面図、正面図、底面図およびＡ−Ａ線切断拡大断面図。
【図３７】本発明の実施例２１の平面図、左側面図、正面図、背面図、底面図およびＡ−Ａ線切断拡大断面図。
【図３８】本発明の実施例２２の開いた状態の正面図、底面図および嵌合閉じ状態正面図。
【図３９】本発明の実施例２３の断面図。
【図４０】本発明の実施例２４の正面図、底面図および飾り物品への取付け状態図。
【図４１】本発明の実施例２５の平面図、正面図および飾り物品への取付け状態図。
【図４２】本発明の実施例２６の断面図。
【発明を実施するための形態】
【００４９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００５０】
図１、図２に示す本発明の実施例１において、ぬいぐるみである飾り物品本体１５の頭部に、接着剤（ホットメルトが好適であるが、他の接着剤でもよい。）により紐取付け部材１０が接着取付けてなる紐取付け部材付飾り物品１６を形成している。
紐取付け部材１０は、円盤形態の紐取付け部材本体１に、太さ０．８ｍｍあるいは１ｍｍの非ループの一本紐形態である紐２の結び目３を収納することができる結び目収納孔４と、この結び目収納孔４に連絡された、紐２は通るが結び目３は通らない形態の孔径１ｍｍ〜１．２ｍｍあるいは１．２ｍｍ〜１．４ｍｍの紐通し結び目止め孔５を備えてなるとともに、
結び目収納孔４と紐通し結び目止め孔５との連絡が、結び目収納孔４を水平とした場合においては、紐通し結び目止め孔５が真直ぐに傾斜した非直角交差形態である傾斜連絡形態である。結び目収納孔４は貫通孔であり、紐通し結び目止め孔５の傾斜側の口が下流側の口６とし、他方の口を上流側の口７としている。
【００５１】
紐２は、ストラップ紐と呼ばれている、中に芯糸を有する編組網の紐で、曲ったストラップホールに挿入しやすい硬さとしなやかさを備えた紐でが好適であり、太さは０．８ｍｍが一般的である。
【００５２】
紐通し結び目止め孔５の開口には紐２を差し込みやすく案内する誘い込み１１が形成され、下流側の口６の開口には結び目３を引き込み易くするための誘い込み１２が形成されている。
【００５３】
紐２の一方の側を紐通し結び目止め孔５から挿入し、押しこみ操作して結び目収納孔４内を進めて該結び目収納孔４の下流側の口６から出して一方側の紐突出部位を形成し、この一方側の紐突出部位に一方側の結び目である結び目３を形成して、この結び目３を結び目収納孔４内に引き込み収納状態とする。
結び目３は紐通し結び目止め孔５よりもかなり大きい形態であるので、結び目３は結び目収納孔４に止められて抜けない形態となる。
【００５４】
紐２の他方側には、紐取付け部材１０と同様な紐通し結び目止め孔５と結び目収納孔４を備えた構成のアクセントパーツ２０が取付けられ、アクセントパーツ２０、紐２および紐取付け部材付飾り物品１６で携帯ストラップ１７を形成している。
何も付けていない端部フリー状態の携帯品１８のストラップホール１９に紐２の他方側を一本紐形態で通し出してから、該他方側にアクセントパーツ２０に通し、外に出した部位に結び目を形成、該結び目を結び目収納部に引き込み取付け状態としている。
【００５５】
携帯ストラップ１７のストラップホール１９への他の取付方法として、あらかじめアクセントバーツ１５を紐２の他方側に付けた携帯ストラップ完成形態としておいて、その紐２を折り畳み合わせた合わせ二本形態にして、ストラップホール１９に差し込んでその出た部位を引き出して潜らせループを形成し、その潜らせループにアクセントパーツ１１を潜らせたパーツ潜らせ状態にして、紐２を引いて潜らせループを締めるとことで、抜けないように取付ける方法もある。
【００５６】
結び目収納孔４と紐通し結び目止め孔５との連絡は、非直角交差形態である傾斜連絡形態である。
この非直角交差形態である傾斜連絡形態（以下「紐当たり面傾斜形態」ともいう。）という構成によって、手操作によって紐通し結び目止め孔５から挿入した紐２の先端は、紐通し結び目止め孔５に対して下り傾斜面となっている結び目収納孔４の壁面に当たるのであるが、そのまま押し込むと下り傾斜面であるために紐２の先端の向きを下り傾斜方向（下流側）に殆ど抵抗なく容易円滑に向かせて、そのまま紐２を押し込み進めて、容易円滑に結び目収納孔４の下流側の口６から紐２の先端を外に出すことができるという効果を奏する。
【００５７】
また、結び目収納孔４と紐通し結び目止め孔５との連絡が、非直角交差形態である傾斜連絡形態が、直角交差形態よりも広い広角交差形態であるので、結び目収納孔４と紐通し結び目止め孔５の交差部位での紐２の曲りは、緩やかな曲り形態となる。
この紐２の緩やかな角曲り形態が、紐２の押し込み移動を抵抗の少ない、手操作のみで誰でも簡単、容易に行えるものにしている
これによって、誰でもが手のみによる取付け操作で、簡単に紐取付け部材１０に紐２を通し取付けて、携帯ストラップ等を作成することができる。
【００５８】
結び目収納孔４が貫通孔であることから、紐付き状態の紐取付け部材１０の紐２を紐通し結び目止め孔５の口付近で切断し、結び目収納孔４の上流側の口７から針金クリップを延ばしたものなどを挿入して、結び目３を押し出すことが簡単にできる。
結び目収納孔４から結び目３を出した紐取付け部材１０は、新たに紐２を取り付けて、あるいは新たな紐２に取り付けて、何回でも携帯ストラップ等を作り直すことができる。
【００５９】
紐取付け部材の形態は、星形、ハート形、キャラクター等の顔、ロゴ、マーク、花形、果物型、人型、動物形、山形、何らかのシンボル形など多様な形態のものがある。
【実施例２】
【００６０】
図３に示す本発明の実施例２において前記実施例１と主に異なる点は、紐取付け部材を紐取付け部材２３とした紐取付け部材付飾り物品２２を形成した点にある。
紐取付け部材２３は、略四角体の紐取付け部材本体２４の側部に、止まり穴形態であけられた、底面が下り傾斜形態の紐２の結び目３が収納される結び目収納部２５と、この結び目収納部２５に上部からに垂直に連通された、非ループの一本紐形態である紐２は通すがその結び目は通さない孔形態の紐通し結び目止め孔２６を備えた形態となっている。
【００６１】
紐通し結び目止め孔２６に挿入した紐２の先端は進行当り面（結び収納部２５の傾斜底面）に対して直角には当たらず傾斜向きであたるので、紐２は結び目収納部２５内で腰砕けとならないで、極めてスムーズに向きを変えて進行して、結び目収納部２５の外にでるという、手のみでの紐通し操作が誰でも簡単に容易にスムーズにできることを実現している。
【実施例３】
【００６２】
図４に示す本発明の実施例３において前記実施例２と主に異なる点は、紐取付け部材を紐取付け部材２８とした紐取付け部材付飾り物品３２を形成した点にある。
紐取付け部材２８は、紐取付け部材本体２４の下部に細棒状部２９の下部端に可動可能な顎部位３０を有する、ぬいぐるみに突き刺さる顎付き布地突刺し部３１が設けられている。
紐取付け部材本体１に顎部位３０を縦状態にして顎付き布地突刺し部３１を突き刺して、引くことにより顎部位３０が横になり抜けないように取付けられている。
取付け部材付飾り物品を、接着剤および道具無しで、手のみの突き刺し取付け操作で実現する。
【００６３】
細棒状部２９に短い多数の顎を形成するのもよい。この場合、顎部位３０は無くてもあってもよい。
【００６４】
紐取付け部材２８の前部面に花形態の装飾パーツが接着剤で接着している。
このように、紐取付け部材を飾り物品本体の外に設けた形態によって、多様な模様、多様な絵柄、多様なロゴなどの装飾パーツ（素材は布、プラスチック、ゴム、金属、木製などいろいろである。）を接着剤（粘着剤含む）で接着して設けるのもよい。
使用者が手持ちの好みの装飾パーツを接着剤で接着して装飾することを可能としている。
【実施例４】
【００６５】
図５、図６に示す本発明の実施例４において前記実施例１と主に異なる点は、紐取付け部材を紐取付け部材３５とした紐取付け部材付飾り物品３６を形成した点にある。
紐取付け部材３５は、略四角体の紐取付け部材本体３７に、その上部から紐２の非ループの一本紐形態は通るがその結び目３は通らない傾斜孔形態の紐通し結び目止め孔３８が設けられ、側部からは結び目３を収納するストレート貫通孔形態の結び目収納部３９が紐通し結び目止め孔３８に連通して設けられ、底部には突出部位４２が設けられ、突出部位４２には環部材通し孔４０が形成された形態となっている。
【００６６】
図５においては、飾り物品本体１５の頭部に金属製の端部解放の環部材４１が端部を解放して差し込まれ、解放された端部を取付け手段掛け部４０に通して掛け、端部を閉じ状態にして取付けられている。
【００６７】
図６においては、飾り物品本体１５の頭部に縫い糸４３を孔形態の取付け手段掛け部４０に通し縫い付け掛けることで取付けられている。
【００６８】
突出部位４２および環部材通し孔４０を設けない形態とし、結び目収納部３９を３ｍｍ〜６ｍｍの孔径として、縫い糸４３を結び目収納部３９に通し縫い付け掛けることで取付けられているものもよい。
【実施例５】
【００６９】
図７に示す本発明の実施例５において前記実施例２と主に異なる点は、紐取付け部材を紐取付け部材４６とした紐取付け部材付飾り物品４７を形成した点にある。
紐取付け部材４６は、略四角体の紐取付け部材本体４８に、その上部から紐２の非ループの一本紐形態は通るがその結び目３は通らない垂直孔形態の紐通し結び目止め孔２６が設けられ、側部からは結び目３を収納する底部面傾斜貫通孔形態の結び目収納部４５が紐通し結び目止め孔２６に連通して設けられ、側面下部両側には鍔部４９、４９が設けられ、該鍔部４９、４９には取付け手段である縫い糸４３が通し掛けられる、孔からなる取付け手段掛け部５０，５０が設けられた形態となっている。
【実施例６】
【００７０】
図８に示す本発明の実施例６において前記実施例５と主に異なる点は、紐取付け部材を紐取付け部材５３とした紐取付け部材付飾り物品５４を形成した点にある。
紐取付け部材５３は、紐取付け部材４６の鍔部４９，４９および取付け手段掛け部５０，５０に変えて、横に突出した先端部を前後に幅広形態として形成した凹部位からなる取付け手段掛け部５５，５５を形成した形態である。
取付け手段掛け部５５，５５に縫い糸４３を縫い掛けて、紐取付け部材５３を紐取付け部材本体４３に取付けている。
【実施例７】
【００７１】
図９、図１０に示す本発明の実施例７において前記実施例５と主に異なる点は、紐取付け部材を紐取付け部材５７とし、該紐取付け部材５７を接着剤により飾り物品本体１５に接着取付け固定した紐取付け部材付飾り物品５８を形成した点にある。
紐取付け部材５３は、紐取付部本体４８の前部と背部に、該、紐取付部本体４８を隠す大きさのリボンプレート形態ないし羽プレート形態の装飾パーツ５９，６０を設けたものである。
装飾パーツ５９，６０の形状、形態が異なるものであってもよい。
図１０において、紐取付け部材５７に紐２の一方を結び目３によって外れないように連結し、他方にアクセントパーツ２０を結び目３によって外れないように連結して携帯ストラップ６１を形成している。
【実施例８】
【００７２】
図１１、図１２に示す本発明の実施例８において前記実施例１と主に異なる点は、紐取付け部材を紐取付け部材６４とした紐取付け部材付飾り物品６５を形成した点にある。
紐取付け部材６４は、側面から見て伏せＵ字形態の紐取付け部材本体６６と、該紐取付け部材本体６６の内側部位である、飾り物品本体１５とによって結び目収納部を経緯する結び目収納部形成凹６７と、紐取付け部材本体６６の下部に立ち下がるように設けられた、布地に突き刺さす顎部位６８が付いた顎付き布地突刺し部６９、６９、６９、６９と、紐取付け部材本体６６の上部から結び目収納部形成凹６７連通形態で設けられた紐通し結び目止め孔２６とを有する形態となっている。
図１２において、紐取付け部材６４に紐２の一方を結び目３によって外れないように連結し、他方にアクセントパーツ２０を結び目３によって外れないように連結して携帯ストラップ７０を形成している。
【００７３】
その技術的思想は、前記飾り物品本体がぬいぐるみであり、体前記紐取付け部材に前記ぬいぐるみに突き刺さる、顎を有する顎付き布地突刺し部が設けられ、前記布地突刺し部が前記ぬいぐるみに突き刺さった状態で抜こうとしても前記顎が該ぬいぐるみ内に掛り抜けないことを特徴とする紐取付け部材付飾り物品あるいは紐取付け部材というところにある。
【００７４】
ぬいぐるみである飾り物品本体に、顎付き布地突刺し部を突き刺すだけの簡単操作で、紐取付け部材付飾り物品を形成できるとう効果を奏する。
また、接着剤との併用である場合は、接着剤との接合が無くなることがあっても、顎付き布地突刺し部の顎部位によって飾り物品本体から紐取付け部材が外れることが防止される。
【実施例９】
【００７５】
図１３、図１４に示す本発明の実施例９において前記実施例２と主に異なる点は、飾り物品本体を飾り物品本体７３とし、紐取付け部材を紐取付け部材７４とした紐取付け部材付飾り物品７５を形成した点にある。
飾り物品本体７３の少なくとも頭部は、下穴なしで木ネジをねじ込むことが出来、かつ、ねじ込んだ木ネジ状部位が振れたり抜けたりすることが容易には起きない部材である、ゴム製部材、プラスチック製部材、木製部材などの木ネジ状部位ねじ込み可能部材からなっている。
紐取付け部材７４は、紐取付け部材本体２４の下部に木ネジ状部位７６を突出させた形態となっている。
木ネジ状部位７６を飾り物品本体７３の頭部にねじ込んで取付け固定して、紐取付け部材付飾り物品７５を形成している。
図１４において、紐取付け部材７４に紐２の一方を結び目３によって外れないように連結し、他方にアクセントパーツ２０を結び目３によって外れないように連結して携帯ストラップ７７を形成している。
【００７６】
ぬいぐるみである飾り物品本体１５および木ネジ状部位７６側に接着剤を付け、あるいは一方に接着剤を付け、飾り物品本体１５に木ネジ状部位７６をねじ込みないし突き刺した取付け状態とすることにより、木ネジ状部位７６に付いた接着材によって、飾り物品本体１５の内部部材（一般的には綿状部材が多い）が、ねじ込んだ場合は木ネジ状部位７６に巻き付き接着されるので、紐取付け部材７４の接着保持力が著しく強化され、容易には外れることのない安定・安全な取付け状態を実現する。
木ネジ状部位７６をねじ込まず突き刺した取付け状態としても、木ネジの螺旋凸凹ネジ部位の接着剤に内部部材が接着されるので、これでも、ねじ込みとのものよりは接着保持力は得られないが、接着保持力が著しく強化され、容易には外れることのない安定・安全な取付け状態を実現する。
【実施例１０】
【００７７】
図１５に示す本発明の実施例９において８０は包装された紐取付け部材である。
包装された紐取付け部材８０は、包装容器８１と、この包装容器８１に複数個収納されたと紐取付け部材２３と、接着剤８２とからなっている。
紐２を加えるのもよい。
【実施例１１】
【００７８】
図１６〜図１８に示す本発明の実施例１１において前記実施例２と主に異なる点は、紐取付け部材を紐取付け部材８４とした紐取付け部材付飾り物品８５を形成した点にある。
紐取付け部材８４は、紐取付け部材本体２４の底部に複数本の布地に突き刺さる突き刺し部位９０を加え、正面に嵌め込み穴８６を加えた構成であり、嵌め込み穴８６には僅かな突出部位８７が形成されている。
図１７に示すように、嵌め込み穴８６に嵌入する、装飾パーツ本体９３に僅かな突起部位９２を有する嵌入突部位８８を備えた装飾パーツ８９を取付けられるようになっている。
突起部位９２と突出部位８７は噛み合い容易に抜けるのを防止している。突起部位９２と突出部位８７のいずれか一方は、他方の突起部位ないし突出部位が嵌る溝形態とするのもよい。
図１８において、紐取付け部材８４を紐取付け部材本体２４の頭部に突き刺し部位９０を突き刺しかつ接着剤によって接着固定して、紐取付け部材付飾り物品８５を形成している。
また、紐取付け部材８４に紐２の一方を結び目３によって外れないように連結し、他方にアクセントパーツ２０を結び目３によって外れないように連結して携帯ストラップ９１を形成している。
【実施例１２】
【００７９】
図１９、図２０に示す本発明の実施例１２において前記実施例１１と主に異なる点は、紐取付け部材を紐取付け部材９５とした点にある。
紐取付け部材９５は、紐取付け部材本体２４の上部に嵌め込み穴９６ａ、９６ｂを設け、結び目収納部をストレート貫通孔の結び目収納部９７と、その結び目収納部９７の紐通し結び目止め孔２６の対抗面であり該紐通し結び目止め孔２６から挿入された紐２の先端が当たる紐先端当り面である底部面に、突起形態の傾斜面９８を設けてなる構成としている。
嵌め込み穴９６ａ、９６ｂには、装飾パーツ本体１０１に該嵌め込み穴９６ａ、９６ｂに嵌入する嵌入突部位９９を有する装飾パーツ１００を取付けることができるようになっている。
【実施例１３】
【００８０】
図２１に示す本発明の実施例１３において前記実施例１２と主に異なる点は、装飾パーツを装飾パーツ１０３とした点にある。
装飾パーツ１０３は、装飾パーツ１００と装飾パーツ１００を連絡部１０４によって一体化した形態であり、連絡部１０４には上方拡径の紐通し結び目止め孔２６の上部に位置する紐誘い込み孔１０５が設けられた形態となっている。
【実施例１４】
【００８１】
図２２に示す本発明の実施例１３において前記実施例１２と主に異なる点は、装飾パーツを装飾パーツ１０８とした点にある。
装飾パーツ１０８は、装飾パーツ本体１０１に結び目収納部９７に嵌る、嵌入突部位１０９を設けている。
【実施例１５】
【００８２】
図２３に示す本発明の実施例１４において前記実施例１２と主に異なる点は、装飾パーツを装飾パーツ１１１とした点にある。
装飾パーツ１１１は、装飾パーツ本体１０１と装飾パーツ本体１０１が、紐取付け部材９５を挟み込む間隔を開けて配置され、装飾パーツ本体１０１と装飾パーツ本体１０１は連絡部１１２で連絡され、連絡部１１２には紐通し結び目止め孔２６に重なる、一方端が解放端（紐の出し入れが自在の開口形態）とされた紐出入自在形態の紐出入部１１３を設けた形態となっている。
装飾パーツ本体１０１、１０１の内側には、結び目収納部９７に引っ掛かる程度に嵌る嵌入突出部位１１４が設けられている。嵌入突出部位１１４は短い突起であり、装飾パーツ１１１を紐取付け部材９５から外すことが容易にできるようになっている。
紐出入自在形態の紐出入部１１３によって、紐取付け部材９５に装飾パーツ１１１を取付けたまま紐２の交換ができる、また、紐２を取付けたまま装飾パーツ１１１の着脱・交換が自在にできるものである。
【実施例１６】
【００８３】
図２４、図２５に示す本発明の実施例１６において前記実施例１２と主に異なる点は、紐取付け部材を紐取付け部材１１６とした点にある。
紐取付け部材１１６は、嵌め込み穴９６ａ、９６ｂおよび突き刺し部位９０を設けていない紐取付け部材本体２４を、携帯電話などの携帯品に当たった際に、該携帯品を傷付けたりしないようにするための、携帯品に押し当たっても該携帯品を傷つけない軟らかい部材で形成された軟質性覆部材１１７で覆った形態としている。
軟質性覆部材１１７は、覆部材本体１２０の左右側部には、結び目収納部９７に重なる開口１１８、１１８が形成され、上部には紐通し孔１１９が設けられた形態となっている。
軟質性覆部材１１７は、ゴム製部材、軟質性合成樹脂製部材などが一般的である。
製造方法ないし作成方法は、予め所定の形態に形成された軟質性覆部材に紐取付け部材本体を押し込み形成する形態、射出成型などにより軟質性覆部材の原料を射出して紐取付け部材を覆う形態などがある。
【００８４】
図２５に示すように、飾り物品本体１５の頭部に縫い糸４３を結び目収納部９７に通し掛け縫いして紐取付け部材１１６を取付けて紐取付け部材付飾り物品１２１を形成し、紐取付け部材１１６に紐２を通し結び目３で連結して携帯ストラップ１２２を形成している。
【実施例１７】
【００８５】
図２６〜図２８に示す本発明の実施例１７において前記実施例１２と主に異なる点は、紐取付け部材を紐取付け部材１２４とした点にある。
図２６に示すように、紐取付け部材１２４は、嵌め込み穴９６ａ、９６ｂおよび突き刺し部位９０を設けていない紐取付け部材本体２４の底部に該紐取付け部材本体１２３よりも幅の狭い下凸部位１２５を設け、左右側部の下部側に縫い糸４３を入れる糸隠し溝１２６、１２６を設けた形態となっている。
【００８６】
紐取付け部材１２４には紐取付け部材本体２４より軟らかく且つ伸縮性材質の軟質性覆部材１２７を後付けで、着脱自在形態で被せることができるようになっている。
軟質性覆部材１２７は、内部を収納部１２３とした覆部材本体１２８と、この覆部材本体１２８の上部に収納部１２３に連通開口した、内側に顎部１２９を形成するとともに、紐取付け部材１２４の天井部位を広く露出させる大きさの上部開口部１３０と、下部に収納部１２３に連通開口した、内側に紐取付け部材本体２４と下凸部位１２５の間の段差部位に掛かる顎部１３１を形成するとともに、紐取付け部材１２４がそこから収納部１２３に押し入れることが出来る、開口大きさの下部開口部１３２とからなっている。
上部開口部１３０と下部開口部１３２は略同じ開口大きさとなっている。
【００８７】
図２７、図２８に示すように、飾り物品本体１５の頭部に縫い糸４３によって紐取付け部材１２４を縫い付けて、軟質性覆部材１２７を軟質性覆部材１２７に被せ覆った形態とした、紐取付け部材付飾り物品１３３を形成し、紐通し結び目止め孔２６に紐２の一方端を通し結び目３を形成して該紐２を取付け状態とし、紐２の他方端にアクセントパーツ２０を取付けた携帯ストラップ１３４を形成している。
【００８８】
図２８に示すように、軟質性覆部材１２７はその上部開口部１３０からアクセントパーツ２０を通すことが可能であり、よって、軟質性覆部材１２７を取付け取り除きが自在にできるものである。
【実施例１８】
【００８９】
図３０に示す本発明の実施例１８において前記実施例２と主に異なる点は、紐取付け部材を紐取付け部材１３６とした点にある。
紐取付け部材１３６は、結び目収納部を結び目収納部９７とし、紐取付け部材本体２４の底部に複数本の顎形態の接着剤掛り箇所１３７を有するスリット状ないし溝状の凹部からなる接着剤掛り部１３８を設けたものである。
飾り物品本体１５に紐取付け部材１３６を設け形態である紐取付け部材付飾り物品１３９を形成している。
飾り物品本体１５に接着剤（ホットメルトが好適）で接着取付けた状態で、接着剤掛り部１３８内に該接着剤が入り込み、硬化した接着剤が掛かる（引っ掛かる部位）接着剤掛り箇所１３７に掛り、接着面積も広くなるので、強い接着保持力が得られるので容易には外れないようになる。
【００９０】
接着剤掛り部は、その数は一つ以上あればよく、接着剤が入る範囲で多数であればその掛り力は強くなる。また、その形態は凸凹形態、凸形態、凹み形態、穴形態があり、好ましくはこれらに、顎などの突出部位、穴あるいは溝などの凹み部位からなる、硬化した接着剤が掛かる（引っ掛かる部位）接着剤掛り箇所が設けられてなるものがよい。
【００９１】
その技術的思想は、前記紐取付け部材の底部に接着剤が入り込む凹部あるいは接着剤に入り込む凸部が設けられ、前記凹部あるいは前記凸部には、接着剤が掛り状態となる凸形態部位のあるいは凹形態部位の接着剤掛り箇所が設けられ、前記紐取付け部材が前記飾り物品本体に接着剤によって接着直接取付けられていることを特徴とする紐取付け部材付飾り物品あるいは紐取付け部材というところにある。
【００９２】
接着剤が入り込む凹部あるいは接着剤に入り込む凸部に接着剤が入り込み、接着剤掛り部および掛り部に接着剤が掛り状態となるので、その接着剤の接着剤掛り部への掛りと接着面積の増大によって、強固な接着保持力を得るという効果を奏する。
【実施例１９】
【００９３】
図３１〜図３５に示す本発明の実施例１９において、紐取付け部材１４０は次のような構成となっている。
飾り物品に取付けられる、逆Ｕ字形態の紐取付け部材本体１４１と、
この紐取付け部材本体１４１の天井部に設けられた、非ループの一本紐形態の紐を通しその結び目は通さない形態の紐通し結び目止め孔２６と、
紐取付け部材本体１４１の一方側にヒンジ部位１４２ａを介して設けられた回動体１４３ａと、
紐取付け部材本体１４１の他方側にヒンジ部位１４２ｂを介して設けられた回動体１４３ｂと、
回動体１４３ａに設けられた顎部１４４を有する嵌め込み雌部１４５と、
回動体１４３ｂの内側に突出形態で、その先端に顎部１４４に掛かる顎部１４６を有してなる、嵌め込み雌部１４５に嵌合する形態の嵌め込み雄部１４７と、を備えた構成となっている。
嵌め込み雄部１４７には、飾り物品に設けられている部材通し取付け部が中央に常に位置するように寄せる、寄せ凹１４８が形成されている。
紐取付け部材本体１４１の内側部位は、結び目収納部形成凹６７となっている
【００９４】
嵌め込み雄部１４７の部位を、飾り物品に設けられたループ紐、環部材、部材通し孔などの部材通し取付け部に通した状態にして、嵌め込み雌部１４５に嵌合する。
【００９５】
図３３においては、ストラップ紐に取付けられた環部材等を通し取付ける部材通し孔１５０を有する既成の飾り物品１５１に、部材通し孔からなる部材通し取付け部１５０に嵌め込み雄部１４７を通して紐取付け部材１４０を取付けている。
結び目収納部形成凹６７と飾り物品１５１とで結び目収納部１５２を形成する。
【００９６】
図３４においては、ストラップ紐に取付けられた環部材等を通し取付けるループ紐からなる部材通し取付け部１５４を有する既成の飾り物品１５５に、部材通し取付け部１５４に嵌め込み雄部１４７を通して紐取付け部材１４０を取付けている。
【００９７】
図３５においては、ストラップ紐に取付けられた環部材等を通し取付ける金属製環部材（ここでは、ヒートン）からなる部材通し取付け部１５７を有する飾り物品１５８に、部材通し取付け部１５７に嵌め込み雄部１４７を通して紐取付け部材１４０を取付けている。
【実施例２０】
【００９８】
図３６に示す本発明の実施例２０において、前記実施例１９と主に異なる点は、紐取付け部材本体１４１の上部側の側面を塞ぐ側面壁１６０ａ、１６０ｂを設け、それにより結び目収納部１６２を形成して、結び目３が隠れて見えないようにした紐取付け部材１６１を形成した点にある。
【実施例２１】
【００９９】
図３７に示す本発明の実施例２１において、紐取付け部材１６３は、
飾り物品に取付けられる、逆Ｕ字形態の紐取付け部材本体１６７と、
この紐取付け部材本体１６７の天井部に設けられた、非ループの一本紐形態の紐２は通しその結び目３は通さない形態の紐通し結び目止め孔２６と、
紐取付け部材本体１６７を形成している一方の側壁に貫通された、小凸凹螺旋凸凹形態ないし微細螺旋凸凹形態の孔面とされた嵌め込み雌部１６４と、
紐取付け部材本体１６７を形成している他方の側壁に貫通された、小凸凹螺旋凸凹形態ないし微細螺旋凸凹形態の孔面とされた嵌め込み雌部１６５と、
嵌め込み雌部１６４および嵌め込み雌部１６５に挿入嵌合される、小凸凹螺旋凸凹形態ないし微細螺旋凸凹形態の棒面とした嵌め込み雄部１６６と、とを備えた形態となっている。
嵌め込み雌部１６４あるいは嵌め込み雌部１６５の一方は、小凸凹螺旋凸凹形態ないし微細螺旋凸凹形態の無いストレート孔とするのもよい。
【０１００】
嵌め込み雌部１６４、嵌め込み雌部１６５および嵌め込み雄部１６６の小凸凹螺旋凸凹形態ないし微細螺旋凸凹形態は、進行方向である前面が傾斜形態であり、後ろ面は垂直ないし進行方向に傾斜した形態としている。
例えば、図３４に記載の部材通し取付け部１５４を紐取付け部材１６３内に位置させ、嵌め込み雄部１６６を嵌め込み雌部１６４に差し込み押し進め、部材通し取付け部１５４に嵌め込み雌部１６４を通し、嵌め込み雌部１６５に嵌め込み雌部１６４を挿入押し込む、という操作によって紐取付け部材１６３に飾り物品１５５を取付ける。
嵌め込み雌部１６５および嵌め込み雌部１６４の小凸凹螺旋凸凹形態ないし微細螺旋凸凹に、嵌め込み雄部１６６の小凸凹螺旋凸凹形態ないし微細螺旋凸凹が噛み合っているので、嵌め込み雄部１６６を引っ張っても抜けることはない。
その螺旋かみ合わせ形態によって嵌め込み雄部１６６をねじ解除側に回すことで、嵌め込み雄部１６６を容易に抜くことができる。
【実施例２２】
【０１０１】
図３８に示す本発明の実施例２２において、紐取付け部材１７０は、
飾り物品に取付けられる、バンド形態の紐取付け部材本体１７１と、
この紐取付け部材本体１７１の中ほどに設けられた、非ループの一本紐形態の紐２は通しその結び目３は通さない形態の紐通し結び目止め孔２６と、
紐取付け部材本体１７１の中ほどに設けられた肉厚部位１７７に形成された、紐通し結び目止め孔２６に連通した、結び目３を収納する下部開口形態の結び目収納部１７２と、
紐取付け部材本体１７１の一方端の肉厚部位に形成された、貫通孔形態の嵌め込み雌部１７３と、
紐取付け部材本体１７１の他方端にヒンジ部位１７４を介して設けられた、先端に顎部位１７５を有する嵌め込み雌部１７３に挿入嵌合される嵌め込み雄部１７６と、
肉厚部位１７７の左右に設けられたヒンジ部位１７８ａ、１７８ｂと、とを備えた形態となっている。
【実施例２３】
【０１０２】
図３９に示す本発明の実施例２３において、前記実施例２０と主に異なる点は、嵌め込み雌部を嵌め込み雌部１８０とし、嵌め込み雄部を嵌め込み雄部１８１とした紐取付け部材１８２を形成した点にある。
嵌め込み雌部１８０は、回動体１４３ａの下部に内側に突出するように設けた大凸部位１８３に設けられた、微細メスねじ状形態の嵌め込み穴からなっている。
嵌め込み雄部１８１は、回動体１４３ｂの下部に内側に突出するように設けた小凸部位１８４に設けられた、微細メスねじ状形態の嵌め込み棒体からなっている。
嵌め込み雄部１８１の嵌め込み雌部１８０への嵌合は嵌め殺し形態となる。
正面および背面ともに穴等が無いので、どちらを正面にしてもよい。
【実施例２４】
【０１０３】
図４０に示す本発明の実施例２４において、紐取付け部材１８６は、
バンド形態の紐取付け部材本体１８７と、
この紐取付け部材本体１８７の中央に設けられた、非ループの一本紐形態の紐２は通しその結び目３は通さない形態の紐通し結び目止め孔２６と、
紐取付け部材本体１８７の一方側に設けられた、孔形態の環部材通し取付部１８８と、
紐取付け部材本体１８７の他方側に設けられた、孔形態の環部材通し取付部１８９と、とを備えた形態となっている。
【０１０４】
端部解放形態の環部材１９０の端部をペンチ等で開き広げ、例えば、飾り物品１５５の部材通し取付け部１５４に通し、さらに、環部材通し取付部１８８および環部材通し取付部１８９に通して、端部を閉じ状態にして飾り物品１５５に取付け状態とする。
【実施例２５】
【０１０５】
図４１に示す本発明の実施例２５において、紐取付け部材１９１は、
紐取付け部材本体１９２と、
この紐取付け部材本体１９２の中央に設けられた、非ループの一本紐形態の紐２は通しその結び目３は通さない形態の紐通し結び目止め孔２６と、
この紐通し結び目止め孔２６に連通してその真下に設けられた、結び目３を収納する下部開口形態の結び目収納部１９３と、
紐取付け部材本体１９２の一方側に設けられた、孔形態で内側に凸部位ないし凹部位を有する嵌め込み雌部１９４と、
紐取付け部材本体１８７の他方側に設けられたコード部位１９５と、
このコード部位１９５の先端に設けられた、嵌め込み雌部１９４に挿入嵌合して嵌め殺しとなる、凹部位ないし凸部位を有する嵌め込み雄部１９６と、とを備えた形態となっている。
【０１０６】
嵌め込み雄部１９６およびコード部位１９５を例えば、飾り物品１５５の部材通し取付け部１５４に通し、さらに、嵌め込み雄部１９６を嵌め込み雌部１９４に挿入嵌合して飾り物品１５５に取付け状態とする。
【実施例２６】
【０１０７】
図４２に示す本発明の実施例２６において、前記実施例９と主に異なる点は、木ネジ状部位を、上部が環形体部位２００とされた一般的にヒートンと呼ばれる木ネジ状部位２０１とし、紐通し結び目止め孔を紐通し結び目止め孔５としてなる紐取付け部材２０２を形成した点にある。
結び目収納部２０３は止り穴形態である。
環形体部位２００は傾けた状態にするのもよい。
【０１０８】
［付記］
＜付記１記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記結び目通し止孔に連通した前記結び目を収納する結び目収納部、あるいは、前記結び目通し止孔に連通した前記結び目を収納する結び目収納部を、前記飾り物品本体とによって形成する結び目収納部形成凹を有してなることを特徴とする紐取付け部材付飾り物品である。
前記紐取付け部材の前記飾り物品本体への取付けが、接着剤による接着された前記直接取付け形態であることを特徴とする付記１に記載の紐取付け部材付飾り物品である。
＜付記１記載の発明の効果＞
飾り物品が、落下防止を目的とする指や手首を通し掛ける形態の落下防止用飾り物品を除く飾り物品、例えばぬいぐるみ、フィギュア、木人形、ゴム製人形などの飾り物品であても、
その飾り物品本体とは別体からなる、非ループの一本紐形態の紐を通しその結び目は通さない紐通し結び目止め孔を備え、前記結び目を収納する前記結び目通し止孔に連通した結び目収納部を有し、あるいは前記結び目を収納する前記結び目通し止孔に連通した結び目収納部を前記飾り物品本体とによって形成する紐取付け部材を備えているので、紐通し結び目止め孔に通した非ループの一本紐形態の紐に結び目を形成することによって、好みの長さの非ループの一本紐によるシンプルな構成の携帯ストラップ等を、誰でも簡単に素早く形成できるという効果を奏する。
また、紐の長さを長めとすることにより、使用しながら好みの長さを見極め、その好み長さとなる部位に結び目を形成して、好みの紐長さを簡単に得ることができる。
また、紐を切れる、ハサミ、爪切あるいはカッターなどの身近な切断具で切断して結び目を取り出し、新しい紐（長さは自由、紐色自由）に取り換えることができ、そのさい、異なる飾り物品との連結形態の携帯ストラップ等を形成するが、簡単容易にできる。
すなわち、身近な切断具と交換紐さえあれば、いつでも、簡単で素早く紐色、他方に連結する飾り物品を選んで、それらの好みの組み合わせによる前とは異なる携帯ストラップを簡単に素早く実現できる。
また、紐取付け部材の前部面に、リボン、ハート、模様、絵柄などの装飾部品（素材は布、プラスチック、ゴム、金属、木製などいろいろである。）を接着剤（粘着剤含む）で接着して設けることができるので、使用者が好みの装飾部品を接着剤で接着して装飾することが、簡単で容易にできる。
＜付記２記載の発明＞
前記紐取付け部材の前記飾り物品本体への取付けが、接着剤による接着された前記直接取付け形態であることを特徴とする付記１に記載の紐取付け部材付飾り物品である。
付記２記載の発明の実施例は、図１、３、３０等の実施例が対応している。
＜付記２記載の発明の効果＞
付記１に記載の発明と同様な効果を奏する。
＜付記３記載の発明＞
前記飾り物品本体がぬいぐるみであることを特徴とする付記１，２のいずれか１項に記載の紐取付け部材付飾り物品である。
＜付記３記載の発明の効果＞
飾り物品本体がぬいぐるみであるので、付記１，２のいずれか１項に記載の発明と同様な効果を奏する。
＜付記４記載の発明＞
前記紐取付け部材が、ゴム製部材、プラスチック製部材、木製部材、ぬいぐるみなどに、下穴なしでねじ込むことが出来る木ネジ状部位を備えてなることを特徴とする付記１〜３のいずれか１項に記載の紐取付け部材付飾り物品である。
付記４記載の発明の実施例は、図１３、１４、４２等の実施例が対応している。
＜付記４記載の発明の効果＞
付記１〜３のいずれか１項に記載の発明と同様な効果を奏するとともに、ゴム製部材、プラスチック製部材、木製部材などに下穴なしでねじ込むことが出来る木ネジ状部位をねじ込み可能部材である飾り物品本体に、木ネジ状部位をねじ込むだけの簡単操作で、紐取付け部材付飾り物品を形成できるとう効果を奏する。
接着剤との併用でない場合は、逆回しによる取外しができる。
また、特にぬいぐるみである飾り物品本体および木ネジ状部位側に接着剤を付け、あるいは一方側に接着剤を付け、飾り物品本体に木ネジ状部位をねじ込みないし突き刺した取付け状態とすることにより、木ネジ状部位に付いた接着材によって、飾り物品本体の内部部材（一般的には綿状部材が多い）が、ねじ込んだ場合は木ネジ状部位に巻き付き接着されるので、紐取付け部材の接着保持力が著しく強化され、外れることのない取付けを実現する。
木ネジ状部位をねじ込まず突き刺した取付け状態としても、木ネジ状部位の螺旋凸凹ネジ部位の接着剤に内部部材が接着されるので、これでも、保持力が著しく強化され、容易には外れることのない取付け状態を実現する。
また、木ネジ状部位に接着剤が付きぬいぐるみの中で接合がされるので、ぬいぐるみ表面の接着剤の量を少なくでき、紐取付け部材とぬいぐるみの間からはみ出る接着剤の量を少なくできる、美観を損ねない程度の接着剤量にできる。
＜付記５記載の発明＞
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする付記１〜４のいずれか１項に記載の紐取付け部材付飾り物品である。
付記５記載の発明の実施例は、図２，３，４，５，１６，１９等の実施例が対応している。
付記１〜４のいずれか１項に記載の発明と同様な効果を奏するとともに、紐通し結び目止め孔に挿入した紐の先端は進行当り面に対して直角には当たらず傾斜向きであたるので、紐は結び目収納部内で腰砕けとならないで、極めてスムーズに向きを変えて進行させて、結び目収納部の外に出せるという、手のみの紐通し操作が、誰でもが簡単スムーズに行うことを可能にするという効果を奏する。
＜付記６記載の発明＞
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
付記６記載の発明の実施例は、図４、１１、１２等の実施例が対応している。
付記１〜３のいずれか１項に記載の発明と同様な効果を奏するとともに、ぬいぐるみである飾り物品本体に、顎付き布地突刺し部を突き刺すだけの簡単操作で、紐取付け部材付飾り物品を形成できるとう効果を奏する。
また、接着剤との併用である場合は、接着剤との接合が無くなることがあっても、顎付き布地突刺し部の顎部位によって飾り物品本体から紐取付け部材が外れることが防止される。
＜付記７記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
付記７記載の発明の実施例は、図１３、１４、４２等の実施例が対応している。
前記付記４記載の発明と同様な効果を奏する。
＜付記８記載の発明＞
飾り物品に取付けられる紐取付け部材本体と、
この紐取付け部材本体に設けられた、非ループの一本紐形態の紐を通しその結び目は通さない形態の紐通し結び目止め孔と、
前記紐取付け部材本体に設けられた嵌め込み雌部と、
前記紐取付け部材本体に設けられた前記嵌め込み雌部に嵌合する形態の嵌め込み雄部と、を備えるとともに、
前記嵌め込み雌部を有する部位および前記嵌め込み雄部を有する部位あるいはいずれか一方の部位が、前記飾り物品に設けられたループ紐、環部材、部材通し孔などの部材通し取付け部に通されて前記嵌合されるものであることを特徴とする紐取付け部材である。
付記８記載の発明の実施例は、図３１〜３９、４１等の実施例が対応している。
＜付記８記載の発明の効果＞
ループ紐、環部材、部材通し孔などの部材通し取付け部を有する既成の飾り物品に、嵌め込み雌部を有する部位および嵌め込み雄部を有する部位あるいはいずれか一方の部位を、前記部材通し取付け部に通し嵌合することで、既成の飾り物品に非ループの一本紐形態の紐を通しその結び目は通さない形態の紐通し結び目止め孔を有する紐取付け部材を簡単に取付けることができ、これによって、既成の飾り物品にも結び目形成操作による非ループの一本紐を簡単に取付けた、携帯ストラップ等を作成できるとい効果を奏する。
＜付記９記載の発明＞
飾り物品に取付けられる紐取付け部材本体と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能としてなることを特徴とする紐取付け部材である。
付記９記載の発明の実施例は、図４０等の実施例が対応している。
ループ紐、環部材、部材通し孔などの部材通し取付け部を有する既成の飾り物品に、端部を離し開口を広げた環部材を前記部材通し取付け部に通し、さらに、環部材通し孔に通して、前記広げた前記端部を近づけ閉じ状態にすることで、既成の飾り物品にも結び目形成操作による非ループの一本紐を簡単に取付けた、携帯ストラップ等を作成できるとい効果を奏する。
＜付記１０記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体が携帯電話などの携帯品に当たった際に、該携帯品を傷付けたりすることを防止するために、前記紐取付け部材本体の全体あるいは一部を覆う形態で設けられた、前記携帯品に押し当たっても該携帯品を傷つけない軟らかい部材で形成された軟質性覆部材と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
付記１０記載の発明の実施例は、図２４、２５、２７、２８、２９等の実施例が対応している。
紐取付け部材本体が、携帯品に押し当たっても該携帯品を傷つけない軟らかい部材で形成された軟質性覆部材によって覆われているので、携帯品に押し当たっても該携帯品を傷つけることが生じないという効果を奏する。
＜付記１１記載の発明＞
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする付記６〜１０のいずれか１項に記載の紐取付け部材である。
付記１１記載の発明の実施例は、図２〜５、１６、１９等の実施例が対応している。
付記６〜１０のいずれか１項に記載の発明において、前記付記５記載の発明と同様な効果を奏する。
＜付記１２記載の発明＞
非ループの一本紐形態の紐を通しその結び目は通さない紐通し結び目止め孔、および前記結び目を収納する前記結び目通し止孔に連通した結び目収納部を有する紐取付け部材と、
この紐取付け部材を複数個と、前記紐取付け部材を飾り物品に接着により取付けるための接着剤とを収納してなる包装容器と、を備えてなることを特徴とする包装された紐取付け部材である。
付記１２記載の発明の実施例は、図１５等の実施例が対応している。
非ループの一本紐形態の紐を通しその結び目は通さない紐通し結び目止め孔、および前記結び目を収納する前記結び目通し止孔に連通した結び目収納部を有する複数個の紐取付け部材と、該紐取付け部材を飾り物品に接着させるための接着剤が、包装容器に包装された形態で提供されるので、購入者は、ぬいぐるみ、フィギュアなどで非ループの一本紐形態の紐を通しその結び目は通さない紐通し結び目止め孔、および前記結び目を収納する前記結び目通し止孔に連通した結び目収納部を有さない飾り物品に、前記接着剤により紐取付け部材を接着し取付けて紐取付け部材付飾り物品を形成できるという効果を奏する。
【産業上の利用可能性】
【０１０９】
本発明は、主に携帯ストラップ用パーツの製造・販売、携帯ストラップの製造・販売をする産業で利用される。
【符号の説明】
【０１１０】
１：紐取付け部材本体、
２：紐、
３：結び目、
４：結び目収納孔、
５：紐通し結び目止め孔、
６：下流側の口、
７：上流側の口、
１０：紐取付け部材、
１１：誘い込み、
１２：誘い込み、
１５：飾り物品本体、
１６：紐取付け部材付飾り物品、
１７：携帯ストラップ、
１８：携帯品、
１９：ストラップホール、
２０：アクセントパーツ、
２２：紐取付け部材付飾り物品、
２３：紐取付け部材、
２４：紐取付け部材本体、
２５：結び目収納部、
２６：紐通し結び目止め孔、
２８：紐取付け部材、
２９：細棒状部、
３０：顎部位、
３１：顎付き布地突刺し部、
３２：紐取付け部材付飾り物品、
３３：装飾パーツ、
３５：紐取付け部材、
３６：紐取付け部材付飾り物品、
３７：取付け部材本体、
３８：紐通し結び目止め孔、
３９：結び目収納部、
４０：取付け手段掛け部、
４１：環部材、
４２：突出部位、
４３：縫い糸、
４５：結び目収納部、
４６：紐取付け部材、
４７：紐取付け部材付飾り物品、
４８：紐取付け部材本体、
４９、４９：鍔部、
５０、５０：取付け手段掛け部、
５３：紐取付け部材、
５４：紐取付け部材付飾り物品、
５５、５５：取付け手段掛け部、
５７：紐取付け部材、
５８：紐取付け部材付飾り物品、
５９：装飾パーツ、
６０：装飾パーツ、
６１：携帯ストラップ、
６４：紐取付け部材、
６５：紐取付け部材付飾り物品、
６６：紐取付け部材本体、
６７：結び目収納部形成凹、
６８：顎部位、
６９、６９、６９、６９：顎付き布地突刺し部、
７０：携帯ストラップ、
７３：飾り物品、
７４：紐取付け部材、
７５：紐取付け部材付飾り物品、
７６：木ネジ状部位、
７７：携帯ストラップ、
８０：包装された紐取付け部材、
８１：包装容器、
８２：接着剤、
８４：紐取付け部材、
８５：紐取付け部材付飾り物品、
８６：嵌め込み穴、
８７：突出部位、
８８：嵌入突部位、
８９：装飾パーツ、
９０：突き刺し部位、
９１：携帯ストラップ、
９２：突起部位、
９３：装飾パーツ本体、
９５：紐取付け部材、
９６ａ、９６ｂ：嵌め込み穴、
９７：結び目収納部、
９８：傾斜面、
９９：嵌入突部位、
１００：装飾パーツ、
１０１：装飾パーツ本体、
１０３：紐取付け部材、
１０４：連絡部、
１０５：紐誘い込み孔、
１０８：装飾パーツ、
１０９：嵌入突部位、
１１１：装飾パーツ、
１１２：連絡部、
１１３：紐出入部、
１１４：嵌入突出部位、
１１６：紐取付け部材、
１１７：軟質性覆部材、
１１８、１１８：開口、
１１９：紐通し孔、
１２０：覆部材本体、
１２１：紐取付け部材付飾り物品、
１２２：携帯ストラップ、
１２３：収納部、
１２４：紐取付け部材、
１２５：下凸部位、
１２６：糸隠し溝、
１２７：軟質性覆部材、
１２８：覆部材本体、
１２９：顎部、
１３０：上部開口部、
１３１：顎部、
１３２：下部開口部、
１３３：紐取付け部材付飾り物品、
１３４：携帯ストラップ、
１３６：紐取付け部材、
１３７：接着剤掛り箇所、
１３８：接着剤掛り部、
１４０：紐取付け部材、
１４１：紐取付け部材本体、
１４２ａ、１４２ｂ：ヒンジ部位、
１４３ａ、１４３ｂ：回動体、
１４４：顎部、
１４５：嵌め込み雌部、
１４６：顎部、
１４７：嵌め込み雄部、
１４８：寄せ凹、
１５０：部材通し孔、
１５１：飾り物品、
１５２：結び目収納部、
１５４：部材通し取付け部、
１５５：飾り物品、
１５７：部材通し取付け部、
１５８：飾り物品、
１６０ａ、１６０ｂ：側面壁、
１６１：紐取付け部材、
１６２：結び目収納部、
１６３：紐取付け部材、
１６４：嵌め込み雌部、
１６５：嵌め込み雌部、
１６６：嵌め込み雄部、
１７０：紐取付け部材、
１７１：紐取付け部材本体、
１７２：結び目収納部、
１７３：嵌め込み雌部、
１７４：ヒンジ部位、
１７５：顎部位、
１７６：嵌め込み雄部、
１７７：肉厚部位、
１７８ａ、１７８ｂ：ヒンジ部位、
１８０：嵌め込み雌部、
１８１：嵌め込み雄部、
１８２：紐取付け部材、
１８３：大凸部位、
１８４：小凸部位、
１８６：紐取付け部材、
１８７：紐取付け部材本体、
１８８：環部材通し取付部、
１８９：環部材通し取付部、
１９１：紐取付け部材、
１９２：紐取付け部材本体、
１９３：結び目収納部、
１９４：嵌め込み雌部、
１９５：コード部位、
１９６：嵌め込み雄部、
２００：環形体部位、
２０１：木ネジ状部位、
２０２：紐取付け部材、
２０３：結び目収納部。
【手続補正書】
【提出日】平成27年4月26日(2015.4.26)
【手続補正１】
【補正対象書類名】特許請求の範囲
【補正対象項目名】全文
【補正方法】変更
【補正の内容】
【特許請求の範囲】
【請求項１】
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有してなり、
前記紐通し結び目止め孔から挿入されて前記結び目収納部あるいは前記結び目収納部形成凹に入った前記紐を外に出すための口が前記紐取付け部材の側部に設けられ、
前記飾物品本体に前記紐取付け部材を前記直接取付け形態のままの状態で、あるいは、前記間接取付け形態のままの状態で、前記紐取付け部材の側部に設けられ前記口から前記紐を外へ出して前記結び目の形成ができることを特徴とする紐取付け部材付飾り物品。
【請求項２】
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有し、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材付飾り物品。
【請求項３】
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位、あるいは、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記紐通し結び目止め孔から挿入されて前記結び目収納部あるいは前記結び目収納部形成凹に入った前記紐を外に出すための口が前記紐取付け部材の側部に設けられ、
前記飾り物品に前記紐取付け部材本体が取付けられたままの状態で、前記紐取付け部材の側部に設けられ前記口から前記紐を外へ出して前記結び目の形成ができることを特徴とする紐取付け部材。
【請求項４】
飾り物品に取付けられる紐取付け部材本体と、
この紐取付け部材本体に設けられた、非ループの一本紐形態の紐を通しその結び目は通さない形態の紐通し結び目止め孔と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能とし、
前記環部材通し孔に前記環部材を通し取付けた形態のまま、該紐通し結び目止め孔から挿入した前記紐を、前記紐取付け部材本体の側部側から外に出して前記結び目が形成できる形態であることを特徴とする紐取付け部材。
【請求項５】
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材。
【手続補正２】
【補正対象書類名】明細書
【補正対象項目名】全文
【補正方法】変更
【補正の内容】
【発明の詳細な説明】
【技術分野】
【０００１】
本発明は、主に携帯ストラップに付ける飾り物品を、該携帯ストラップを構成する非ループの一本紐形態の紐を、取り換え可能形態で取付けることが可能な紐取付け部材付飾り物品、取付け部材および包装された紐取付け部材に関する。
【背景技術】
【０００２】
従来、特許文献１の発明と特許文献２の発明が知られている。
特許文献１の発明は、レジンキャスト・コールドキャスト・ソフビ・塩ビなどのプラスチック製部材、ゴム製部材あるいは木製部材などからなるフィギアと呼ばれる、人形などの飾り物品の頭部横から水平に貫通状態で、非ループの一本紐形態の紐（ストラップ本体４）の一回結び目（結び目５２）が入る孔径の結び目収納部（結び目入り孔１９２）を設け、さらに、頭頂部から垂直に結び目収納部に直角に連通する、非ループの一本紐形態の紐は通るがその結び目は通らないで止められる孔径の紐通し結び目止め孔（結び目止め孔１９３）を設けた構成となっている。
【０００３】
特許文献２の発明は、長物の円筒柱形態の第１の連結片と該第１の連結片に螺合連結される円柱形態の第２に連結ヘントからなっている。
前記第１の連結片は、ループを形成する二本紐形態が通りかつ該二本紐による結び目は通らない孔径である紐通し結び目止め孔（挿通孔１ｂ）が設けられ、結び目が位置する側には該結び目を収納する結び目収納部が設けられ、その結び目収納部の外周には雄ねじが螺刻されている。
第２の連結片は、一方側には前記第１の連結片の前記雄ねじに螺合する雌ねじが螺刻され、他方端には環状の取付部２ｃが設けられ、該取付部２ｃには環部材や鎖などを介して飾り物品（アクセサリーＢ）を取付けられるようになっている。
【先行技術文献】
【特許文献】
【０００４】
【特許文献１】特開2013-046726号公報（段落［００４７］、図２３）
【特許文献２】実登3065352号公報
【発明の概要】
【発明が解決しようとする課題】
【０００５】
特許文献１の発明は、飾り物品そのものに紐通し結び目止め孔および結び目収納部を形成してなるものであり、ぬいぐるみなどの布製品、軟らかい合成樹脂製部材やゴム製品などの飾り物品そのものには紐通し結び目止め孔および結び目収納部を形成することが出来ないので、これらには非ループの一本紐をその結び目によって連結するということが出来ないという問題があった。
軟らかい合成樹脂製部材やゴム製品などからなる飾り物品は、紐通し結び目止め孔および結び目収納部を形成しても、強めに引っ張られると結び目は、紐通し結び目止め孔を押し広げて該紐通し結び目止め孔に入り抜けてしまう危険が大である。
【０００６】
また、紐通し結び目止め孔に挿入した紐の先端は、結び目収納部の進行当り面に直角に当たるのでそこで止められスムーズに結び目収納部外に出せない、そのまま押し込むと先端の向きが変わる前に紐が腰砕けとなり、紐の堅さしなやかさが失われてしまう、そうなるとスムーズに結び目収納部で向きを変えさせることもスムーズに出すこともできないものとなり、手のみによる紐通し操作がスムーズにでき難いという欠点を有するものであった。
紐が腰砕けになった場合、その部分を切り取って新たに差し込み抜け出し操作（作業）を行なわなければならないものであった。
【０００７】
特許文献２の発明は次に述べるような欠点を有するものである。
（１）ループを形成する二本紐形態が通る紐通し結び目止め孔は、非ループの一本紐形態の紐の結び目を抜けないように止めるには孔径が大きすぎ、紐が強く引っ張られると非ループの一本紐形態の一回結び目が、二本紐が通る紐通し結び目止め孔に入り込んでしまう可能性があり、紐が抜け外れてしまう危険があるものであり、よって、非ループの一本紐形態の紐による飾り物品の連結ができないものであった。
（２）飾り物品は、雄ねじを有する長物の第１の連結片に連結された第２の連結片の取付部２ｃに環部材や鎖を介して取付けるものであるので、部品点数が多いのでコスト高になる、第１の連結片と第２の連結片からなる紐取付け部材付飾り物品が長物であるので、長すぎる、重い、目立ちすぎるという欠点を有するものであった。
（３）  また、携帯電話のストラップホールにループ紐を通し取付ける操作は、飾り物品が取付けられた第２の連結片と第１の連結片とを分離した状態、すなわち、第１の連結片のみの状態でストラップホールを通した紐のループに該第１の連結片を潜らせて取付け、ストラップホール取付後に第２の連結片を螺合連結するという、煩雑な操作をしなければならないものであった。
特に、紐通し結び目止め孔に通す、ループを形成する二本紐形態は、解放端である二つの紐先端を合わせて外側から紐通し結び目止め孔に入れようとすると、合わせた紐端は紐通し結び目止め孔の開口に当たりすぐにほつれ広がるので、外側からは入れ通す操作が容易でないものである。よって、ほつれの生じない紐のループの先端を合せて、結び目収納部側から入れることになるのであるが、結び目収納部は結び目が自在に回ることが出来る程度に深いので、合わせたループが紐通し結び目止め孔に入る前に広がり容易には入らないものである。よって、外側から折合せた細い線部材を通し結び目収納部側に出し、その出たループ部位に紐を潜らせ、線部材を引っ張って紐を第１の連結片外に出す操作をしなければならないものである。よって、折合せて紐通し結び目止め孔を楽に通る線部材が無ければ、ループ紐の交換はできないものであった。
（４）雄ねじと雌ねじとの螺合連結であるので、螺合が緩み外れる危険があるものである。
【０００８】
本発明は以上のような従来技術の欠点に鑑み、非ループの一本紐形態の紐を通しその結び目は通さない紐通し結び目止め孔および前記結び目を収納する結び目収納部を有さない飾り物品において、非ループの一本紐形態の紐と飾り物品を該非ループの一本紐形態の紐の結び目によって連結することを可能とする、紐取付け部材付飾り物品、取付け部材および包装された紐取付け部材を提供することを目的としている。
【課題を解決するための手段】
【０００９】
上記目的を達成するために、本発明は次に述べるような構成としている。
＜請求項１記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有してなり、
前記紐通し結び目止め孔から挿入されて前記結び目収納部あるいは前記結び目収納部形成凹に入った前記紐を外に出すための口が前記紐取付け部材の側部に設けられ、
前記飾物品本体に前記紐取付け部材を前記直接取付け形態のままの状態で、あるいは、前記間接取付け形態のままの状態で、前記紐取付け部材の側部に設けられ前記口から前記紐を外へ出して前記結び目の形成ができることを特徴とする紐取付け部材付飾り物品である。
【００１０】
【００１１】
【００１２】
【００１３】
【００１４】
【００１５】
【００１６】
＜請求項２記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記紐通し結び目止め孔に連通した前記結び目を収納する結び目収納部、あるいは、前記紐通し結び目止め孔に連通した前記結び目を収納する結び目収納部を、前記飾り物品本体とによって形成する結び目収納部形成凹を有し、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材付飾り物品である。
【００１７】
請求項２記載の発明の実施例は、図２，３，４，５，１６，１９等の実施例が対応している。
【００１８】
【００１９】
【００２０】
＜請求項３記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位、あるいは、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記紐通し結び目止め孔から挿入されて前記結び目収納部あるいは前記結び目収納部形成凹に入った前記紐を外に出すための口が前記紐取付け部材の側部に設けられ、
前記飾り物品に前記紐取付け部材本体が取付けられたままの状態で、前記紐取付け部材の側部に設けられ前記口から前記紐を外へ出して前記結び目の形成ができることを特徴とする紐取付け部材である。
【００２１】
請求項３記載の発明の実施例は、図１３、１４、４２等の実施例が対応している。
【００２２】
【００２３】
【００２４】
＜請求項４記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能とし、
前記環部材通し孔に前記環部材を通し取付けた形態のまま、該紐通し結び目止め孔から挿入した前記紐を、前記紐取付け部材本体の側部側から外に出して前記結び目が形成できる形態であることを特徴とする紐取付け部材である。
【００２５】
請求項４記載の発明の実施例は、図４０等の実施例が対応している。
【００２６】
【００２７】
【００２８】
＜請求項５記載の発明＞
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であり、
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする紐取付け部材である。
【００２９】
請求項５記載の発明の実施例は、図２〜５、１６、１９等の実施例が対応している。
【００３０】
【００３１】
【発明の効果】
【００３２】
以上の説明から明らかなように、本発明にあっては次に列挙する効果が得られる。
＜請求項１記載の発明の効果＞
飾り物品が、落下防止を目的とする指や手首を通し掛ける形態の落下防止用飾り物品を除く飾り物品、例えばぬいぐるみ、フィギュア、木人形、ゴム製人形などの飾り物品であても、
その飾り物品本体とは別体からなる、非ループの一本紐形態の紐を通しその結び目は通さない紐通し結び目止め孔を備え、前記結び目を収納する前記結び目通し止孔に連通した結び目収納部を有し、あるいは前記結び目を収納する前記結び目通し止孔に連通した結び目収納部を前記飾り物品本体とによって形成する紐取付け部材を備えているので、紐通し結び目止め孔に通した非ループの一本紐形態の紐に結び目を形成することによって、好みの長さの非ループの一本紐によるシンプルな構成の携帯ストラップ等を、誰でも簡単に素早く形成できるという効果を奏する。
また、紐の長さを長めとすることにより、使用しながら好みの長さを見極め、その好み長さとなる部位に結び目を形成して、好みの紐長さを簡単に得ることができる。
【００３３】
また、紐を切れる、ハサミ、爪切あるいはカッターなどの身近な切断具で切断して結び目を取り出し、新しい紐（長さは自由、紐色自由）に取り換えることができ、そのさい、異なる飾り物品との連結形態の携帯ストラップ等を形成するが、簡単容易にできる。
すなわち、身近な切断具と交換紐さえあれば、いつでも、簡単で素早く紐色、他方に連結する飾り物品を選んで、それらの好みの組み合わせによる前とは異なる携帯ストラップを簡単に素早く実現できる。
【００３４】
また、紐取付け部材の前部面に、リボン、ハート、模様、絵柄などの装飾部品（素材は布、プラスチック、ゴム、金属、木製などいろいろである。）を接着剤（粘着剤含む）で接着して設けることができるので、使用者が好みの装飾部品を接着剤で接着して装飾することが、簡単で容易にできる。
【００３５】
【００３６】
【００３７】
【００３８】
【００３９】
＜請求項２記載の発明の効果＞
請求項１記載の発明と同様な効果を奏するとともに、紐通し結び目止め孔に挿入した紐の先端は進行当り面に対して直角には当たらず傾斜向きであたるので、紐は結び目収納部内で腰砕けとならないで、極めてスムーズに向きを変えて進行させて、結び目収納部の外に出せるという、手のみの紐通し操作が、誰でもが簡単スムーズに行うことを可能にするという効果を奏する。
【００４０】
【００４１】
【００４２】
＜請求項３記載の発明の効果＞
前記請求項１記載の発明と同様な効果を奏するとともに、ゴム製部材、プラスチック製部材、木製部材などに下穴なしでねじ込むことが出来る木ネジ状部位をねじ込み可能部材である飾り物品本体に、木ネジ状部位をねじ込むだけの簡単操作で、紐取付け部材付飾り物品を形成できるとう効果を奏する。
接着剤との併用でない場合は、逆回しによる取外しができる。
また、特にぬいぐるみである飾り物品本体および木ネジ状部位側に接着剤を付け、あるいは一方側に接着剤を付け、飾り物品本体に木ネジ状部位をねじ込みないし突き刺した取付け状態とすることにより、木ネジ状部位に付いた接着材によって、飾り物品本体の内部部材（一般的には綿状部材が多い）が、ねじ込んだ場合は木ネジ状部位に巻き付き接着されるので、紐取付け部材の接着保持力が著しく強化され、外れることのない取付けを実現する。
木ネジ状部位をねじ込まず突き刺した取付け状態としても、木ネジ状部位の螺旋凸凹ネジ部位の接着剤に内部部材が接着されるので、これでも、保持力が著しく強化され、容易には外れることのない取付け状態を実現する。
また、木ネジ状部位に接着剤が付きぬいぐるみの中で接合がされるので、ぬいぐるみ表面の接着剤の量を少なくでき、紐取付け部材とぬいぐるみの間からはみ出る接着剤の量を少なくできる、美観を損ねない程度の接着剤量にできる。
【００４３】
【００４４】
＜請求項４記載の発明の効果＞
ループ紐、環部材、部材通し孔などの部材通し取付け部を有する既成の飾り物品に、端部を離し開口を広げた環部材を前記部材通し取付け部に通し、さらに、環部材通し孔に通して、前記広げた前記端部を近づけ閉じ状態にすることで、既成の飾り物品にも結び目形成操作による非ループの一本紐を簡単に取付けた、携帯ストラップ等を作成できるとい効果を奏する。
【００４５】
【００４６】
＜請求項５記載の発明の効果＞
前記請求項２記載の発明と同様な効果を奏する。
【００４７】
【図面の簡単な説明】
【００４８】
【図１】本発明の実施例１の携帯ストラップ形成使用状態例図。
【図２】本発明の実施例１の紐取付け部材の平面図、正面図および紐が通され結び目が収納された状態の平面図中央横切断断面図。
【図３】本発明の実施例２の紐取付け部材の断面図および紐取付け部材付飾り物品の頭部側面図。
【図４】本発明の実施例３の紐取付け部材の断面図、取付け手順および紐取付け部材付飾り物品の頭部側面図。
【図５】本発明の実施例４の紐取付け部材の断面図および紐取付け部材付飾り物品の頭部正面図。
【図６】本発明の実施例４の紐取付け部材の異なる取付け方をした頭部正面図。
【図７】本発明の実施例５の紐取付け部材の平面図、正面図および紐取付け部材付飾り物品の頭部正面図。
【図８】本発明の実施例６の紐取付け部材の平面図、正面図および紐取付け部材付飾り物品の頭部正面図。
【図９】本発明の実施例７の紐取付け部材の正面図、平面図およびＡ−Ａ線切断断面図。
【図１０】本発明の実施例７の携帯ストラップの正面図。
【図１１】本発明の実施例８の紐取付け部材の平面図、正面図および紐を取付けた状態の拡大側面図。
【図１２】本発明の実施例８の携帯ストラップの正面図。
【図１３】本発明の実施例９の紐取付け部材の紐を取付けた状態の断面図。
【図１４】本発明の実施例９の携帯ストラップの正面図。
【図１５】本発明の実施例１０の正面図。
【図１６】本発明の実施例１１の平面図、側面図、正面図、背面図、底面図およびＡ−Ａ線切断拡大断面図。
【図１７】本発明の実施例１１の装飾パーツの背面図および側面図、装飾パーツを取付けた状態に側面図および正面図。
【図１８】本発明の実施例１１の携帯ストラップの正面図。
【図１９】本発明の実施例１２の平面図、右側面図、左側面図、正面図、底面図、Ａ−Ａ線切断拡大断面図およびＢ−Ｂ線切断拡大断面図。
【図２０】本発明の実施例１２の装飾パーツの正面図および側面図、紐取付け部材に装飾パーツを取付けた状態の側面図。
【図２１】本発明の実施例１３の装飾パーツの正面図、側面図および装飾パーツを紐取付け部材に取付けた状態の側面図。
【図２２】本発明の実施例１４の装飾パーツの正面図、側面図および装飾パーツを紐取付け部材に取付けた状態の部分断面側面図。
【図２３】本発明の実施例１５の装飾パーツの正面図、側面図および装飾パーツを紐取付け部材に取付け紐を通し結び目を形成した状態の部分断面側面図。
【図２４】本発明の実施例１６の紐取付け部材の側面図中央縦断面図。
【図２５】本発明の実施例１６の携帯ストラップの正面図。
【図２６】本発明の実施例１７の紐取付け部材の平面図、右側面図、左側面図、正面図、底面図、Ａ−Ａ線切断拡大断面図。
【図２７】本発明の実施例１７の軟質性覆部材の平面図、右側面図、左側面図、正面図、底面図、Ａ−Ａ線切断拡大断面図および紐取付け部材に被せた状態の拡大断面図。
【図２８】本発明の実施例１７の紐取付け部材付飾り物品の部分断面部分図。
【図２９】本発明の実施例１７の形態ストラップの正面図。
【図３０】本発明の実施例１８の紐取付け部材の側面図、底面図および飾り物品への取付け態を示す部分断面部分図。
【図３１】本発明の実施例１９の紐取付け部材の開き状態の側面図および嵌合閉じ状態の側面図。
【図３２】本発明の実施例１９の平面図、左側面図、正面図、背面図、底面図およびＡ−Ａ線切断拡大断面図。
【図３３】本発明の実施例１９の飾り物品の正面図および紐取付け部材の飾り物品への取付け状態を示す側面図。
【図３４】本発明の実施例１９の紐取付け部材の飾り物品への取付け状態を示す側面図。
【図３５】本発明の実施例１９飾り物品の正面図および紐取付け部材の飾り物品への取付け状態図。
【図３６】本発明の実施例２０の平面図、左側面図、正面図、底面図およびＡ−Ａ線切断拡大断面図。
【図３７】本発明の実施例２１の平面図、左側面図、正面図、背面図、底面図およびＡ−Ａ線切断拡大断面図。
【図３８】本発明の実施例２２の開いた状態の正面図、底面図および嵌合閉じ状態正面図。
【図３９】本発明の実施例２３の断面図。
【図４０】本発明の実施例２４の正面図、底面図および飾り物品への取付け状態図。
【図４１】本発明の実施例２５の平面図、正面図および飾り物品への取付け状態図。
【図４２】本発明の実施例２６の断面図。
【発明を実施するための形態】
【００４９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００５０】
図１、図２に示す本発明の実施例１において、ぬいぐるみである飾り物品本体１５の頭部に、接着剤（ホットメルトが好適であるが、他の接着剤でもよい。）により紐取付け部材１０が接着取付けてなる紐取付け部材付飾り物品１６を形成している。
紐取付け部材１０は、円盤形態の紐取付け部材本体１に、太さ０．８ｍｍあるいは１ｍｍの非ループの一本紐形態である紐２の結び目３を収納することができる結び目収納孔４と、この結び目収納孔４に連絡された、紐２は通るが結び目３は通らない形態の孔径１ｍｍ〜１．２ｍｍあるいは１．２ｍｍ〜１．４ｍｍの紐通し結び目止め孔５を備えてなるとともに、
結び目収納孔４と紐通し結び目止め孔５との連絡が、結び目収納孔４を水平とした場合においては、紐通し結び目止め孔５が真直ぐに傾斜した非直角交差形態である傾斜連絡形態である。結び目収納孔４は貫通孔であり、紐通し結び目止め孔５の傾斜側の口が下流側の口６とし、他方の口を上流側の口７としている。
【００５１】
紐２は、ストラップ紐と呼ばれている、中に芯糸を有する編組網の紐で、曲ったストラップホールに挿入しやすい硬さとしなやかさを備えた紐でが好適であり、太さは０．８ｍｍが一般的である。
【００５２】
紐通し結び目止め孔５の開口には紐２を差し込みやすく案内する誘い込み１１が形成され、下流側の口６の開口には結び目３を引き込み易くするための誘い込み１２が形成されている。
【００５３】
紐２の一方の側を紐通し結び目止め孔５から挿入し、押しこみ操作して結び目収納孔４内を進めて該結び目収納孔４の下流側の口６から出して一方側の紐突出部位を形成し、この一方側の紐突出部位に一方側の結び目である結び目３を形成して、この結び目３を結び目収納孔４内に引き込み収納状態とする。
結び目３は紐通し結び目止め孔５よりもかなり大きい形態であるので、結び目３は結び目収納孔４に止められて抜けない形態となる。
【００５４】
紐２の他方側には、紐取付け部材１０と同様な紐通し結び目止め孔５と結び目収納孔４を備えた構成のアクセントパーツ２０が取付けられ、アクセントパーツ２０、紐２および紐取付け部材付飾り物品１６で携帯ストラップ１７を形成している。
何も付けていない端部フリー状態の携帯品１８のストラップホール１９に紐２の他方側を一本紐形態で通し出してから、該他方側にアクセントパーツ２０に通し、外に出した部位に結び目を形成、該結び目を結び目収納部に引き込み取付け状態としている。
【００５５】
携帯ストラップ１７のストラップホール１９への他の取付方法として、あらかじめアクセントバーツ１５を紐２の他方側に付けた携帯ストラップ完成形態としておいて、その紐２を折り畳み合わせた合わせ二本形態にして、ストラップホール１９に差し込んでその出た部位を引き出して潜らせループを形成し、その潜らせループにアクセントパーツ１１を潜らせたパーツ潜らせ状態にして、紐２を引いて潜らせループを締めるとことで、抜けないように取付ける方法もある。
【００５６】
結び目収納孔４と紐通し結び目止め孔５との連絡は、非直角交差形態である傾斜連絡形態である。
この非直角交差形態である傾斜連絡形態（以下「紐当たり面傾斜形態」ともいう。）という構成によって、手操作によって紐通し結び目止め孔５から挿入した紐２の先端は、紐通し結び目止め孔５に対して下り傾斜面となっている結び目収納孔４の壁面に当たるのであるが、そのまま押し込むと下り傾斜面であるために紐２の先端の向きを下り傾斜方向（下流側）に殆ど抵抗なく容易円滑に向かせて、そのまま紐２を押し込み進めて、容易円滑に結び目収納孔４の下流側の口６から紐２の先端を外に出すことができるという効果を奏する。
【００５７】
また、結び目収納孔４と紐通し結び目止め孔５との連絡が、非直角交差形態である傾斜連絡形態が、直角交差形態よりも広い広角交差形態であるので、結び目収納孔４と紐通し結び目止め孔５の交差部位での紐２の曲りは、緩やかな曲り形態となる。
この紐２の緩やかな角曲り形態が、紐２の押し込み移動を抵抗の少ない、手操作のみで誰でも簡単、容易に行えるものにしている
これによって、誰でもが手のみによる取付け操作で、簡単に紐取付け部材１０に紐２を通し取付けて、携帯ストラップ等を作成することができる。
【００５８】
結び目収納孔４が貫通孔であることから、紐付き状態の紐取付け部材１０の紐２を紐通し結び目止め孔５の口付近で切断し、結び目収納孔４の上流側の口７から針金クリップを延ばしたものなどを挿入して、結び目３を押し出すことが簡単にできる。
結び目収納孔４から結び目３を出した紐取付け部材１０は、新たに紐２を取り付けて、あるいは新たな紐２に取り付けて、何回でも携帯ストラップ等を作り直すことができる。
【００５９】
紐取付け部材の形態は、星形、ハート形、キャラクター等の顔、ロゴ、マーク、花形、果物型、人型、動物形、山形、何らかのシンボル形など多様な形態のものがある。
【実施例２】
【００６０】
図３に示す本発明の実施例２において前記実施例１と主に異なる点は、紐取付け部材を紐取付け部材２３とした紐取付け部材付飾り物品２２を形成した点にある。
紐取付け部材２３は、略四角体の紐取付け部材本体２４の側部に、止まり穴形態であけられた、底面が下り傾斜形態の紐２の結び目３が収納される結び目収納部２５と、この結び目収納部２５に上部からに垂直に連通された、非ループの一本紐形態である紐２は通すがその結び目は通さない孔形態の紐通し結び目止め孔２６を備えた形態となっている。
【００６１】
紐通し結び目止め孔２６に挿入した紐２の先端は進行当り面（結び収納部２５の傾斜底面）に対して直角には当たらず傾斜向きであたるので、紐２は結び目収納部２５内で腰砕けとならないで、極めてスムーズに向きを変えて進行して、結び目収納部２５の外にでるという、手のみでの紐通し操作が誰でも簡単に容易にスムーズにできることを実現している。
【実施例３】
【００６２】
図４に示す本発明の実施例３において前記実施例２と主に異なる点は、紐取付け部材を紐取付け部材２８とした紐取付け部材付飾り物品３２を形成した点にある。
紐取付け部材２８は、紐取付け部材本体２４の下部に細棒状部２９の下部端に可動可能な顎部位３０を有する、ぬいぐるみに突き刺さる顎付き布地突刺し部３１が設けられている。
紐取付け部材本体１に顎部位３０を縦状態にして顎付き布地突刺し部３１を突き刺して、引くことにより顎部位３０が横になり抜けないように取付けられている。
取付け部材付飾り物品を、接着剤および道具無しで、手のみの突き刺し取付け操作で実現する。
【００６３】
細棒状部２９に短い多数の顎を形成するのもよい。この場合、顎部位３０は無くてもあってもよい。
【００６４】
紐取付け部材２８の前部面に花形態の装飾パーツが接着剤で接着している。
このように、紐取付け部材を飾り物品本体の外に設けた形態によって、多様な模様、多様な絵柄、多様なロゴなどの装飾パーツ（素材は布、プラスチック、ゴム、金属、木製などいろいろである。）を接着剤（粘着剤含む）で接着して設けるのもよい。
使用者が手持ちの好みの装飾パーツを接着剤で接着して装飾することを可能としている。
【実施例４】
【００６５】
図５、図６に示す本発明の実施例４において前記実施例１と主に異なる点は、紐取付け部材を紐取付け部材３５とした紐取付け部材付飾り物品３６を形成した点にある。
紐取付け部材３５は、略四角体の紐取付け部材本体３７に、その上部から紐２の非ループの一本紐形態は通るがその結び目３は通らない傾斜孔形態の紐通し結び目止め孔３８が設けられ、側部からは結び目３を収納するストレート貫通孔形態の結び目収納部３９が紐通し結び目止め孔３８に連通して設けられ、底部には突出部位４２が設けられ、突出部位４２には環部材通し孔４０が形成された形態となっている。
【００６６】
図５においては、飾り物品本体１５の頭部に金属製の端部解放の環部材４１が端部を解放して差し込まれ、解放された端部を取付け手段掛け部４０に通して掛け、端部を閉じ状態にして取付けられている。
【００６７】
図６においては、飾り物品本体１５の頭部に縫い糸４３を孔形態の取付け手段掛け部４０に通し縫い付け掛けることで取付けられている。
【００６８】
突出部位４２および環部材通し孔４０を設けない形態とし、結び目収納部３９を３ｍｍ〜６ｍｍの孔径として、縫い糸４３を結び目収納部３９に通し縫い付け掛けることで取付けられているものもよい。
【実施例５】
【００６９】
図７に示す本発明の実施例５において前記実施例２と主に異なる点は、紐取付け部材を紐取付け部材４６とした紐取付け部材付飾り物品４７を形成した点にある。
紐取付け部材４６は、略四角体の紐取付け部材本体４８に、その上部から紐２の非ループの一本紐形態は通るがその結び目３は通らない垂直孔形態の紐通し結び目止め孔２６が設けられ、側部からは結び目３を収納する底部面傾斜貫通孔形態の結び目収納部４５が紐通し結び目止め孔２６に連通して設けられ、側面下部両側には鍔部４９、４９が設けられ、該鍔部４９、４９には取付け手段である縫い糸４３が通し掛けられる、孔からなる取付け手段掛け部５０，５０が設けられた形態となっている。
【実施例６】
【００７０】
図８に示す本発明の実施例６において前記実施例５と主に異なる点は、紐取付け部材を紐取付け部材５３とした紐取付け部材付飾り物品５４を形成した点にある。
紐取付け部材５３は、紐取付け部材４６の鍔部４９，４９および取付け手段掛け部５０，５０に変えて、横に突出した先端部を前後に幅広形態として形成した凹部位からなる取付け手段掛け部５５，５５を形成した形態である。
取付け手段掛け部５５，５５に縫い糸４３を縫い掛けて、紐取付け部材５３を紐取付け部材本体４３に取付けている。
【実施例７】
【００７１】
図９、図１０に示す本発明の実施例７において前記実施例５と主に異なる点は、紐取付け部材を紐取付け部材５７とし、該紐取付け部材５７を接着剤により飾り物品本体１５に接着取付け固定した紐取付け部材付飾り物品５８を形成した点にある。
紐取付け部材５３は、紐取付部本体４８の前部と背部に、該、紐取付部本体４８を隠す大きさのリボンプレート形態ないし羽プレート形態の装飾パーツ５９，６０を設けたものである。
装飾パーツ５９，６０の形状、形態が異なるものであってもよい。
図１０において、紐取付け部材５７に紐２の一方を結び目３によって外れないように連結し、他方にアクセントパーツ２０を結び目３によって外れないように連結して携帯ストラップ６１を形成している。
【実施例８】
【００７２】
図１１、図１２に示す本発明の実施例８において前記実施例１と主に異なる点は、紐取付け部材を紐取付け部材６４とした紐取付け部材付飾り物品６５を形成した点にある。
紐取付け部材６４は、側面から見て伏せＵ字形態の紐取付け部材本体６６と、該紐取付け部材本体６６の内側部位である、飾り物品本体１５とによって結び目収納部を経緯する結び目収納部形成凹６７と、紐取付け部材本体６６の下部に立ち下がるように設けられた、布地に突き刺さす顎部位６８が付いた顎付き布地突刺し部６９、６９、６９、６９と、紐取付け部材本体６６の上部から結び目収納部形成凹６７連通形態で設けられた紐通し結び目止め孔２６とを有する形態となっている。
図１２において、紐取付け部材６４に紐２の一方を結び目３によって外れないように連結し、他方にアクセントパーツ２０を結び目３によって外れないように連結して携帯ストラップ７０を形成している。
【００７３】
その技術的思想は、前記飾り物品本体がぬいぐるみであり、体前記紐取付け部材に前記ぬいぐるみに突き刺さる、顎を有する顎付き布地突刺し部が設けられ、前記布地突刺し部が前記ぬいぐるみに突き刺さった状態で抜こうとしても前記顎が該ぬいぐるみ内に掛り抜けないことを特徴とする紐取付け部材付飾り物品あるいは紐取付け部材というところにある。
【００７４】
ぬいぐるみである飾り物品本体に、顎付き布地突刺し部を突き刺すだけの簡単操作で、紐取付け部材付飾り物品を形成できるとう効果を奏する。
また、接着剤との併用である場合は、接着剤との接合が無くなることがあっても、顎付き布地突刺し部の顎部位によって飾り物品本体から紐取付け部材が外れることが防止される。
【実施例９】
【００７５】
図１３、図１４に示す本発明の実施例９において前記実施例２と主に異なる点は、飾り物品本体を飾り物品本体７３とし、紐取付け部材を紐取付け部材７４とした紐取付け部材付飾り物品７５を形成した点にある。
飾り物品本体７３の少なくとも頭部は、下穴なしで木ネジをねじ込むことが出来、かつ、ねじ込んだ木ネジ状部位が振れたり抜けたりすることが容易には起きない部材である、ゴム製部材、プラスチック製部材、木製部材などの木ネジ状部位ねじ込み可能部材からなっている。
紐取付け部材７４は、紐取付け部材本体２４の下部に木ネジ状部位７６を突出させた形態となっている。
木ネジ状部位７６を飾り物品本体７３の頭部にねじ込んで取付け固定して、紐取付け部材付飾り物品７５を形成している。
図１４において、紐取付け部材７４に紐２の一方を結び目３によって外れないように連結し、他方にアクセントパーツ２０を結び目３によって外れないように連結して携帯ストラップ７７を形成している。
【００７６】
ぬいぐるみである飾り物品本体１５および木ネジ状部位７６側に接着剤を付け、あるいは一方に接着剤を付け、飾り物品本体１５に木ネジ状部位７６をねじ込みないし突き刺した取付け状態とすることにより、木ネジ状部位７６に付いた接着材によって、飾り物品本体１５の内部部材（一般的には綿状部材が多い）が、ねじ込んだ場合は木ネジ状部位７６に巻き付き接着されるので、紐取付け部材７４の接着保持力が著しく強化され、容易には外れることのない安定・安全な取付け状態を実現する。
木ネジ状部位７６をねじ込まず突き刺した取付け状態としても、木ネジの螺旋凸凹ネジ部位の接着剤に内部部材が接着されるので、これでも、ねじ込みとのものよりは接着保持力は得られないが、接着保持力が著しく強化され、容易には外れることのない安定・安全な取付け状態を実現する。
【実施例１０】
【００７７】
図１５に示す本発明の実施例９において８０は包装された紐取付け部材である。
包装された紐取付け部材８０は、包装容器８１と、この包装容器８１に複数個収納されたと紐取付け部材２３と、接着剤８２とからなっている。
紐２を加えるのもよい。
【実施例１１】
【００７８】
図１６〜図１８に示す本発明の実施例１１において前記実施例２と主に異なる点は、紐取付け部材を紐取付け部材８４とした紐取付け部材付飾り物品８５を形成した点にある。
紐取付け部材８４は、紐取付け部材本体２４の底部に複数本の布地に突き刺さる突き刺し部位９０を加え、正面に嵌め込み穴８６を加えた構成であり、嵌め込み穴８６には僅かな突出部位８７が形成されている。
図１７に示すように、嵌め込み穴８６に嵌入する、装飾パーツ本体９３に僅かな突起部位９２を有する嵌入突部位８８を備えた装飾パーツ８９を取付けられるようになっている。
突起部位９２と突出部位８７は噛み合い容易に抜けるのを防止している。突起部位９２と突出部位８７のいずれか一方は、他方の突起部位ないし突出部位が嵌る溝形態とするのもよい。
図１８において、紐取付け部材８４を紐取付け部材本体２４の頭部に突き刺し部位９０を突き刺しかつ接着剤によって接着固定して、紐取付け部材付飾り物品８５を形成している。
また、紐取付け部材８４に紐２の一方を結び目３によって外れないように連結し、他方にアクセントパーツ２０を結び目３によって外れないように連結して携帯ストラップ９１を形成している。
【実施例１２】
【００７９】
図１９、図２０に示す本発明の実施例１２において前記実施例１１と主に異なる点は、紐取付け部材を紐取付け部材９５とした点にある。
紐取付け部材９５は、紐取付け部材本体２４の上部に嵌め込み穴９６ａ、９６ｂを設け、結び目収納部をストレート貫通孔の結び目収納部９７と、その結び目収納部９７の紐通し結び目止め孔２６の対抗面であり該紐通し結び目止め孔２６から挿入された紐２の先端が当たる紐先端当り面である底部面に、突起形態の傾斜面９８を設けてなる構成としている。
嵌め込み穴９６ａ、９６ｂには、装飾パーツ本体１０１に該嵌め込み穴９６ａ、９６ｂに嵌入する嵌入突部位９９を有する装飾パーツ１００を取付けることができるようになっている。
【実施例１３】
【００８０】
図２１に示す本発明の実施例１３において前記実施例１２と主に異なる点は、装飾パーツを装飾パーツ１０３とした点にある。
装飾パーツ１０３は、装飾パーツ１００と装飾パーツ１００を連絡部１０４によって一体化した形態であり、連絡部１０４には上方拡径の紐通し結び目止め孔２６の上部に位置する紐誘い込み孔１０５が設けられた形態となっている。
【実施例１４】
【００８１】
図２２に示す本発明の実施例１３において前記実施例１２と主に異なる点は、装飾パーツを装飾パーツ１０８とした点にある。
装飾パーツ１０８は、装飾パーツ本体１０１に結び目収納部９７に嵌る、嵌入突部位１０９を設けている。
【実施例１５】
【００８２】
図２３に示す本発明の実施例１４において前記実施例１２と主に異なる点は、装飾パーツを装飾パーツ１１１とした点にある。
装飾パーツ１１１は、装飾パーツ本体１０１と装飾パーツ本体１０１が、紐取付け部材９５を挟み込む間隔を開けて配置され、装飾パーツ本体１０１と装飾パーツ本体１０１は連絡部１１２で連絡され、連絡部１１２には紐通し結び目止め孔２６に重なる、一方端が解放端（紐の出し入れが自在の開口形態）とされた紐出入自在形態の紐出入部１１３を設けた形態となっている。
装飾パーツ本体１０１、１０１の内側には、結び目収納部９７に引っ掛かる程度に嵌る嵌入突出部位１１４が設けられている。嵌入突出部位１１４は短い突起であり、装飾パーツ１１１を紐取付け部材９５から外すことが容易にできるようになっている。
紐出入自在形態の紐出入部１１３によって、紐取付け部材９５に装飾パーツ１１１を取付けたまま紐２の交換ができる、また、紐２を取付けたまま装飾パーツ１１１の着脱・交換が自在にできるものである。
【実施例１６】
【００８３】
図２４、図２５に示す本発明の実施例１６において前記実施例１２と主に異なる点は、紐取付け部材を紐取付け部材１１６とした点にある。
紐取付け部材１１６は、嵌め込み穴９６ａ、９６ｂおよび突き刺し部位９０を設けていない紐取付け部材本体２４を、携帯電話などの携帯品に当たった際に、該携帯品を傷付けたりしないようにするための、携帯品に押し当たっても該携帯品を傷つけない軟らかい部材で形成された軟質性覆部材１１７で覆った形態としている。
軟質性覆部材１１７は、覆部材本体１２０の左右側部には、結び目収納部９７に重なる開口１１８、１１８が形成され、上部には紐通し孔１１９が設けられた形態となっている。
軟質性覆部材１１７は、ゴム製部材、軟質性合成樹脂製部材などが一般的である。
製造方法ないし作成方法は、予め所定の形態に形成された軟質性覆部材に紐取付け部材本体を押し込み形成する形態、射出成型などにより軟質性覆部材の原料を射出して紐取付け部材を覆う形態などがある。
【００８４】
図２５に示すように、飾り物品本体１５の頭部に縫い糸４３を結び目収納部９７に通し掛け縫いして紐取付け部材１１６を取付けて紐取付け部材付飾り物品１２１を形成し、紐取付け部材１１６に紐２を通し結び目３で連結して携帯ストラップ１２２を形成している。
【実施例１７】
【００８５】
図２６〜図２８に示す本発明の実施例１７において前記実施例１２と主に異なる点は、紐取付け部材を紐取付け部材１２４とした点にある。
図２６に示すように、紐取付け部材１２４は、嵌め込み穴９６ａ、９６ｂおよび突き刺し部位９０を設けていない紐取付け部材本体２４の底部に該紐取付け部材本体１２３よりも幅の狭い下凸部位１２５を設け、左右側部の下部側に縫い糸４３を入れる糸隠し溝１２６、１２６を設けた形態となっている。
【００８６】
紐取付け部材１２４には紐取付け部材本体２４より軟らかく且つ伸縮性材質の軟質性覆部材１２７を後付けで、着脱自在形態で被せることができるようになっている。
軟質性覆部材１２７は、内部を収納部１２３とした覆部材本体１２８と、この覆部材本体１２８の上部に収納部１２３に連通開口した、内側に顎部１２９を形成するとともに、紐取付け部材１２４の天井部位を広く露出させる大きさの上部開口部１３０と、下部に収納部１２３に連通開口した、内側に紐取付け部材本体２４と下凸部位１２５の間の段差部位に掛かる顎部１３１を形成するとともに、紐取付け部材１２４がそこから収納部１２３に押し入れることが出来る、開口大きさの下部開口部１３２とからなっている。
上部開口部１３０と下部開口部１３２は略同じ開口大きさとなっている。
【００８７】
図２７、図２８に示すように、飾り物品本体１５の頭部に縫い糸４３によって紐取付け部材１２４を縫い付けて、軟質性覆部材１２７を軟質性覆部材１２７に被せ覆った形態とした、紐取付け部材付飾り物品１３３を形成し、紐通し結び目止め孔２６に紐２の一方端を通し結び目３を形成して該紐２を取付け状態とし、紐２の他方端にアクセントパーツ２０を取付けた携帯ストラップ１３４を形成している。
【００８８】
図２８に示すように、軟質性覆部材１２７はその上部開口部１３０からアクセントパーツ２０を通すことが可能であり、よって、軟質性覆部材１２７を取付け取り除きが自在にできるものである。
【実施例１８】
【００８９】
図３０に示す本発明の実施例１８において前記実施例２と主に異なる点は、紐取付け部材を紐取付け部材１３６とした点にある。
紐取付け部材１３６は、結び目収納部を結び目収納部９７とし、紐取付け部材本体２４の底部に複数本の顎形態の接着剤掛り箇所１３７を有するスリット状ないし溝状の凹部からなる接着剤掛り部１３８を設けたものである。
飾り物品本体１５に紐取付け部材１３６を設け形態である紐取付け部材付飾り物品１３９を形成している。
飾り物品本体１５に接着剤（ホットメルトが好適）で接着取付けた状態で、接着剤掛り部１３８内に該接着剤が入り込み、硬化した接着剤が掛かる（引っ掛かる部位）接着剤掛り箇所１３７に掛り、接着面積も広くなるので、強い接着保持力が得られるので容易には外れないようになる。
【００９０】
接着剤掛り部は、その数は一つ以上あればよく、接着剤が入る範囲で多数であればその掛り力は強くなる。また、その形態は凸凹形態、凸形態、凹み形態、穴形態があり、好ましくはこれらに、顎などの突出部位、穴あるいは溝などの凹み部位からなる、硬化した接着剤が掛かる（引っ掛かる部位）接着剤掛り箇所が設けられてなるものがよい。
【００９１】
その技術的思想は、前記紐取付け部材の底部に接着剤が入り込む凹部あるいは接着剤に入り込む凸部が設けられ、前記凹部あるいは前記凸部には、接着剤が掛り状態となる凸形態部位のあるいは凹形態部位の接着剤掛り箇所が設けられ、前記紐取付け部材が前記飾り物品本体に接着剤によって接着直接取付けられていることを特徴とする紐取付け部材付飾り物品あるいは紐取付け部材というところにある。
【００９２】
接着剤が入り込む凹部あるいは接着剤に入り込む凸部に接着剤が入り込み、接着剤掛り部および掛り部に接着剤が掛り状態となるので、その接着剤の接着剤掛り部への掛りと接着面積の増大によって、強固な接着保持力を得るという効果を奏する。
【実施例１９】
【００９３】
図３１〜図３５に示す本発明の実施例１９において、紐取付け部材１４０は次のような構成となっている。
飾り物品に取付けられる、逆Ｕ字形態の紐取付け部材本体１４１と、
この紐取付け部材本体１４１の天井部に設けられた、非ループの一本紐形態の紐を通しその結び目は通さない形態の紐通し結び目止め孔２６と、
紐取付け部材本体１４１の一方側にヒンジ部位１４２ａを介して設けられた回動体１４３ａと、
紐取付け部材本体１４１の他方側にヒンジ部位１４２ｂを介して設けられた回動体１４３ｂと、
回動体１４３ａに設けられた顎部１４４を有する嵌め込み雌部１４５と、
回動体１４３ｂの内側に突出形態で、その先端に顎部１４４に掛かる顎部１４６を有してなる、嵌め込み雌部１４５に嵌合する形態の嵌め込み雄部１４７と、を備えた構成となっている。
嵌め込み雄部１４７には、飾り物品に設けられている部材通し取付け部が中央に常に位置するように寄せる、寄せ凹１４８が形成されている。
紐取付け部材本体１４１の内側部位は、結び目収納部形成凹６７となっている
【００９４】
嵌め込み雄部１４７の部位を、飾り物品に設けられたループ紐、環部材、部材通し孔などの部材通し取付け部に通した状態にして、嵌め込み雌部１４５に嵌合する。
【００９５】
図３３においては、ストラップ紐に取付けられた環部材等を通し取付ける部材通し孔１５０を有する既成の飾り物品１５１に、部材通し孔からなる部材通し取付け部１５０に嵌め込み雄部１４７を通して紐取付け部材１４０を取付けている。
結び目収納部形成凹６７と飾り物品１５１とで結び目収納部１５２を形成する。
【００９６】
図３４においては、ストラップ紐に取付けられた環部材等を通し取付けるループ紐からなる部材通し取付け部１５４を有する既成の飾り物品１５５に、部材通し取付け部１５４に嵌め込み雄部１４７を通して紐取付け部材１４０を取付けている。
【００９７】
図３５においては、ストラップ紐に取付けられた環部材等を通し取付ける金属製環部材（ここでは、ヒートン）からなる部材通し取付け部１５７を有する飾り物品１５８に、部材通し取付け部１５７に嵌め込み雄部１４７を通して紐取付け部材１４０を取付けている。
【実施例２０】
【００９８】
図３６に示す本発明の実施例２０において、前記実施例１９と主に異なる点は、紐取付け部材本体１４１の上部側の側面を塞ぐ側面壁１６０ａ、１６０ｂを設け、それにより結び目収納部１６２を形成して、結び目３が隠れて見えないようにした紐取付け部材１６１を形成した点にある。
【実施例２１】
【００９９】
図３７に示す本発明の実施例２１において、紐取付け部材１６３は、
飾り物品に取付けられる、逆Ｕ字形態の紐取付け部材本体１６７と、
この紐取付け部材本体１６７の天井部に設けられた、非ループの一本紐形態の紐２は通しその結び目３は通さない形態の紐通し結び目止め孔２６と、
紐取付け部材本体１６７を形成している一方の側壁に貫通された、小凸凹螺旋凸凹形態ないし微細螺旋凸凹形態の孔面とされた嵌め込み雌部１６４と、
紐取付け部材本体１６７を形成している他方の側壁に貫通された、小凸凹螺旋凸凹形態ないし微細螺旋凸凹形態の孔面とされた嵌め込み雌部１６５と、
嵌め込み雌部１６４および嵌め込み雌部１６５に挿入嵌合される、小凸凹螺旋凸凹形態ないし微細螺旋凸凹形態の棒面とした嵌め込み雄部１６６と、とを備えた形態となっている。
嵌め込み雌部１６４あるいは嵌め込み雌部１６５の一方は、小凸凹螺旋凸凹形態ないし微細螺旋凸凹形態の無いストレート孔とするのもよい。
【０１００】
嵌め込み雌部１６４、嵌め込み雌部１６５および嵌め込み雄部１６６の小凸凹螺旋凸凹形態ないし微細螺旋凸凹形態は、進行方向である前面が傾斜形態であり、後ろ面は垂直ないし進行方向に傾斜した形態としている。
例えば、図３４に記載の部材通し取付け部１５４を紐取付け部材１６３内に位置させ、嵌め込み雄部１６６を嵌め込み雌部１６４に差し込み押し進め、部材通し取付け部１５４に嵌め込み雌部１６４を通し、嵌め込み雌部１６５に嵌め込み雌部１６４を挿入押し込む、という操作によって紐取付け部材１６３に飾り物品１５５を取付ける。
嵌め込み雌部１６５および嵌め込み雌部１６４の小凸凹螺旋凸凹形態ないし微細螺旋凸凹に、嵌め込み雄部１６６の小凸凹螺旋凸凹形態ないし微細螺旋凸凹が噛み合っているので、嵌め込み雄部１６６を引っ張っても抜けることはない。
その螺旋かみ合わせ形態によって嵌め込み雄部１６６をねじ解除側に回すことで、嵌め込み雄部１６６を容易に抜くことができる。
【実施例２２】
【０１０１】
図３８に示す本発明の実施例２２において、紐取付け部材１７０は、
飾り物品に取付けられる、バンド形態の紐取付け部材本体１７１と、
この紐取付け部材本体１７１の中ほどに設けられた、非ループの一本紐形態の紐２は通しその結び目３は通さない形態の紐通し結び目止め孔２６と、
紐取付け部材本体１７１の中ほどに設けられた肉厚部位１７７に形成された、紐通し結び目止め孔２６に連通した、結び目３を収納する下部開口形態の結び目収納部１７２と、
紐取付け部材本体１７１の一方端の肉厚部位に形成された、貫通孔形態の嵌め込み雌部１７３と、
紐取付け部材本体１７１の他方端にヒンジ部位１７４を介して設けられた、先端に顎部位１７５を有する嵌め込み雌部１７３に挿入嵌合される嵌め込み雄部１７６と、
肉厚部位１７７の左右に設けられたヒンジ部位１７８ａ、１７８ｂと、とを備えた形態となっている。
【実施例２３】
【０１０２】
図３９に示す本発明の実施例２３において、前記実施例２０と主に異なる点は、嵌め込み雌部を嵌め込み雌部１８０とし、嵌め込み雄部を嵌め込み雄部１８１とした紐取付け部材１８２を形成した点にある。
嵌め込み雌部１８０は、回動体１４３ａの下部に内側に突出するように設けた大凸部位１８３に設けられた、微細メスねじ状形態の嵌め込み穴からなっている。
嵌め込み雄部１８１は、回動体１４３ｂの下部に内側に突出するように設けた小凸部位１８４に設けられた、微細メスねじ状形態の嵌め込み棒体からなっている。
嵌め込み雄部１８１の嵌め込み雌部１８０への嵌合は嵌め殺し形態となる。
正面および背面ともに穴等が無いので、どちらを正面にしてもよい。
【実施例２４】
【０１０３】
図４０に示す本発明の実施例２４において、紐取付け部材１８６は、
バンド形態の紐取付け部材本体１８７と、
この紐取付け部材本体１８７の中央に設けられた、非ループの一本紐形態の紐２は通しその結び目３は通さない形態の紐通し結び目止め孔２６と、
紐取付け部材本体１８７の一方側に設けられた、孔形態の環部材通し取付部１８８と、
紐取付け部材本体１８７の他方側に設けられた、孔形態の環部材通し取付部１８９と、とを備えた形態となっている。
【０１０４】
端部解放形態の環部材１９０の端部をペンチ等で開き広げ、例えば、飾り物品１５５の部材通し取付け部１５４に通し、さらに、環部材通し取付部１８８および環部材通し取付部１８９に通して、端部を閉じ状態にして飾り物品１５５に取付け状態とする。
【実施例２５】
【０１０５】
図４１に示す本発明の実施例２５において、紐取付け部材１９１は、
紐取付け部材本体１９２と、
この紐取付け部材本体１９２の中央に設けられた、非ループの一本紐形態の紐２は通しその結び目３は通さない形態の紐通し結び目止め孔２６と、
この紐通し結び目止め孔２６に連通してその真下に設けられた、結び目３を収納する下部開口形態の結び目収納部１９３と、
紐取付け部材本体１９２の一方側に設けられた、孔形態で内側に凸部位ないし凹部位を有する嵌め込み雌部１９４と、
紐取付け部材本体１８７の他方側に設けられたコード部位１９５と、
このコード部位１９５の先端に設けられた、嵌め込み雌部１９４に挿入嵌合して嵌め殺しとなる、凹部位ないし凸部位を有する嵌め込み雄部１９６と、とを備えた形態となっている。
【０１０６】
嵌め込み雄部１９６およびコード部位１９５を例えば、飾り物品１５５の部材通し取付け部１５４に通し、さらに、嵌め込み雄部１９６を嵌め込み雌部１９４に挿入嵌合して飾り物品１５５に取付け状態とする。
【実施例２６】
【０１０７】
図４２に示す本発明の実施例２６において、前記実施例９と主に異なる点は、木ネジ状部位を、上部が環形体部位２００とされた一般的にヒートンと呼ばれる木ネジ状部位２０１とし、紐通し結び目止め孔を紐通し結び目止め孔５としてなる紐取付け部材２０２を形成した点にある。
結び目収納部２０３は止り穴形態である。
環形体部位２００は傾けた状態にするのもよい。
【０１０８】
［付記］
＜付記１記載の発明＞
飾り物品が、落下防止を目的とする指や手首を通し掛ける形態の落下防止用飾り物品を除く飾り物品であって、
飾り物品本体と、
この飾り物品本体に直接取付け形態とされ、あるいは、他の部材を介して間接取付け形態とされた、前記飾り物品本体とは別体からなる紐取付け部材と、を備えてなるとともに、
前記紐取付け部材が、非ループの一本紐形態の紐を通しその結び目は通さない紐通し結び目止め孔を有し、前記結び目通し止孔に連通した前記結び目を収納する結び目収納部、あるいは、前記結び目通し止孔に連通した前記結び目を収納する結び目収納部を、前記飾り物品本体とによって形成する結び目収納部形成凹を有してなることを特徴とする紐取付け部材付飾り物品である。
前記紐取付け部材の前記飾り物品本体への取付けが、接着剤による接着された前記直接取付け形態であることを特徴とする付記１に記載の紐取付け部材付飾り物品である。
＜付記１記載の発明の効果＞
飾り物品が、落下防止を目的とする指や手首を通し掛ける形態の落下防止用飾り物品を除く飾り物品、例えばぬいぐるみ、フィギュア、木人形、ゴム製人形などの飾り物品であても、
その飾り物品本体とは別体からなる、非ループの一本紐形態の紐を通しその結び目は通さない紐通し結び目止め孔を備え、前記結び目を収納する前記結び目通し止孔に連通した結び目収納部を有し、あるいは前記結び目を収納する前記結び目通し止孔に連通した結び目収納部を前記飾り物品本体とによって形成する紐取付け部材を備えているので、紐通し結び目止め孔に通した非ループの一本紐形態の紐に結び目を形成することによって、好みの長さの非ループの一本紐によるシンプルな構成の携帯ストラップ等を、誰でも簡単に素早く形成できるという効果を奏する。
また、紐の長さを長めとすることにより、使用しながら好みの長さを見極め、その好み長さとなる部位に結び目を形成して、好みの紐長さを簡単に得ることができる。
また、紐を切れる、ハサミ、爪切あるいはカッターなどの身近な切断具で切断して結び目を取り出し、新しい紐（長さは自由、紐色自由）に取り換えることができ、そのさい、異なる飾り物品との連結形態の携帯ストラップ等を形成するが、簡単容易にできる。
すなわち、身近な切断具と交換紐さえあれば、いつでも、簡単で素早く紐色、他方に連結する飾り物品を選んで、それらの好みの組み合わせによる前とは異なる携帯ストラップを簡単に素早く実現できる。
また、紐取付け部材の前部面に、リボン、ハート、模様、絵柄などの装飾部品（素材は布、プラスチック、ゴム、金属、木製などいろいろである。）を接着剤（粘着剤含む）で接着して設けることができるので、使用者が好みの装飾部品を接着剤で接着して装飾することが、簡単で容易にできる。
＜付記２記載の発明＞
前記紐取付け部材の前記飾り物品本体への取付けが、接着剤による接着された前記直接取付け形態であることを特徴とする付記１に記載の紐取付け部材付飾り物品である。
付記２記載の発明の実施例は、図１、３、３０等の実施例が対応している。
＜付記２記載の発明の効果＞
付記１に記載の発明と同様な効果を奏する。
＜付記３記載の発明＞
前記飾り物品本体がぬいぐるみであることを特徴とする付記１，２のいずれか１項に記載の紐取付け部材付飾り物品である。
＜付記３記載の発明の効果＞
飾り物品本体がぬいぐるみであるので、付記１，２のいずれか１項に記載の発明と同様な効果を奏する。
＜付記４記載の発明＞
前記紐取付け部材が、ゴム製部材、プラスチック製部材、木製部材、ぬいぐるみなどに、下穴なしでねじ込むことが出来る木ネジ状部位を備えてなることを特徴とする付記１〜３のいずれか１項に記載の紐取付け部材付飾り物品である。
付記４記載の発明の実施例は、図１３、１４、４２等の実施例が対応している。
＜付記４記載の発明の効果＞
付記１〜３のいずれか１項に記載の発明と同様な効果を奏するとともに、ゴム製部材、プラスチック製部材、木製部材などに下穴なしでねじ込むことが出来る木ネジ状部位をねじ込み可能部材である飾り物品本体に、木ネジ状部位をねじ込むだけの簡単操作で、紐取付け部材付飾り物品を形成できるとう効果を奏する。
接着剤との併用でない場合は、逆回しによる取外しができる。
また、特にぬいぐるみである飾り物品本体および木ネジ状部位側に接着剤を付け、あるいは一方側に接着剤を付け、飾り物品本体に木ネジ状部位をねじ込みないし突き刺した取付け状態とすることにより、木ネジ状部位に付いた接着材によって、飾り物品本体の内部部材（一般的には綿状部材が多い）が、ねじ込んだ場合は木ネジ状部位に巻き付き接着されるので、紐取付け部材の接着保持力が著しく強化され、外れることのない取付けを実現する。
木ネジ状部位をねじ込まず突き刺した取付け状態としても、木ネジ状部位の螺旋凸凹ネジ部位の接着剤に内部部材が接着されるので、これでも、保持力が著しく強化され、容易には外れることのない取付け状態を実現する。
また、木ネジ状部位に接着剤が付きぬいぐるみの中で接合がされるので、ぬいぐるみ表面の接着剤の量を少なくでき、紐取付け部材とぬいぐるみの間からはみ出る接着剤の量を少なくできる、美観を損ねない程度の接着剤量にできる。
＜付記５記載の発明＞
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする付記１〜４のいずれか１項に記載の紐取付け部材付飾り物品である。
付記５記載の発明の実施例は、図２，３，４，５，１６，１９等の実施例が対応している。
付記１〜４のいずれか１項に記載の発明と同様な効果を奏するとともに、紐通し結び目止め孔に挿入した紐の先端は進行当り面に対して直角には当たらず傾斜向きであたるので、紐は結び目収納部内で腰砕けとならないで、極めてスムーズに向きを変えて進行させて、結び目収納部の外に出せるという、手のみの紐通し操作が、誰でもが簡単スムーズに行うことを可能にするという効果を奏する。
＜付記６記載の発明＞
ぬいぐるみからなる飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、前記ぬいぐるみに突き刺さる、顎部位を有する顎付き布地突刺し部と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
付記６記載の発明の実施例は、図４、１１、１２等の実施例が対応している。
付記１〜３のいずれか１項に記載の発明と同様な効果を奏するとともに、ぬいぐるみである飾り物品本体に、顎付き布地突刺し部を突き刺すだけの簡単操作で、紐取付け部材付飾り物品を形成できるとう効果を奏する。
また、接着剤との併用である場合は、接着剤との接合が無くなることがあっても、顎付き布地突刺し部の顎部位によって飾り物品本体から紐取付け部材が外れることが防止される。
＜付記７記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体に設けられた、ゴム製部材、プラスチック製部材、木製部材、ぬいぐるみなどに下穴なしでねじ込むことが出来る木ネジ状部位と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
付記７記載の発明の実施例は、図１３、１４、４２等の実施例が対応している。
前記付記４記載の発明と同様な効果を奏する。
＜付記８記載の発明＞
飾り物品に取付けられる紐取付け部材本体と、
この紐取付け部材本体に設けられた、非ループの一本紐形態の紐を通しその結び目は通さない形態の紐通し結び目止め孔と、
前記紐取付け部材本体に設けられた嵌め込み雌部と、
前記紐取付け部材本体に設けられた前記嵌め込み雌部に嵌合する形態の嵌め込み雄部と、を備えるとともに、
前記嵌め込み雌部を有する部位および前記嵌め込み雄部を有する部位あるいはいずれか一方の部位が、前記飾り物品に設けられたループ紐、環部材、部材通し孔などの部材通し取付け部に通されて前記嵌合されるものであることを特徴とする紐取付け部材である。
付記８記載の発明の実施例は、図３１〜３９、４１等の実施例が対応している。
＜付記８記載の発明の効果＞
ループ紐、環部材、部材通し孔などの部材通し取付け部を有する既成の飾り物品に、嵌め込み雌部を有する部位および嵌め込み雄部を有する部位あるいはいずれか一方の部位を、前記部材通し取付け部に通し嵌合することで、既成の飾り物品に非ループの一本紐形態の紐を通しその結び目は通さない形態の紐通し結び目止め孔を有する紐取付け部材を簡単に取付けることができ、これによって、既成の飾り物品にも結び目形成操作による非ループの一本紐を簡単に取付けた、携帯ストラップ等を作成できるとい効果を奏する。
＜付記９記載の発明＞
飾り物品に取付けられる紐取付け部材本体と、
この紐取付け部材本体に設けられた、端部分離形態の環部材を通す環部材通し孔と、を備えるとともに、
前記端部を離し開口を広げた前記環部材を、前記飾り物品に設けられたループ紐、環部材、部材通し孔などの部材通し取付け部に通し、さらに、前記環部材通し孔に通して、前記広げた前記端部を近づけ閉じ状態にして、前記飾り物品に取付け可能としてなることを特徴とする紐取付け部材である。
付記９記載の発明の実施例は、図４０等の実施例が対応している。
ループ紐、環部材、部材通し孔などの部材通し取付け部を有する既成の飾り物品に、端部を離し開口を広げた環部材を前記部材通し取付け部に通し、さらに、環部材通し孔に通して、前記広げた前記端部を近づけ閉じ状態にすることで、既成の飾り物品にも結び目形成操作による非ループの一本紐を簡単に取付けた、携帯ストラップ等を作成できるとい効果を奏する。
＜付記１０記載の発明＞
飾り物品に取付けられる紐取付け部材本体と、
この紐取付け部材本体に設けられた、非ループの一本紐形態の紐を通しその結び目は通さない形態の紐通し結び目止め孔と、
この紐通し結び目止め孔に連通した前記紐の結び目を収納する結び目収納部と、
前記紐取付け部材本体が携帯電話などの携帯品に当たった際に、該携帯品を傷付けたりすることを防止するために、前記紐取付け部材本体の全体あるいは一部を覆う形態で設けられた、前記携帯品に押し当たっても該携帯品を傷つけない軟らかい部材で形成された軟質性覆部材と、を備えてなるとともに、
前記結び目収納部は、前記紐取付け部材本体に設けられた孔形態であり、あるいは、前記紐取付け部材本体に設けられた凹形態の結び目収納部形成凹と前記飾り物品とによって形成される形態であることを特徴とする紐取付け部材である。
付記１０記載の発明の実施例は、図２４、２５、２７、２８、２９等の実施例が対応している。
紐取付け部材本体が、携帯品に押し当たっても該携帯品を傷つけない軟らかい部材で形成された軟質性覆部材によって覆われているので、携帯品に押し当たっても該携帯品を傷つけることが生じないという効果を奏する。
＜付記１１記載の発明＞
前記結び目収納部と前記紐通し結び目止め孔との連通形態が、非直角交差形態である傾斜連通形態である、あるいは前記紐通し結び目止め孔から挿入されて前記結び目収納部に入った紐の先端が当たる該結び目収納部の壁面部位が傾斜面であることを特徴とする付記６〜１０のいずれか１項に記載の紐取付け部材である。
付記１１記載の発明の実施例は、図２〜５、１６、１９等の実施例が対応している。
付記６〜１０のいずれか１項に記載の発明において、前記付記５記載の発明と同様な効果を奏する。
＜付記１２記載の発明＞
非ループの一本紐形態の紐を通しその結び目は通さない紐通し結び目止め孔、および前記結び目を収納する前記結び目通し止孔に連通した結び目収納部を有する紐取付け部材と、
この紐取付け部材を複数個と、前記紐取付け部材を飾り物品に接着により取付けるための接着剤とを収納してなる包装容器と、を備えてなることを特徴とする包装された紐取付け部材である。
付記１２記載の発明の実施例は、図１５等の実施例が対応している。
非ループの一本紐形態の紐を通しその結び目は通さない紐通し結び目止め孔、および前記結び目を収納する前記結び目通し止孔に連通した結び目収納部を有する複数個の紐取付け部材と、該紐取付け部材を飾り物品に接着させるための接着剤が、包装容器に包装された形態で提供されるので、購入者は、ぬいぐるみ、フィギュアなどで非ループの一本紐形態の紐を通しその結び目は通さない紐通し結び目止め孔、および前記結び目を収納する前記結び目通し止孔に連通した結び目収納部を有さない飾り物品に、前記接着剤により紐取付け部材を接着し取付けて紐取付け部材付飾り物品を形成できるという効果を奏する。
【産業上の利用可能性】
【０１０９】
本発明は、主に携帯ストラップ用パーツの製造・販売、携帯ストラップの製造・販売をする産業で利用される。
【符号の説明】
【０１１０】
１：紐取付け部材本体、
２：紐、
３：結び目、
４：結び目収納孔、
５：紐通し結び目止め孔、
６：下流側の口、
７：上流側の口、
１０：紐取付け部材、
１１：誘い込み、
１２：誘い込み、
１５：飾り物品本体、
１６：紐取付け部材付飾り物品、
１７：携帯ストラップ、
１８：携帯品、
１９：ストラップホール、
２０：アクセントパーツ、
２２：紐取付け部材付飾り物品、
２３：紐取付け部材、
２４：紐取付け部材本体、
２５：結び目収納部、
２６：紐通し結び目止め孔、
２８：紐取付け部材、
２９：細棒状部、
３０：顎部位、
３１：顎付き布地突刺し部、
３２：紐取付け部材付飾り物品、
３３：装飾パーツ、
３５：紐取付け部材、
３６：紐取付け部材付飾り物品、
３７：取付け部材本体、
３８：紐通し結び目止め孔、
３９：結び目収納部、
４０：取付け手段掛け部、
４１：環部材、
４２：突出部位、
４３：縫い糸、
４５：結び目収納部、
４６：紐取付け部材、
４７：紐取付け部材付飾り物品、
４８：紐取付け部材本体、
４９、４９：鍔部、
５０、５０：取付け手段掛け部、
５３：紐取付け部材、
５４：紐取付け部材付飾り物品、
５５、５５：取付け手段掛け部、
５７：紐取付け部材、
５８：紐取付け部材付飾り物品、
５９：装飾パーツ、
６０：装飾パーツ、
６１：携帯ストラップ、
６４：紐取付け部材、
６５：紐取付け部材付飾り物品、
６６：紐取付け部材本体、
６７：結び目収納部形成凹、
６８：顎部位、
６９、６９、６９、６９：顎付き布地突刺し部、
７０：携帯ストラップ、
７３：飾り物品、
７４：紐取付け部材、
７５：紐取付け部材付飾り物品、
７６：木ネジ状部位、
７７：携帯ストラップ、
８０：包装された紐取付け部材、
８１：包装容器、
８２：接着剤、
８４：紐取付け部材、
８５：紐取付け部材付飾り物品、
８６：嵌め込み穴、
８７：突出部位、
８８：嵌入突部位、
８９：装飾パーツ、
９０：突き刺し部位、
９１：携帯ストラップ、
９２：突起部位、
９３：装飾パーツ本体、
９５：紐取付け部材、
９６ａ、９６ｂ：嵌め込み穴、
９７：結び目収納部、
９８：傾斜面、
９９：嵌入突部位、
１００：装飾パーツ、
１０１：装飾パーツ本体、
１０３：紐取付け部材、
１０４：連絡部、
１０５：紐誘い込み孔、
１０８：装飾パーツ、
１０９：嵌入突部位、
１１１：装飾パーツ、
１１２：連絡部、
１１３：紐出入部、
１１４：嵌入突出部位、
１１６：紐取付け部材、
１１７：軟質性覆部材、
１１８、１１８：開口、
１１９：紐通し孔、
１２０：覆部材本体、
１２１：紐取付け部材付飾り物品、
１２２：携帯ストラップ、
１２３：収納部、
１２４：紐取付け部材、
１２５：下凸部位、
１２６：糸隠し溝、
１２７：軟質性覆部材、
１２８：覆部材本体、
１２９：顎部、
１３０：上部開口部、
１３１：顎部、
１３２：下部開口部、
１３３：紐取付け部材付飾り物品、
１３４：携帯ストラップ、
１３６：紐取付け部材、
１３７：接着剤掛り箇所、
１３８：接着剤掛り部、
１４０：紐取付け部材、
１４１：紐取付け部材本体、
１４２ａ、１４２ｂ：ヒンジ部位、
１４３ａ、１４３ｂ：回動体、
１４４：顎部、
１４５：嵌め込み雌部、
１４６：顎部、
１４７：嵌め込み雄部、
１４８：寄せ凹、
１５０：部材通し孔、
１５１：飾り物品、
１５２：結び目収納部、
１５４：部材通し取付け部、
１５５：飾り物品、
１５７：部材通し取付け部、
１５８：飾り物品、
１６０ａ、１６０ｂ：側面壁、
１６１：紐取付け部材、
１６２：結び目収納部、
１６３：紐取付け部材、
１６４：嵌め込み雌部、
１６５：嵌め込み雌部、
１６６：嵌め込み雄部、
１７０：紐取付け部材、
１７１：紐取付け部材本体、
１７２：結び目収納部、
１７３：嵌め込み雌部、
１７４：ヒンジ部位、
１７５：顎部位、
１７６：嵌め込み雄部、
１７７：肉厚部位、
１７８ａ、１７８ｂ：ヒンジ部位、
１８０：嵌め込み雌部、
１８１：嵌め込み雄部、
１８２：紐取付け部材、
１８３：大凸部位、
１８４：小凸部位、
１８６：紐取付け部材、
１８７：紐取付け部材本体、
１８８：環部材通し取付部、
１８９：環部材通し取付部、
１９１：紐取付け部材、
１９２：紐取付け部材本体、
１９３：結び目収納部、
１９４：嵌め込み雌部、
１９５：コード部位、
１９６：嵌め込み雄部、
２００：環形体部位、
２０１：木ネジ状部位、
２０２：紐取付け部材、
２０３：結び目収納部。